(57)【要約】  ＳＳ／ＰＢＣＨブロック周波数位置インディケーションのための方法及び装置を提供すること。本開示は、ＩＯＴ(Ｉｎｔｅｒｎｅｔ  ｏｆ  Ｔｈｉｎｇｓ)技術を用いて４世代(４Ｇ)システムより高いデータ速度をサポートする５世代(５Ｇ)通信システムを融合する通信方法及びシステムに関する。本開示はスマートホーム、スマートビルディング、スマートシティ、スマートカー、コネクテッドカー、ヘルスケア、デジタル教育、小売業、保安及び安全関連サービスのような５Ｇ通信技術及びＩｏＴ関連技術に基盤した知能型サービスに適用されることができる。無線通信システムにおけるＵＥが提供される。ＵＥは、基地局(ＢＳ)から、ダウンリンクチャンネルを介して第１周波数位置(ＧＳＣＮ−Ｃｕｒｒｅｎｔ)−ＧＳＣＮ−Ｃｕｒｒｅｎｔはグローバル同期化チャンネル番号(ＧＳＣＮ)によって決定される予め定義された同期化ラスタのセットに基づく―を用いるＰＢＣＨを含む同期化信号及び物理的ブロードキャストチャンネル(ＳＳ／ＰＢＣＨ)ブロックを受信するように構成された送受信機を含む。ＵＥは送受信機に動作可能に接続されたプロセッサをさらに含み、プロセッサは、ＳＳ／ＰＢＣＨブロックを決定し、決定されたＳＳ／ＰＢＣＨブロックに含まれたＰＢＣＨのコンテンツを識別し、ＧＳＣＮ−Ｃｕｒｒｅｎｔ上のＲＭＳＩに対するスケジューリング情報を含むＰＤＣＣＨと連関されるＳＳ／ＰＢＣＨブロック、又はＧＳＣＮ−Ｃｕｒｒｅｎｔ上のＲＭＳＩに対するスケジューリング情報を含むＰＤＣＣＨと連関されないＳＳ／ＰＢＣＨブロックのうちの少なくとも一つに対する構成を決定するように構成される。
2021508201.tif 000002
【特許請求の範囲】
【請求項１】
無線通信システムにおける基地局(ＢＳ)であって、
プロセッサとして、
同期化信号及び物理的ブロードキャストチャンネル(ＳＳ／ＰＢＣＨ)ブロックを生成し；
前記ＳＳ／ＰＢＣＨブロックを送信するためにグローバル同期化チャンネル番号(ＧＳＣＮ)によって決定される予め定義された同期化ラスタのセットに基づいて第１周波数位置(ＧＳＣＮ−Ｃｕｒｒｅｎｔ)を識別し；
前記ＧＳＣＮ−Ｃｕｒｒｅｎｔに基づいて、
前記ＧＳＣＮ−Ｃｕｒｒｅｎｔ上のＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関される前記ＳＳ／ＰＢＣＨブロック、又は前記ＧＳＣＮ−Ｃｕｒｒｅｎｔ上の前記ＲＭＳＩに対する前記スケジューリング情報を含む前記ＰＤＣＣＨと連関されない前記ＳＳ／ＰＢＣＨブロックのうちの少なくとも一つに対する構成を決定し；
前記ＳＳ／ＰＢＣＨブロックが前記ＧＳＣＮ−Ｃｕｒｒｅｎｔ上の前記ＲＭＳＩに対する前記スケジューリング情報を含む前記ＰＤＣＣＨと連関されない時、前記ＲＭＳＩに対する前記スケジューリング情報を含む前記ＰＤＣＣＨを設定した他のＳＳ／ＰＢＣＨブロックが送信されず前記ＧＳＣＮに基づいて決定された周波数範囲、又は前記ＲＭＳＩに対する前記スケジューリング情報を含む前記ＰＤＣＣＨを設定した他のＳＳ／ＰＢＣＨブロックが送信されて前記ＧＳＣＮに基づいて決定された第２周波数位置のうちの少なくとも一つを含む構成を決定し；
決定された構成に基づいて、前記ＳＳ／ＰＢＣＨブロックに含まれたＰＢＣＨのコンテンツを識別するように構成された、前記プロセッサ；及び
前記プロセッサに動作可能に接続された送受信機として、ダウンリンクチャンネルを介して前記ＧＳＣＮ−Ｃｕｒｒｅｎｔを用いる前記ＰＢＣＨを含む前記ＳＳ／ＰＢＣＨブロックをユーザ装置(ＵＥ)に送信するように構成された、前記送受信機を含む、無線通信システムにおける基地局(ＢＳ)。
【請求項２】
前記決定されたＧＳＣＮ−Ｃｕｒｒｅｎｔ上の前記ＲＭＳＩに対する前記スケジューリング情報を含む前記ＰＤＣＣＨと連関される前記ＳＳ／ＰＢＣＨブロックは、第１キャリア周波数範囲に対して、{０，１，２，３，４，５，６，７，８，９，１０，１１，１２，１３，１４，１５}からの値に基づいたＰＢＣＨのコンテンツ内のｓｓｂ−ＳｕｂｃａｒｒｉｅｒＯｆｆｓｅｔのフィールド及び０の値を有する前記ＰＢＣＨのコンテンツ内の
【数１】
2021508201.tif 000072
のフィールド；
前記第１キャリア周波数範囲に対して、{０，１，２，３，４，５，６，７}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数２】
2021508201.tif 000073
のフィールド；又は
第２キャリア周波数範囲に対して、{０，１，２，３，４，５，６，７、８，９，１０，１１}からの値に基づいた前記ＰＢＣＨのコンテンツ内のｓｓｂ−ＳｕｂｃａｒｒｉｅｒＯｆｆｓｅｔのフィールドのうちの少なくとも一つによって示される、請求項１に記載の無線通信システムにおける基地局(ＢＳ)。
【請求項３】
前記決定されたＧＳＣＮ−Ｃｕｒｒｅｎｔ上の前記ＲＭＳＩに対する前記スケジューリング情報を含む前記ＰＤＣＣＨと連関されない前記ＳＳ／ＰＢＣＨブロックは、
第１周波数範囲に対して、{８，９，１０，１１，１２，１３，１４，１５}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数３】
2021508201.tif 000074
のフィールド；又は
第２周波数範囲に対して、{１２，１３，１４，１５}からの値に基づいた前記ＰＢＣＨのコンテンツ内の前記ｓｓｂ−ＳｕｂｃａｒｒｉｅｒＯｆｆｓｅｔのフィールドのうちの少なくとも一つによって示される、請求項１に記載の無線通信システムにおける基地局(ＢＳ)。
【請求項４】
前記ＲＭＳＩに対する前記スケジューリング情報を含む前記ＰＤＣＣＨを設定した他のＳＳ／ＰＢＣＨブロックが送信されない周波数範囲は、
第１キャリア周波数範囲に対して、１５の値を有する前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数４】
2021508201.tif 000075
のフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ  １６；又は
第２キャリア周波数範囲に対して、１５の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−  ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６のうちの少なくとも一つによって示されるが、
前記ｐｄｃｃｈ−ＣｏｎｆｉｇＳＩＢ１は前記ＰＢＣＨのコンテンツでの８ビット長さを含み、
前記ＲＭＳＩに対する前記スケジューリング情報を含む前記ＰＤＣＣＨを設定した他のＳＳ／ＰＢＣＨブロックが送信されない前記周波数範囲はｐｄｃｃｈ−ＣｏｎｆｉｇＳＩＢ１＝０である時のＧＳＣＮ−Ｃｕｒｒｅｎｔによって与えられる、請求項１に記載の無線通信システムにおける基地局(ＢＳ)。
【請求項５】
前記ＲＭＳＩに対する前記スケジューリング情報を含む前記ＰＤＣＣＨを設定した他の  ＳＳ／ＰＢＣＨブロックが送信される前記第２周波数位置は、
第１キャリア周波数範囲１に対して、{８，９，１０}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数５】
2021508201.tif 000076
のフィールドである時のＧＳＣＮ−Ｃｕｒｒｅｎｔ＋２５６＊(ｓｓｂ−ＳｕｂｃａｒｒｉｅｒＯｆｆｓｅｔ−８)＋ｐｄｃｃｈ−ＣｏｎｆｉｇＳＩＢ１＋１；
前記第１キャリア周波数範囲１に対して、{１１，１２，１３}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数６】
2021508201.tif 000077
のフィールドである時のＧＳＣＮ−Ｃｕｒｒｅｎｔ−２５６＊(ｓｓｂ−ＳｕｂｃａｒｒｉｅｒＯｆｆｓｅｔ−１１)−ｐｄｃｃｈ−ＣｏｎｆｉｇＳＩＢ１−１；
第２キャリア周波数範囲に対して、１２の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ＋ｐｄｃｃｈ−ＣｏｎｆｉｇＳＩＢ１＋１；又は
前記第２キャリア周波数範囲に対して、１３の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ  −ｐｄｃｃｈ−ＣｏｎｆｉｇＳＩＢ１−１うちの少なくとも一つによって示されるが、
前記ｐｄｃｃｈ−ＣｏｎｆｉｇＳＩＢ１は前記ＰＢＣＨのコンテンツで長さが８ビットであり、
前記ＳＳ／ＰＢＣＨブロックが前記決定されたＧＳＣＮ−Ｃｕｒｒｅｎｔ上の前記ＲＭＳＩに対する前記スケジューリング情報を含むＰＤＣＣＨを設定する時、前記プロセッサは前記ＳＳ／ＰＢＣＨブロックの多重化パターン及び前記ＰＤＣＣＨを含む制御リソースセット(ＣＯＲＥＳＥＴ)に基づいて前記ＲＭＳＩに対する前記スケジューリング情報を決定するようにさらに構成され、前記ＲＭＳＩに対する前記スケジューリング情報はＲＭＳＩに対する物理的ダウンリンク共有チャンネル(ＰＤＳＣＨ)の少なくとも時間ドメインリソース割り当てを含む、請求項１に記載の無線通信システムにおける基地局(ＢＳ)。
【請求項６】
無線通信システムにおけるユーザ装置(ＵＥ)であって、
基地局(ＢＳ)から、ダウンリンクチャンネルを介して第１周波数位置(ＧＳＣＮ−Ｃｕｒｒｅｎｔ)−前記ＧＳＣＮ−Ｃｕｒｒｅｎｔはグローバル同期化チャンネル番号(ＧＳＣＮ)によって決定される予め定義された同期化ラスタのセットに基づく−を用いるＰＢＣＨを含む同期化信号及び物理的ブロードキャストチャンネル(ＳＳ／ＰＢＣＨ)ブロックを受信するように構成された送受信機；及び
前記送受信機に動作可能に接続されたプロセッサとして、
受信されたＳＳ／ＰＢＣＨブロックに含まれたＰＢＣＨをデコーディングし；
デコーディングされたＰＢＣＨのコンテンツを識別し；
前記ＧＳＣＮ−Ｃｕｒｒｅｎｔ上のＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関される前記ＳＳ／ＰＢＣＨブロック、又は前記ＧＳＣＮ−Ｃｕｒｒｅｎｔ上の前記ＲＭＳＩに対する前記スケジューリング情報を含む前記ＰＤＣＣＨと連関されない前記ＳＳ／ＰＢＣＨブロックのうちの少なくとも一つに対する構成を決定し；
前記ＳＳ／ＰＢＣＨブロックが前記ＧＳＣＮ−Ｃｕｒｒｅｎｔ上の前記ＲＭＳＩに対する前記スケジューリング情報を含む前記ＰＤＣＣＨと連関されない時、前記ＲＭＳＩに対する前記スケジューリング情報を含む前記ＰＤＣＣＨを設定した他のＳＳ／ＰＢＣＨブロックが送信されず前記ＧＳＣＮに基づいて決定された周波数範囲、又は前記ＲＭＳＩに対する前記スケジューリング情報を含む前記ＰＤＣＣＨを設定した他のＳＳ／ＰＢＣＨブロックが送信される第２周波数位置(ＧＳＣＮ−Ｃｕｒｒｅｎｔは  ＧＳＣＮに基づいて決定される)のうちの少なくとも一つに対する構成を決定するように構成された、前記プロセッサを含む、無線通信システムにおけるユーザ装置(ＵＥ)。
【請求項７】
前記決定されたＧＳＣＮ−Ｃｕｒｒｅｎｔ上の前記ＲＭＳＩに対する前記スケジューリング情報を含む前記ＰＤＣＣＨと連関される前記ＳＳ／ＰＢＣＨブロックは、第１キャリア周波数範囲に対して、{０，１，２，３，４，５，６，７，８，９，１０，１１，１２，１３，１４，１５}からの値に基づいたＰＢＣＨのコンテンツ内のｓｓｂ−ＳｕｂｃａｒｒｉｅｒＯｆｆｓｅｔのフィールド及び０の値を有する前記ＰＢＣＨのコンテンツ内の
【数７】
2021508201.tif 000078
のフィールド；
前記第１キャリア周波数範囲に対して、{０，１，２，３，４，５，６，７}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数８】
2021508201.tif 000079
のフィールド；又は
第２キャリア周波数範囲に対して、{０，１，２，３，４，５，６，７，８，９，１０，１１}からの値に基づいた前記ＰＢＣＨのコンテンツ内のｓｓｂ−ＳｕｂｃａｒｒｉｅｒＯｆｆｓｅｔのフィールドのうちの少なくとも一つによって示される、請求項６に記載の無線通信システムにおけるユーザ装置(ＵＥ)。
【請求項８】
前記決定されたＧＳＣＮ−Ｃｕｒｒｅｎｔ上の前記ＲＭＳＩに対する前記スケジューリング情報を含む前記ＰＤＣＣＨと連関されない前記ＳＳ／ＰＢＣＨブロックは、
第１周波数範囲に対して、{８，９，１０，１１，１２，１３，１４，１５}からの値に基づいた前記ＰＢＣＨのコンテンツ内のｓｓｂ−ＳｕｂｃａｒｒｉｅｒＯｆｆｓｅｔのフィールド及び  １の値を有する前記ＰＢＣＨのコンテンツ内の
【数９】
2021508201.tif 000080
のフィールド；又は
第２周波数範囲に対して、{１２，１３，１４，１５}からの値に基づいた前記ＰＢＣＨのコンテンツ内の前記ｓｓｂ−ＳｕｂｃａｒｒｉｅｒＯｆｆｓｅｔのフィールドのうちの少なくとも一つによって示される、請求項６に記載の無線通信システムにおけるユーザ装置(ＵＥ)。
【請求項９】
前記ＲＭＳＩに対する前記スケジューリング情報を含む前記ＰＤＣＣＨを設定した他のＳＳ／ＰＢＣＨブロックが送信されない周波数範囲は、
第１キャリア周波数範囲に対して、１５の値を有する前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１０】
2021508201.tif 000081
のフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６；又は
第２キャリア周波数範囲に対して、１５の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６のうちの少なくとも一つによって示されるが、
前記ｐｄｃｃｈ−ＣｏｎｆｉｇＳＩＢ１は前記ＰＢＣＨのコンテンツでの８ビット長さを含み、
前記ＲＭＳＩに対する前記スケジューリング情報を含む前記ＰＤＣＣＨを設定した他のＳＳ／ＰＢＣＨブロックが送信されない前記周波数範囲はｐｄｃｃｈ−ＣｏｎｆｉｇＳＩＢ１＝０である時のＧＳＣＮ−Ｃｕｒｒｅｎｔによって与えられる、請求項６に記載の無線通信システムにおけるユーザ装置(ＵＥ)。
【請求項１０】
前記ＲＭＳＩに対する前記スケジューリング情報を含む前記ＰＤＣＣＨを設定した他のＳＳ／ＰＢＣＨブロックが送信される前記第２周波数位置は、
第１キャリア周波数範囲１に対して、{８，９，１０}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１１】
2021508201.tif 000082
のフィールドである時のＧＳＣＮ−Ｃｕｒｒｅｎｔ＋２５６＊(ｓｓｂ−ＳｕｂｃａｒｒｉｅｒＯｆｆｓｅｔ−８)＋ｐｄｃｃｈ−ＣｏｎｆｉｇＳＩＢ１＋１；
前記第１キャリア周波数範囲１に対して、{１１，１２，１３}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１２】
2021508201.tif 000083
のフィールドである時のＧＳＣＮ−Ｃｕｒｒｅｎｔ  −２５６＊(ｓｓｂ−ＳｕｂｃａｒｒｉｅｒＯｆｆｓｅｔ−１１)−ｐｄｃｃｈ−ＣｏｎｆｉｇＳＩＢ１−１；
第２キャリア周波数範囲に対して、１２の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ＋ｐｄｃｃｈ−ＣｏｎｆｉｇＳＩＢ１＋１；又は
前記第２キャリア周波数範囲に対して、１３の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−ｐｄｃｃｈ−ＣｏｎｆｉｇＳＩＢ１−１のうちの少なくとも一つによって示されるが、
前記ｐｄｃｃｈ−ＣｏｎｆｉｇＳＩＢ１は前記ＰＢＣＨのコンテンツで長さが８ビットであり、
前記ＳＳ／ＰＢＣＨブロックが前記決定されたＧＳＣＮ−Ｃｕｒｒｅｎｔ上の前記ＲＭＳＩに対する前記スケジューリング情報を含むＰＤＣＣＨを設定する時、前記プロセッサは前記ＳＳ／ＰＢＣＨブロックの多重化パターン及び前記ＰＤＣＣＨを含む制御リソースセット(ＣＯＲＥＳＥＴ)に基づいて前記ＲＭＳＩに対する前記スケジューリング情報を決定するようにさらに構成され、前記ＲＭＳＩに対する前記スケジューリング情報はＲＭＳＩに対する物理的ダウンリンク共有チャンネル(ＰＤＳＣＨ)の少なくとも時間ドメインリソース割り当てを含む、請求項６に記載の無線通信システムにおけるユーザ装置(ＵＥ)。
【請求項１１】
無線通信システムにおけるユーザ装置(ＵＥ)の方法であって、
基地局(ＢＳ)から、ダウンリンクチャンネルを介して第１周波数位置(ＧＳＣＮ−Ｃｕｒｒｅｎｔ)−前記ＧＳＣＮ−Ｃｕｒｒｅｎｔはグローバル同期化チャンネル番号(ＧＳＣＮ)によって決定される予め定義された同期化ラスタのセットに基づく−を用いるＰＢＣＨを含む同期化信号及び物理的ブロードキャストチャンネル(ＳＳ／ＰＢＣＨ)ブロックを受信する段階と、
受信されたＳＳ／ＰＢＣＨブロックに含まれたＰＢＣＨをデコーディングする段階と、
デコーディングされたＰＢＣＨのコンテンツを識別する段階と、
前記ＧＳＣＮ−Ｃｕｒｒｅｎｔ上のＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関される前記ＳＳ／ＰＢＣＨブロック、又は前記ＧＳＣＮ−Ｃｕｒｒｅｎｔ上の前記ＲＭＳＩに対する前記スケジューリング情報を含む前記ＰＤＣＣＨと連関されない前記ＳＳ／ＰＢＣＨブロックのうちの少なくとも一つに対する構成を決定する段階と、及び
前記ＳＳ／ＰＢＣＨブロックが前記ＧＳＣＮ−Ｃｕｒｒｅｎｔ上の前記ＲＭＳＩに対する前記スケジューリング情報を含む前記ＰＤＣＣＨと連関されない時、前記ＲＭＳＩに対する前記スケジューリング情報を含む前記ＰＤＣＣＨを設定した他のＳＳ／ＰＢＣＨブロックが送信されず前記ＧＳＣＮに基づいて決定された周波数範囲、又は前記ＲＭＳＩに対する前記スケジューリング情報を含む前記ＰＤＣＣＨを設定した他のＳＳ／ＰＢＣＨブロックが送信される第２周波数位置(ＧＳＣＮ−ＣｕｒｒｅｎｔはＧＳＣＮに基づいて決定される)のうちの少なくとも一つに対する構成を決定する段階と、を含む、無線通信システムにおけるユーザ装置(ＵＥ)の方法。
【請求項１２】
前記決定されたＧＳＣＮ−Ｃｕｒｒｅｎｔ上の前記ＲＭＳＩに対する前記スケジューリング情報を含む前記ＰＤＣＣＨと連関される前記ＳＳ／ＰＢＣＨブロックは、第１キャリア周波数範囲に対して、{０，１，２，３，４，５，６，７，８，９，１０，１１，１２，１３，１４，１５}からの値に基づいたＰＢＣＨのコンテンツ内のｓｓｂ−ＳｕｂｃａｒｒｉｅｒＯｆｆｓｅｔのフィールド及び０の値を有する前記ＰＢＣＨのコンテンツ内の
【数１３】
2021508201.tif 000084
のフィールド；
前記第１キャリア周波数範囲に対して、{０，１，２，３，４，５、６，７}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１４】
2021508201.tif 000085
のフィールド；又は
第２キャリア周波数範囲に対して、{０，１，２，３，４，５，６，７，８，９，１０，１１}からの値に基づいた前記ＰＢＣＨのコンテンツ内のｓｓｂ−ＳｕｂｃａｒｒｉｅｒＯｆｆｓｅｔのフィールドのうちの少なくとも一つによって示され、
前記ＳＳ／ＰＢＣＨブロックは前記決定されたＧＳＣＮ−Ｃｕｒｒｅｎｔ上の前記ＲＭＳＩに対する前記スケジューリング情報を含むＰＤＣＣＨを設定し、プロセッサは前記ＳＳ／ＰＢＣＨブロックの多重化パターン及び前記ＰＤＣＣＨを含む制御リソースセット(ＣＯＲＥＳＥＴ)に基づいて前記ＲＭＳＩに対する前記スケジューリング情報を決定するようにさらに構成され、前記ＲＭＳＩに対する前記スケジューリング情報はＲＭＳＩに対する物理的ダウンリンク共有チャンネル(ＰＤＳＣＨ)の少なくとも時間ドメインリソース割り当てを含む、請求項１１に記載の無線通信システムにおけるユーザ装置(ＵＥ)の方法。
【請求項１３】
前記決定されたＧＳＣＮ−Ｃｕｒｒｅｎｔ上の前記ＲＭＳＩに対する前記スケジューリング情報を含む前記ＰＤＣＣＨと連関されない前記ＳＳ／ＰＢＣＨブロックは、
第１周波数範囲に対して、{８，９，１０，１１，１２，１３，１４，１５}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１５】
2021508201.tif 000086
のフィールド；又は
第２周波数範囲に対して、{１２，１３，１４，１５}からの値に基づいた前記ＰＢＣＨのコンテンツ内の前記ｓｓｂ−ＳｕｂｃａｒｒｉｅｒＯｆｆｓｅｔのフィールドのうちの少なくとも一つによって示される、請求項１１に記載の無線通信システムにおけるユーザ装置(ＵＥ)の方法。
【請求項１４】
前記ＲＭＳＩに対する前記スケジューリング情報を含む前記ＰＤＣＣＨを設定した他のＳＳ／ＰＢＣＨブロックが送信されない周波数範囲は、
第１キャリア周波数範囲に対して、１５の値を有する前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１６】
2021508201.tif 000087
のフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ  １６；又は
第２キャリア周波数範囲に対して、１５の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６のうちの少なくとも一つによって示されるが、
前記ｐｄｃｃｈ−ＣｏｎｆｉｇＳＩＢ１は前記ＰＢＣＨのコンテンツでの８ビット長さを含み、
前記ＲＭＳＩに対する前記スケジューリング情報を含む前記ＰＤＣＣＨを設定した他のＳＳ／ＰＢＣＨブロックが送信されない前記周波数範囲はｐｄｃｃｈ−ＣｏｎｆｉｇＳＩＢ１＝０である時のＧＳＣＮ−Ｃｕｒｒｅｎｔによって与えられる、請求項１１に記載の無線通信システムにおけるユーザ装置(ＵＥ)の方法。
【請求項１５】
前記ＲＭＳＩに対する前記スケジューリング情報を含む前記ＰＤＣＣＨを設定した他のＳＳ／ＰＢＣＨブロックが送信される前記第２周波数位置は、
第１キャリア周波数範囲１に対して、{８，９，１０}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１７】
2021508201.tif 000088
のフィールドである時のＧＳＣＮ−Ｃｕｒｒｅｎｔ＋２５６＊(ｓｓｂ−ＳｕｂｃａｒｒｉｅｒＯｆｆｓｅｔ−８)＋ｐｄｃｃｈ−ＣｏｎｆｉｇＳＩＢ１＋１；
前記第１キャリア周波数範囲１に対して、{１１，１２，１３}からの値に基づいた前記ＰＢＣＨのコンテンツ内のｓｓｂ−ＳｕｂｃａｒｒｉｅｒＯｆｆｓｅｔのフィールド及び１の値を有する前記ＰＢＣＨのコンテンツ内の
【数１８】
2021508201.tif 000089
のフィールドである時のＧＳＣＮ−Ｃｕｒｒｅｎｔ−２５６＊(ｓｓｂ−ＳｕｂｃａｒｒｉｅｒＯｆｆｓｅｔ−１１)−ｐｄｃｃｈ−ＣｏｎｆｉｇＳＩＢ１−１；
第２キャリア周波数範囲に対して、１２の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ＋ｐｄｃｃｈ−ＣｏｎｆｉｇＳＩＢ１＋１；又は
前記第２キャリア周波数範囲に対して、１３の値を有する前記ＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ  −  ｐｄｃｃｈ−ＣｏｎｆｉｇＳＩＢ１−１のうちの少なくとも一つによって示され、
前記ｐｄｃｃｈ−ＣｏｎｆｉｇＳＩＢ１は前記ＰＢＣＨのコンテンツで長さが８ビットである、請求項１１に記載の無線通信システムにおけるユーザ装置(ＵＥ)の方法。
【発明の詳細な説明】
【技術分野】
【０００１】
本出願は、一般的に信号インディケーション(ｉｎｄｉｃａｔｉｏｎ)に関する。より具体的に、本開示は進歩された無線通信システム(ａｄｖａｎｃｅｄ  ｗｉｒｅｌｅｓｓ  ｃｏｍｍｕｎｉｃａｔｉｏｎ  ｓｙｓｔｅｍ)におけるＳＳ／ＰＢＣＨブロック周波数位置インディケーションに関する。
【背景技術】
【０００２】
４Ｇ通信システムの配置(ｄｅｐｌｏｙｍｅｎｔ)以後に増加された無線データトラフィック(ｗｉｒｅｌｅｓｓ  ｄａｔａ  ｔｒａｆｆｉｃ)に対する需要を満たすため、改善された５Ｇ又はプレ(ｐｒｅ)−５Ｇ通信システムを開発するための努力が行われた。したがって、５Ｇ又はプレ−５Ｇ通信システムは‘Ｂｅｙｏｎｄ  ４Ｇ  Ｎｅｔｗｏｒｋ’又は‘Ｐｏｓｔ  ＬＴＥ’とも呼ばれている。５Ｇ通信システムは高周波(ｍｍＷａｖｅ)帯域、例えば、６０ＧＨｚ帯域で具現され、より高いデータ速度を達成することで考慮される。無線波(ｒａｄｉｏ  ｗａｖｅ)の電波損失を減少させて、送信距離を増加させるため、ビームフォーミング(ｂｅａｍｆｏｒｍｉｎｇ)、大量ＭＩＭＯ(ｍａｓｓｉｖｅ  ｍｕｌｔｉｐｌｅ−ｉｎｐｕｔ  ｍｕｌｔｉｐｌｅ−ｏｕｔｐｕｔ)、ＦＤ−ＭＩＭＯ(Ｆｕｌｌ  Ｄｉｍｅｎｓｉｏｎａｌ  ＭＩＭＯ)、アレイアンテナ(ａｒｒａｙ  ａｎｔｅｎｎａ)、アナログビームフォーミング(ａｎａｌｏｇ  ｂｅａｍ  ｆｏｒｍｉｎｇ)、大規模アンテナ技術(ｌａｒｇｅ  ｓｃａｌｅ  ａｎｔｅｎｎａ  ｔｅｃｈｎｉｑｕｅｓ)は５Ｇ通信システムで論議される。さらに、５Ｇ通信システムにおいて、進歩された小型セル(ａｄｖａｎｃｅｄ  ｓｍａｌｌ  ｃｅｌｌ)、クラウドＲＡＮ(Ｒａｄｉｏ  Ａｃｃｅｓｓ  Ｎｅｔｗｏｒｋ)、超高密度ネットワーク(ｕｌｔｒａ−ｄｅｎｓｅ  ｎｅｔｗｏｒｋ)、Ｄ２Ｄ(ｄｅｖｉｃｅ−ｔｏ−ｄｅｖｉｃｅ)通信、無線バックホール(ｗｉｒｅｌｅｓｓ  ｂａｃｋｈａｕｌ)、移動ネットワーク(ｍｏｖｉｎｇ  ｎｅｔｗｏｒｋ)、協力通信(ｃｏｏｐｅｒａｔｉｖｅ  ｃｏｍｍｕｎｉｃａｔｉｏｎ)、ＣｏＭＰ(Ｃｏｏｒｄｉｎａｔｅｄ  Ｍｕｌｔｉ−Ｐｏｉｎｔ)、受信端干渉除去(ｒｅｃｅｐｔｉｏｎ−ｅｎｄ  ｉｎｔｅｒｆｅｒｅｎｃｅ  ｃａｎｃｅｌｌａｔｉｏｎ)などを基盤でシステムネットワーク改善のための開発が進行されつつある。５Ｇシステムにおいて、ＡＣＭ(ａｄｖａｎｃｅｄ  ｃｏｄｉｎｇ  ｍｏｄｕｌａｔｉｏｎ)としてハイブリッドＦＱＡＭ(ＦＳＫ  ａｎｄ  ＱＡＭ  ｍｏｄｕｌａｔｉｏｎ)、及び進歩されたアクセス技術としてＦＢＭＣ(ｆｉｌｔｅｒ  ｂａｎｋ  ｍｕｌｔｉ  ｃａｒｒｉｅｒ)、ＮＯＭＡ(ｎｏｎ−ｏｒｔｈｏｇｏｎａｌ  ｍｕｌｔｉｐｌｅ  ａｃｃｅｓｓ)及びＳＣＭＡ(ｓｐａｒｓｅ  ｃｏｄｅ  ｍｕｌｔｉｐｌｅ  ａｃｃｅｓｓ)が開発された。
【０００３】
人間が情報を生成して消費する人間中心の接続ネットワークであるインターネットは、もう事物(ｔｈｉｎｇｓ)のような分散されたエンティティー(ｄｉｓｔｒｉｂｕｔｅｄ  ｅｎｔｉｔｉｅｓ)が人間の介入(ｈｕｍａｎ  ｉｎｔｅｒｖｅｎｔｉｏｎ)無しに情報を交換して処理するＩｏＴ(Ｉｎｔｅｒｎｅｔ  ｏｆ  Ｔｈｉｎｇｓ)へ進化しつつある。クラウドサーバー(ｃｌｏｕｄ  ｓｅｒｖｅｒ)との接続を介してＩｏＴ技術とビッグデータ(Ｂｉｇ  Ｄａｔａ)処理技術の組み合わせであるＩｏＥ(Ｉｎｔｅｒｎｅｔ  ｏｆ  Ｅｖｅｒｙｔｈｉｎｇ)が登場した。“センシング技術(ｓｅｎｓｉｎｇ  ｔｅｃｈｎｏｌｏｇｙ)”、“有無線通信及びネットワークインフラ構造(ｗｉｒｅｄ／ｗｉｒｅｌｅｓｓ  ｃｏｍｍｕｎｉｃａｔｉｏｎ  ａｎｄ  ｎｅｔｗｏｒｋ  ｉｎｆｒａｓｔｒｕｃｔｕｒｅ)”、“サービスインターフェース技術(ｓｅｒｖｉｃｅ  ｉｎｔｅｒｆａｃｅ  ｔｅｃｈｎｏｌｏｇｙ)”及び“保安技術(Ｓｅｃｕｒｉｔｙ  ｔｅｃｈｎｏｌｏｇｙ)”のような技術要素がＩｏＴ具現のために要求されたことによって、センサーネットワーク(ｓｅｎｓｏｒ  ｎｅｔｗｏｒｋ)、Ｍ２Ｍ(Ｍａｃｈｉｎｅ−ｔｏ−Ｍａｃｈｉｎｅ)通信、ＭＴＣ(Ｍａｃｈｉｎｅ  Ｔｙｐｅ  Ｃｏｍｍｕｎｉｃａｔｉｏｎ)などは最近に研究されていた。このようなＩｏＴ環境は接続された事物の間に生成されたデータを収集して分析することによって人間の生活に新しい価値を創出する知能型インターネット技術サービス(ｉｎｔｅｌｌｉｇｅｎｔ  Ｉｎｔｅｒｎｅｔ  ｔｅｃｈｎｏｌｏｇｙ  ｓｅｒｖｉｃｅｓ)を提供することができる。ＩｏＴは既存の情報技術(Ｉｎｆｏｒｍａｔｉｏｎ  Ｔｅｃｈｎｏｌｏｇｙ；ＩＴ)と多様な産業用アプリケーションの間のコンバージェンス(ｃｏｎｖｅｒｇｅｎｃｅ)及び組み合せを介してスマートホーム(ｓｍａｒｔ  ｈｏｍｅ)、スマートビルディング(ｓｍａｒｔ  ｂｕｉｌｄｉｎｇ)、スマートシティ(ｓｍａｒｔ  ｃｉｔｙ)、スマートカー(ｓｍａｒｔ  ｃａｒ)又はコネクテッドカー(ｃｏｎｎｅｃｔｅｄ  ｃａｒ)、スマートグリッド(ｓｍａｒｔ  ｇｒｉｄ)、ヘルスケア(ｈｅａｌｔｈ  ｃａｒｅ)、スマート家電(ｓｍａｒｔ  ａｐｐｌｉａｎｃｅｓ)及び進歩された医療サービス(ａｄｖａｎｃｅｄ  ｍｅｄｉｃａｌ  ｓｅｒｖｉｃ
ｅｓ)を含む多様な分野に適用されることができる。
【０００４】
これによって、５Ｇ通信システムをＩｏＴネットワークに適用するための多様な試みが行われた。例えば、センサーネットワーク、ＭＴＣ(Ｍａｃｈｉｎｅ  Ｔｙｐｅ  Ｃｏｍｍｕｎｉｃａｔｉｏｎ)及びＭ２Ｍ(Ｍａｃｈｉｎｅ−ｔｏ−Ｍａｃｈｉｎｅ)通信のような技術はビームフォーミング、ＭＩＭＯ及びアレイアンテナによって具現されることができる。上述したビッグデータ処理技術としてのクラウドＲＡＮ(Ｒａｄｉｏ  Ａｃｃｅｓｓ  Ｎｅｔｗｏｒｋ)の適用はさらに５Ｇ技術とＩｏＴ技術の間の融合の一例として見なされることができる。
【０００５】
ＮＲ(ｎｅｗ  ｒａｄｉｏ)ライセンススペクトラム(ｌｉｃｅｎｓｅｄ  ｓｐｅｃｔｒｕｍ)の場合、それぞれの同期化及び物理的ブロードキャストチャンネル(ｐｈｙｓｉｃａｌ  ｂｒｏａｄｃａｓｔｉｎｇ  ｃｈａｎｎｅｌ、ＰＢＣＨ)信号ブロック(ＳＳ／ＰＢＣＨブロック)はＮＲ−ＰＳＳ(ＮＲ−ｐｒｉｍａｒｙ  ｓｙｎｃｈｒｏｎｉｚａｔｉｏｎ  ｓｉｇｎａｌ)に対する一つのシンボル、ＮＲ−ＰＢＣＨに対する２個のシンボル、及びＮＲ−ＳＳＳ(ＮＲ−ｓｅｃｏｎｄａｒｙ  ｓｙｎｃｈｒｏｎｉｚａｔｉｏｎ  ｓｉｇｎａｌ)及びＮＲ−ＰＢＣＨに対する一つのシンボルを含み、ここで４個のシンボルは連続的にマッピングされて時分割多重化される。ＮＲ−ＳＳはＮＲでサポートされたすべてのキャリア周波数範囲に対するＮＲ−ＰＳＳ及びＮＲ−ＳＳＳシーケンス設計を含む統合された設計である。ＮＲ−ＰＳＳ及びＮＲ−ＳＳＳの送信帯域幅は全体ＳＳ／ＰＢＣＨブロックの送信帯域幅より小さい。ＮＲセルに対する初期セル選択のために、ＵＥはデフォルトＳＳバーストセット周期性を２０ｍｓとして仮定し、非−独立型ＮＲセルを検出するために、ネットワークは周波数キャリア当たり一つのＳＳバーストセット周期性情報をＵＥに提供し、測定タイミング／持続時間を導出するための情報を提供する。マスター情報ブロック(ｍａｓｔｅｒ  ｉｎｆｏｒｍａｔｉｏｎ  ｂｌｏｃｋ、ＭＩＢ)の外に、残りの最小システム情報(ｒｅｍａｉｎｉｎｇ  ｍｉｎｉｍｕｍ  ｓｙｓｔｅｍ  ｉｎｆｏｒｍａｔｉｏｎ、ＲＭＳＩ)は相応する物理的ダウンリンク制御チャンネル(ｐｈｙｓｉｃａｌ  ｄｏｗｎｌｉｎｋ  ｃｏｎｔｒｏｌ  ｃｈａｎｎｅｌ、ＰＤＣＣＨ)によって搬送されるスケジューリング情報を有する物理的ダウンリンク共有チャンネル(ｐｈｙｓｉｃａｌ  ｄｏｗｎｌｉｎｋ  ｓｈａｒｅｄ  ｃｈａｎｎｅｌ、ＰＤＳＣＨ)によって搬送される。共通制御チャンネルを受信するための制御リソースセット(ｃｏｎｔｒｏｌ  ｒｅｓｏｕｒｃｅ  ｓｅｔ、ＣＯＲＥＳＥＴ)が設定される必要があって、ＰＢＣＨで送信されることができる。
【発明の概要】
【発明が解決しようとする課題】
【０００６】
本開示の実施形態は、進歩された無線通信システムにおいてＳＳ／ＰＢＣＨブロック周波数位置インディケーションを提供する。
【課題を解決するための手段】
【０００７】
一実施形態で、無線通信システムにおける基地局(ｂａｓｅ  ｓｔａｔｉｏｎ、ＢＳ)が提供される。ＢＳは、同期化信号及び物理的ブロードキャストチャンネル(ＳＳ／ＰＢＣＨ)ブロックを生成し、ＳＳ／ＰＢＣＨブロックを送信するためにグローバル同期化チャンネル番号(ｇｌｏｂａｌ  ｓｙｎｃｈｒｏｎｉｚａｔｉｏｎ  ｃｈａｎｎｅｌ  ｎｕｍｂｅｒ、ＧＳＣＮ)によって決定される予め定義された同期化ラスタ(ｓｙｎｃｈｒｏｎｉｚａｔｉｏｎ  ｒａｓｔｅｒ)のセットに基づいて第１周波数位置(ＧＳＣＮ−Ｃｕｒｒｅｎｔ)を識別し、ＧＳＣＮ−Ｃｕｒｒｅｎｔに基づいて、ＧＳＣＮ−Ｃｕｒｒｅｎｔ上のＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関されるＳＳ／ＰＢＣＨブロック、又はＧＳＣＮ−Ｃｕｒｒｅｎｔ上のＲＭＳＩに対するスケジューリング情報を含むＰＤＣＣＨと連関されないＳＳ／ＰＢＣＨブロックのうちの少なくとも一つに対する構成を決定し、ＳＳ／ＰＢＣＨブロックがＧＳＣＮ−Ｃｕｒｒｅｎｔ上のＲＭＳＩに対するスケジューリング情報を含むＰＤＣＣＨと連関されない時、ＲＭＳＩに対するスケジューリング情報を含むＰＤＣＣＨを設定した他のＳＳ／ＰＢＣＨブロックが送信されずＧＳＣＮに基づいて決定された周波数範囲、又はＲＭＳＩに対するスケジューリング情報を含むＰＤＣＣＨを設定した他のＳＳ／ＰＢＣＨブロックが送信されてＧＳＣＮに基づいて決定された第２周波数位置のうちの少なくとも一つを含む構成を決定し、決定された構成に基づいてＳＳ／ＰＢＣＨブロックに含まれたＰＢＣＨのコンテンツを識別するように構成されたプロセッサを含む。ＢＳはプロセッサに動作可能に接続された送受信機をさらに含み、送受信機はダウンリンクチャンネルを介してＧＳＣＮ−Ｃｕｒｒｅｎｔを用いるＰＢＣＨを含むＳＳ／ＰＢＣＨブロックをユーザ装置(ｕｓｅｒ  ｅｑｕｉｐｍｅｎｔ、ＵＥ)に送信するように構成される。
【０００８】
他の実施形態で、無線通信システムにおけるユーザ装置(ＵＥ)が提供される。ＵＥは、基地局(ＢＳ)から、ダウンリンクチャンネルを介して第１周波数位置(ＧＳＣＮ−Ｃｕｒｒｅｎｔ)  −ＧＳＣＮ−Ｃｕｒｒｅｎｔはグローバル同期化チャンネル番号(ＧＳＣＮ)によって決定される予め定義された同期化ラスタのセットに基づく−を用いるＰＢＣＨを含む同期化信号及び物理的ブロードキャストチャンネル(ＳＳ／ＰＢＣＨ)ブロックを受信するように構成された送受信機を含む。ＵＥは送受信機に動作可能に接続されたプロセッサをさらに含み、プロセッサは、ＳＳ／ＰＢＣＨブロックに含まれたＰＢＣＨをデコーディングし、デコーディングされたＰＢＣＨのコンテンツを識別し、ＧＳＣＮ−Ｃｕｒｒｅｎｔ上のＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関されるＳＳ／ＰＢＣＨブロック、又はＧＳＣＮ−Ｃｕｒｒｅｎｔ上のＲＭＳＩに対するスケジューリング情報を含むＰＤＣＣＨと連関されないＳＳ／ＰＢＣＨブロックのうちの少なくとも一つに対する構成を決定し、ＳＳ／ＰＢＣＨブロックがＧＳＣＮ−Ｃｕｒｒｅｎｔ上のＲＭＳＩに対するスケジューリング情報を含むＰＤＣＣＨと連関されない時、ＲＭＳＩに対するスケジューリング情報を含むＰＤＣＣＨを設定した他のＳＳ／ＰＢＣＨブロックが送信されずＧＳＣＮに基づいて決定された周波数範囲、又はＲＭＳＩに対するスケジューリング情報を含むＰＤＣＣＨを設定した他のＳＳ／ＰＢＣＨブロックが送信される第２周波数位置(ＧＳＣＮ−ＣｕｒｒｅｎｔはＧＳＣＮに基づいて決定される)のうちの少なくとも一つを含む構成を決定するように構成される。
【０００９】
また他の実施形態で、無線通信システムにおけるユーザ装置(ＵＥ)の方法が提供される。このような方法は、基地局(ＢＳ)から、ダウンリンクチャンネルを介して第１周波数位置(ＧＳＣＮ−Ｃｕｒｒｅｎｔ)−ＧＳＣＮ−Ｃｕｒｒｅｎｔはグローバル同期化チャンネル番号(ＧＳＣＮ)によって決定される予め定義された同期化ラスタのセットに基づく−を用いるＰＢＣＨを含む同期化信号及び物理的ブロードキャストチャンネル(ＳＳ／ＰＢＣＨ)ブロックを受信する段階と、受信されたＳＳ／ＰＢＣＨブロックに含まれたＰＢＣＨをデコーディングする段階と、デコーディングされたＰＢＣＨのコンテンツを識別する段階と、ＧＳＣＮ−Ｃｕｒｒｅｎｔ上のＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関されるＳＳ／ＰＢＣＨブロック、又はＧＳＣＮ−Ｃｕｒｒｅｎｔ上のＲＭＳＩに対するスケジューリング情報を含むＰＤＣＣＨと連関されないＳＳ／ＰＢＣＨブロックのうちの少なくとも一つに対する構成を決定する段階と、及びＳＳ／ＰＢＣＨブロックがＧＳＣＮ−Ｃｕｒｒｅｎｔ上のＲＭＳＩに対するスケジューリング情報を含むＰＤＣＣＨと連関されない時、ＲＭＳＩに対するスケジューリング情報を含むＰＤＣＣＨを設定した他のＳＳ／ＰＢＣＨブロックが送信されずＧＳＣＮに基づいて決定された周波数範囲、又はＲＭＳＩに対するスケジューリング情報を含むＰＤＣＣＨを設定した他のＳＳ／ＰＢＣＨブロックが送信される第２周波数位置(ＧＳＣＮ−ＣｕｒｒｅｎｔはＧＳＣＮに基づいて決定される)のうちの少なくとも一つを含む構成を決定する段階と、を含む。
【００１０】
他の技術的特徴は次の図面、説明及び請求項から通常の技術者に容易に明白である。
【００１１】
以下の詳細な説明する前に、本特許文書全体にかけて用いられた特定単語及び文句を定義することが有利することができる。用語“結合(ｃｏｕｐｌｅ)”及びこの派生語は２つ以上の要素が互い物理的に接触するか否かに関わらず２つ以上の要素の間のある直接又は間接通信を指す。用語“送信する”、“受信する”及び“通信する”だけではなくこの派生語は直接及び間接通信のいずれもを含む。用語“含む(ｉｎｃｌｕｄｅ)”及び“構成する(ｃｏｍｐｒｉｓｅ)”だけではなくこの派生語は制限無しに含むことを意味する。用語“又は”は包括的であり、及び／又はを意味する。語句“〜と関連された(ａｓｓｏｃｉａｔｅｄ ｗｉｔｈ)”だけではなくこの派生語は含んで(ｉｎｃｌｕｄｅ)、内に含まれて(ｉｎｃｌｕｄｅｄ ｗｉｔｈｉｎ)、と相互連結し(ｉｎｔｅｒｃｏｎｎｅｃｔ ｗｉｔｈ)、含有し(ｃｏｎｔａｉｎ)、内に含有され(ｂｅ ｃｏｎｔａｉｎｅｄ ｗｉｔｈｉｎ)、に又はと接続し(ｃｏｎｎｅｃｔ ｔｏ ｏｒ ｗｉｔｈ)、に又はと結合し(ｃｏｕｐｌｅ ｔｏ ｏｒ ｗｉｔｈ)、と通信可能し(ｂｅ ｃｏｍｍｕｎｉｃａｂｌｅ ｗｉｔｈ)、と協力し(ｃｏｏｐｅｒａｔｅ ｗｉｔｈ)、インタリーブし(ｉｎｔｅｒｌｅａｖｅ)、併置し(ｊｕｘｔａｐｏｓｅ)、に近づいて(ｂｅ ｐｒｏｘｉｍａｔｅ ｔｏ)、に又はとバウンディングされ(ｂｅ ｂｏｕｎｄ ｔｏ ｏｒ ｗｉｔｈ)、有し(ｈａｖｅ)、所有し(ｈａｖｅ ａ ｐｒｏｐｅｒｔｙ ｏｆ)、に又はと関係を有すること(ｈａｖｅ ａ ｒｅｌａｔｉｏｎｓｈｉｐ ｔｏ ｏｒ ｗｉｔｈ)などを意味する。用語“制御機”は少なくとも一つの動作を制御する任意のデバイス、システム又はこの一部を意味する。このような制御機はハードウェア又はハードウェア及びソフトウェアの組み合せ及び／又はファームウエアで具現されることができる。任意の特定制御機と連関された機能はローカル又は遠隔に中央集中化されたり分散されることができる。文句“少なくとも一つ(ａｔ ｌｅａｓｔ ｏｎｅ ｏｆ)”は、項目のリストと共に用いられる場合、羅列された項目中の一つ以上の異なる組み合せが用いられ、リスト内には一つ項目だけが必要であれば良いことを意味する。例えば、“Ａ、Ｂ及びＣのうちの少なくとも一つ”は次の組み合せ：Ａ、Ｂ、Ｃ、Ａ及びＢ、Ａ及びＣ、Ｂ及
びＣ、及びＡ及びＢ及びＣのうちのいずれか一つを含む。
【００１２】
さらに、後述する多様な機能は一つ以上のコンピュータープログラムによって具現されたりサポートされることができ、それぞれのコンピュータープログラムはコンピューター読取り可能プログラムコード(ｃｏｍｐｕｔｅｒｒｅａｄａｂｌｅｐｒｏｇｒａｍｃｏｄｅ)から形成され、コンピューター読取り可能な媒体(ｃｏｍｐｕｔｅｒｒｅａｄａｂｌｅｍｅｄｉｕｍ)で具現される。用語“アプリケーション”及び“プログラム”は適切なコンピューター読取り可能プログラムコードで具現のための適用された１つ以上のコンピュータープログラム、ソフトウェア構成要素、命令語セット、手続き、関数、客体、クラス、インスタンス、連関データ又はその一部を指称する。文句“コンピューター読取り可能プログラムコード”はソースコード、客体コード及び実行可能コードを含む任意のタイプのコンピューターコードを含む。文句“コンピューター読取り可能媒体”はＲОＭ(ｒｅａｄ ｏｎｌｙ ｍｅｍｏｒｙ)、ＲＡＭ(ｒａｎｄｏｍ ａｃｃｅｓｓ ｍｅｍｏｒｙ)、ハードディスクドライブ、コンパクトディスク(ＣＤ)、デジタルビデオディスク(ＤＶＤ)、又は任意の他のタイプのメモリーのようにコンピューターによりアクセスされることができる任意のタイプの媒体を含む。“非一時的”コンピューター読取り可能媒体は一時的、電気的又は他の信号を送信する有線、無線、光学、他の通信リンクを排除する。非一時的コンピューター読取り可能媒体はデータが永久的に記憶されることができる媒体、及び再記録可能光ディスク又は消去可能メモリーデバイスのようにデータが記憶され、後で上書きされることができる媒体を含む。
【００１３】
他の特定単語及び文句に対する定義は本特許文書全体にかけて提供される。通常の技術者は大部分の場合ではないがこのような定義がこのような定義された単語及び文句の以前及び以後の使用に適用されるということを理解しなければならない。
【発明の効果】
【００１４】
本開示の実施形態は進歩された無線通信システムにおいてＳＳ／ＰＢＣＨブロック周波数位置インディケーションを提供する。
【図面の簡単な説明】
【００１５】
本開示及びこの利点に対するより全体理解のために、同一な図面符号が同一な部分を示す添付された図面と連関して取られた次の説明に対する参照を行う。
【００１６】
【図１】本開示の実施形態による例示的な無線ネットワークを示す。
【図２】本開示の実施形態による例示的なｅＮＢを示す。
【図３】本開示の実施形態による例示的なＵＥを示す。
【図４Ａ】本開示の実施形態による直交周波数分割多重アクセス送信経路のハイレベルダイヤグラムを示す。
【図４Ｂ】本開示の実施形態による直交周波数分割多重アクセス受信経路のハイレベルダイヤグラムを示す。
【図５】本開示の実施形態によるサブフレームでのＰＤＳＣＨに対する送信機ブロック図を示す。
【図６】本開示の実施形態によるサブフレームでのＰＤＳＣＨに対する受信機ブロック図を示す。
【図７】本開示の実施形態によるサブフレームでのＰＵＳＣＨに対する送信機ブロック図を示す。
【図８】本開示の実施形態によるサブフレームでのＰＵＳＣＨに対する受信機ブロック図を示す。
【図９】本開示の実施形態によるＦＤＤ及びＴＤＤに対するＰＳＳ／ＳＳＳのマッピングのための例示的な時間ドメイン位置を示す。
【図１０】本開示の実施形態によるＲＭＳＩのＣＯＲＥＳＥＴと多重化された例示的なＳＳ／ＰＢＣＨブロックを示す。
【図１１】本開示の実施形態によるＵＥに対する方法のフローチャートを示す。
【図１２】本開示の実施形態によるＢＳに対する方法のフローチャートを示す。
【発明を実施するための形態】
【００１７】
以下、論議される図１乃至図１２、本特許文書で本開示の原理を説明するために用いられた多様な実施形態はただ例示のためのもので、どんなふうでも本開示の範囲を制限することで解釈されてはいけない。通常の技術者は本開示の原理が適切に配置された任意のシステム又はデバイスで具現されることができるということを理解することができる。
【００１８】
次の文書及び標準説明は本明細書に充分に説明されたように本開示に参照で統合される：３ＧＰＰ  ＴＳ  ３６.２１１ｖ１３.２.０,“Ｅ−ＵＴＲＡ、Ｐｈｙｓｉｃａｌ  ｃｈａｎｎｅｌｓ  ａｎｄ  ｍｏｄｕｌａｔｉｏｎ；”３ＧＰＰ  ＴＳ  ３６.２１２ｖ１３.２.０、“Ｅ−ＵＴＲＡ、Ｍｕｌｔｉｐｌｅｘｉｎｇ  ａｎｄ  Ｃｈａｎｎｅｌ  ｃｏｄｉｎｇ；”３ＧＰＰ  ＴＳ  ３６．２１３ｖ１３.２.０,“Ｅ−ＵＴＲＡ、Ｐｈｙｓｉｃａｌ  Ｌａｙｅｒ  Ｐｒｏｃｅｄｕｒｅｓ；”３ＧＰＰ  ＴＳ  ３６.３２１ｖ１３.２.０,“Ｅ−ＵＴＲＡ、Ｍｅｄｉｕｍ  Ａｃｃｅｓｓ  Ｃｏｎｔｒｏｌ  (ＭＡＣ)  ｐｒｏｔｏｃｏｌ  ｓｐｅｃｉｆｉｃａｔｉｏｎ；”ａｎｄ  ３ＧＰＰ  ＴＳ  ３６.３３１ｖ１３.２.０、“Ｅ−ＵＴＲＡ、Ｒａｄｉｏ  Ｒｅｓｏｕｒｃｅ  Ｃｏｎｔｒｏｌ  (ＲＲＣ)  ｐｒｏｔｏｃｏｌ  ｓｐｅｃｉｆｉｃａｔｉｏｎ。”
【００１９】
４Ｇ通信システムの配置以後に増加された無線データトラフィック(に対する要求を満たすため、改善した５Ｇ又はプレ−５Ｇ通信システムを開発するための努力が行われた。したがって、５Ｇ又はプレ−５Ｇ通信システムは‘Ｂｅｙｏｎｄ  ４Ｇ  Ｎｅｔｗｏｒｋ’又は‘Ｐｏｓｔ  ＬＴＥ  Ｓｙｓｔｅｍ’とも呼ばれる。
【００２０】
５Ｇ通信システムはさらに高周波(ｍｍＷａｖｅ)帯域、すなわち、６０ＧＨｚ帯域で具現され、よりと高いデータ速度を達成することで考慮される。無線波の電波損失を減少させて、送信カバレッジを増加させるために、ビームフォーミング、大量ＭＩＭＯ(ｍｕｌｔｉｐｌｅ−ｉｎｐｕｔ  ｍｕｌｔｉｐｌｅ−ｏｕｔｐｕｔ)、ＦＤ−ＭＩＭＯ(ｆｕｌｌ  ｄｉｍｅｎｓｉｏｎａｌ  ＭＩＭＯ)、アレイアンテナ、アナログビームフォーミング、大規模アンテナ技術などは５Ｇ通信システムで論議される。
【００２１】
さらに、５Ｇ通信システムにおいて進歩された小型セル、クラウドＲＡＮ(ｒａｄｉｏ  ａｃｃｅｓｓ  ｎｅｔｗｏｒｋ)、超高密度ネットワーク(ｕｌｔｒａ−ｄｅｎｓｅ  ｎｅｔｗｏｒｋ)、Ｄ２Ｄ(ｄｅｖｉｃｅ−ｔｏ−ｄｅｖｉｃｅ)通信、無線バックホール、移動ネットワーク、協力通信、ＣｏＭＰ(ｃｏｏｒｄｉｎａｔｅｄ  ｍｕｌｔｉ−ｐｏｉｎｔ)送受信、干渉緩和及び取り消しなどを基盤でシステムネットワーク改善のための開発が進行されつつある。
【００２２】
５Ｇシステムにおいて、ＡＭＣ(ａｄａｐｔｉｖｅ  ｍｏｄｕｌａｔｉｏｎ  ａｎｄ  ｃｏｄｉｎｇ)技術としてハイブリッドＦＱＡＭ(ｆｒｅｑｕｅｎｃｙ  ｓｈｉｆｔ  ｋｅｙｉｎｇ  ａｎｄ  ｑｕａｄｒａｔｕｒｅ  ａｍｐｌｉｔｕｄｅ  ｍｏｄｕｌａｔｉｏｎ)及びＳＷＳＣ(ｓｌｉｄｉｎｇ  ｗｉｎｄｏｗ  ｓｕｐｅｒｐｏｓｉｔｉｏｎ  ｃｏｄｉｎｇ)、及び進歩されたアクセス技術としてＦＢＭＣ(ｆｉｌｔｅｒ  ｂａｎｋ  ｍｕｌｔｉ  ｃａｒｒｉｅｒ)、ＮＯＭＡ(ｎｏｎ−ｏｒｔｈｏｇｏｎａｌ  ｍｕｌｔｉｐｌｅ  ａｃｃｅｓｓ)及びＳＣＭＡ(ｓｐａｒｓｅ  ｃｏｄｅ  ｍｕｌｔｉｐｌｅ  ａｃｃｅｓｓ)が開発された。
【００２３】
以下、図１乃至図４ｂは、無線通信システムにおいてＯＦＤＭ(ｏｒｔｈｏｇｏｎａｌ  ｆｒｅｑｕｅｎｃｙ  ｄｉｖｉｓｉｏｎ  ｍｕｌｔｉｐｌｅｘｉｎｇ)又はＯＦＤＭＡ(ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ)通信技術を用いて具現される多様な実施形態を説明する。図１乃至図３の説明は、相違する実施形態が具現されることができる方式に対する物理的又は構造的制限を意味しない。本開示の相違する実施形態は適切に配置された任意の通信システムで具現されることができる。
【００２４】
図１は、本開示による例示的な無線ネットワーク１００を示す。図１に示された無線ネットワーク１００の実施形態は例示だけのためのことである。無線ネットワーク１００の他の実施形態は本開示の範囲を逸脱せず用いられることができる。
【００２５】
図１に示されたように、無線ネットワーク１００はｅＮＢ１０１、ｅＮＢ１０２及びｅＮＢ１０３を含む。ｅＮＢ１０１はｅＮＢ１０２及びｅＮＢ１０３と通信する。ｅＮＢ１０１はさらにインターネット、独占的ＩＰ(Ｉｎｔｅｒｎｅｔ  Ｐｒｏｔｏｃｏｌ)ネットワーク又は他のデータネットワークのような少なくとも一つのネットワーク１３０と通信する。
【００２６】
ｅＮＢ１０２はｅＮＢ１０２のカバレッジ領域１２０内の第１複数のＵＥに対するネットワーク１３０に無線広帯域アクセス(ｗｉｒｅｌｅｓｓ  ｂｒｏａｄｂａｎｄ  ａｃｃｅｓｓ)を提供する。第１複数のＵＥは小企業(ｓｍａｌｌ  ｂｕｓｉｎｅｓｓ；ＳＢ)に位置されることができるＵＥ１１１；企業(ｅｎｔｅｒｐｒｉｓｅ；Ｅ)に位置されることができるＵＥ１１２；ＷｉＦｉホットスポット(ｈｏｔｓｐｏｔ；ＨＳ)に位置されることができるＵＥ１１３；第１居住地(ｒｅｓｉｄｅｎｃｅ；Ｒ)に位置されることができるＵＥ１１４；第２居住地(Ｒ)に位置されることができるＵＥ１１５；及びセルフォン(ｃｅｌｌ  ｐｈｏｎｅ)、無線ラップトップ(ｗｉｒｅｌｅｓｓ  ｌａｐｔｏｐ)、無線ＰＤＡなどのようなモバイルデバイス(ｍｏｂｉｌｅ  ｄｅｖｉｃｅ)(Ｍ)であることがあるＵＥ１１６を含む。ｅＮＢ１０３はｅＮＢ１０３のカバレッジ領域１２５内の第２複数のＵＥに対するネットワーク１３０に無線広帯域アクセスを提供する。第２複数のＵＥはＵＥ１１５及びＵＥ１１６を含む。一部実施形態で、ｅＮＢ１０１−１０３のうちの一つ以上は互いに通信し、５Ｇ、ＬＴＥ、ＬＴＥ−Ａ、ＷｉＭＡＸ、ＷｉＦｉ又は他の無線通信技術を用いてＵＥ１１１−１１６と通信することができる。
【００２７】
ネットワークタイプによって、用語“基地局”又は“ＢＳ”は送信ポイント(ｔｒａｎｓｍｉｔ  ｐｏｉｎｔ、ＴＰ)、送受信ポイント(ｔｒａｎｓｍｉｔ−ｒｅｃｅｉｖｅ  ｐｏｉｎｔ、ＴＲＰ)、強化された基地局(ｅｎｈａｎｃｅｄ  ｂａｓｅ  ｓｔａｔｉｏｎ、ｅＮｏｄｅＢ又はｅＮＢ)、ｇＮＢ、マクロセル(ｍａｃｒｏｃｅｌｌ)、フェムトセル(ｆｅｍｔｏｃｅｌｌ)、ＷｉＦｉアクセスポイント(ａｃｃｅｓｓ  ｐｏｉｎｔ、ＡＰ)又は他の無線可能なデバイス(ｗｉｒｅｌｅｓｓｌｙ  ｅｎａｂｌｅｄ  ｄｅｖｉｃｅ)のようにネットワークに無線アクセスを提供するように構成された任意の構成要素(又は構成要素の集め)を指称することができる。基地局は一つ以上の無線通信プロトコル(ｗｉｒｅｌｅｓｓ  ｃｏｍｍｕｎｉｃａｔｉｏｎ  ｐｒｏｔｏｃｏｌ)、例えば、５Ｇ  ３ＧＰＰ  ＮＲ(ｎｅｗ  ｒａｄｉｏ  ｉｎｔｅｒｆａｃｅ／ａｃｃｅｓｓ)、ＬＴＥ(ｌｏｎｇ  ｔｅｒｍ  ｅｖｏｌｕｔｉｏｎ)、ＬＴＥ−Ａ(ＬＴＥ−ａｄｖａｎｃｅｄ)、高速パケットアクセス(ｈｉｇｈ  ｓｐｅｅｄ  ｐａｃｋｅｔ  ａｃｃｅｓｓ、ＨＳＰＡ)、Ｗｉ−Ｆｉ８０２.１１ａ／ｂ／ｇ／ｎ／ａｃなどによって無線アクセスを提供することができる。便宜上、用語“ｅＮｏｄｅＢ“及び“ｅＮＢ”は本特許文書で遠隔端末機(ｒｅｍｏｔｅ  ｔｅｒｍｉｎａｌ)に無線アクセスを提供するネットワークインフラ構成要素(ｎｅｔｗｏｒｋ  ｉｎｆｒａｓｔｒｕｃｔｕｒｅ  ｃｏｍｐｏｎｅｎｔ)を示すのに用いられる。また、ネットワークタイプによって、“移動局“、“加入者局(ｓｕｂｓｃｒｉｂｅｒ  ｓｔａｔｉｏｎ)“、“遠隔端末機”、“無線端末機“又は“ユーザデバイス”のような“ユーザ装置”又は“ＵＥ”の代りに他のよく知られた用語が用いられることができる。便宜上、用語“ユーザ装置“及び“ＵＥ”は本特許文書でＵＥが(移動電話又はスマートフォンのような)モバイルデバイスであるか、若しくは一般的に(デスクトップコンピュータ(ｄｅｓｋｔｏｐ  ｃｏｍｐｕｔｅｒ)又は自動販売機(ｖｅｎｄｉｎｇ  ｍａｃｈｉｎｅ)のような)固定デバイス(ｓｔａｔｉｏｎａｒｙ  ｄｅｖｉｃｅ)で見なされるかにかかわらずｅＮＢに無線にアクセスする遠隔無線装置を指称するのに用いられる。
【００２８】
点線は例示及び説明のみのためにほとんど円形に示されるカバレッジ領域１２０及び１２５の大略的な範囲を示す。カバレッジ領域１２０及び１２５のようなｇＮＢに係るカバレッジ領域はｇＮＢの設定及び自然的及び人工的妨害物(ｍａｎ−ｍａｄｅｏｂｓｔｒｕｃｔｉｏｎ)に係る無線環境の変化に従って不規則な形状を含む他の形状を有することができるということが明確に理解されなければならない。
【００２９】
以下でより詳細に説明されるように、一つ以上のＵＥ１１１−１１６は効率的なＳＳ／ＰＢＣＨブロック周波数位置インディケーションのための回路、プログラミング又はこの組み合せを含む。特定実施形態で、一つ以上のｅＮＢ１０１−１０３は効率的なＳＳ／ＰＢＣＨブロック周波数位置インディケーションのための回路、プログラミング又はこの組み合せを含む。
【００３０】
図１は、無線ネットワーク１００の一例を示すが、図１に対する多様な変更を行うことができる。例えば、無線ネットワーク１００は任意の数のｅＮＢ及び任意の数のＵＥを任意の適切な配置に含ませることができる。また、ｅＮＢ１０１は任意の数のＵＥと直接通信することができ、ネットワーク１３０に対する無線広帯域アクセスをこのようなＵＥに提供することができる。類似に、それぞれのｅＮＢ１０２−１０３はネットワーク１３０と直接通信することができ、ネットワークに対する直接無線広帯域アクセスをＵＥに提供することができる。さらに、ｅＮＢ１０１、１０２及び／又は１０３は外部電話ネットワーク又は他のタイプのデータネットワークのような他の又は付加的な外部ネットワークに対するアクセスを提供することができる。
【００３１】
図２は、本開示の実施形態による例示的なｅＮＢ１０２を示す。図２に示されたｅＮＢ１０２の実施形態はただ例示のためのことで、図１のｅＮＢ１０１及び１０３は同一又は類似の構成を有することができる。しかし、ｅＮＢは多様な構成を有し、図２は本開示の範囲をｅＮＢの任意の特定具現で制限しない。
【００３２】
図２に示されたように、ｅＮＢ１０２は多数のアンテナ２０５ａ−２０５ｎ、多数のＲＦ送受信機２１０ａ−２１０ｎ、送信(ｔｒａｎｓｍｉｔ、ＴＸ)処理回路２１５及び受信(ｒｅｃｅｉｖｅ、ＲＸ)処理回路２２０を含む。ｅＮＢ１０２はさらに制御機／プロセッサ２２５、メモリー２３０及びバックホールを又はネットワークインターフェース２３５を含む。
【００３３】
ＲＦ送受信機２１０ａ−２１０ｎはアンテナ２０５ａ−２０５ｎから、ネットワーク１００でＵＥによって送信された信号のような入る(ｉｎｃｏｍｉｎｇ)ＲＦ信号を受信する。ＲＦ送受信機２１０ａ−２１０ｎはＩＦ又は基底帯域信号を生成するように入るＲＦ信号を下向き変換させる。ＩＦ又は基底帯域信号(ｂａｓｅｂａｎｄ  ｓｉｇｎａｌ)は基底帯域又はＩＦ信号をフィルタリング、デコーディング及び／又はデジタル化することによって処理された基底帯域信号を生成するＲＸ処理回路２２０で送信される。ＲＸ処理回路２２０は処理された基底帯域信号を追加の処理のための制御機／プロセッサ２２５で送信する。
【００３４】
ＴＸ処理回路２１５は制御機／プロセッサ２２５から(音声データ(ｖｏｉｃｅ  ｄａｔａ)、ウェブデータ、電子メール又は対話形ビデオゲームデータ(ｉｎｔｅｒａｃｔｉｖｅ  ｖｉｄｅｏ  ｇａｍｅ  ｄａｔａ)のような)アナログ又はデジタルデータを受信する。ＴＸ処理回路２１５は処理された基底帯域又はＩＦ信号を生成するために出る(ｏｕｔｇｏｉｎｇ)基底帯域データをエンコーディング、マルチプレクシング及び／又はデジタル化する。ＲＦ送受信機２１０ａ−２１０ｎはＴＸ処理回路２１５から出る処理された基底帯域又はＩＦ信号を受信し、基底帯域又はＩＦ信号をアンテナ２０５ａ−２０５ｎを介して送信されるＲＦ信号でアップコンバートする。
【００３５】
制御機／プロセッサ２２５はｅＮＢ１０２の全体動作を制御する一つ以上のプロセッサ又は他の処理デバイスを含むことができる。例えば、制御機／プロセッサ２２５はよく知られた原理によってＲＦ送受信機(２１０ａ−２１０ｎ)、ＲＸ処理回路２２０及びＴＸ処理回路２１５によって順方向チャンネル信号(ｆｏｒｗａｒｄ  ｃｈａｎｎｅｌ  ｓｉｇｎａｌ)の受信及び逆方向チャンネル信号(ｒｅｖｅｒｓｅ  ｃｈａｎｎｅｌ  ｓｉｇｎａｌ)の送信を制御することができる。制御機／プロセッサ２２５はより進歩された無線通信機能のような付加的な機能をさらにサポートすることができる。例えば、制御機／プロセッサ２２５は多数のアンテナ２０５ａ−２０５ｎからの出る信号が望む方向に出る信号を効果的に操縦(ｓｔｅｅｒｉｎｇ)するように異なるように加重されるビームフォーミング又は志向性ルーティング動作(ｄｉｒｅｃｔｉｏｎａｌ  ｒｏｕｔｉｎｇ  ｏｐｅｒａｔｉｏｎ)をサポートすることができる。多様な他の機能の中で任意の機能は制御機／プロセッサ２２５によってｅＮＢ１０２でサポートされることができる。
【００３６】
制御機／プロセッサ２２５はさらにＯＳのようなメモリー２３０に常住するプログラム及び他のプロセスを行うことができる。制御機／プロセッサ２２５は実行プロセスによって要求されるようにメモリー２３０内外でデータを移動させることができる。
【００３７】
制御機／プロセッサ２２５はさらにバックホールを又はネットワークインターフェース２３５に結合される。バックホールを又はネットワークインターフェース２３５はｅＮＢ１０２がバックホールを接続(ｂａｃｋｈａｕｌ  ｃｏｎｎｅｃｔｉｏｎ)又はネットワークを介して他のデバイス又はシステムと通信するように許容する。インターフェース２３５は任意の適切な有線又は無線接続を通じる通信をサポートすることができる。例えば、ｅＮＢ１０２が(５Ｇ、ＬＴＥ又はＬＴＥ−Ａをサポートすることのような)セルラー通信システム(ｃｅｌｌｕｌａｒｃｏｍｍｕｎｉｃａｔｉｏｎ  ｓｙｓｔｅｍ)の部分として具現される時、インターフェース２３５はｅＮＢ１０２が有線又は無線バックホール接続を介して他のｅＮＢと通信するように許容することができる。ｅＮＢ１０２がアクセスポイントとして具現される時、インターフェース２３５はｅＮＢ１０２が有線又は無線ローカル領域ネットワーク(ｌｏｃａｌ  ａｒｅａ  ｎｅｔｗｏｒｋ)又は有線又は無線接続を介して(インターネットのような)より大きいネットワークで通信するように許容することができる。インターフェース２３５はイーサーネット(Ｅｔｈｅｒｎｅｔ)又はＲＦ送受信機のような有線又は無線接続を通じる通信をサポートする任意の適切な構造を含む。
【００３８】
メモリー２３０は制御機／プロセッサ２２５に結合される。メモリー２３０の部分はＲＡＭを含むことができ、メモリー２３０の他の部分はフラッシュメモリー(Ｆｌａｓｈ  ｍｅｍｏｒｙ)又は他のＲＯＭを含むことができる。
【００３９】
図２は、ｅＮＢ１０２の一例を示すが、図２に対する多様な変更を行うことができる。例えば、ｅＮＢ１０２は図２に示された任意の数のそれぞれの構成要素を含むことができる。特定例として、アクセスポイントは多数のインターフェース２３５を含むことができ、制御機／プロセッサ２２５は異なるネットワークアドレス(ｎｅｔｗｏｒｋ  ａｄｄｒｅｓｓ)の間でデータをルーティングするルーティング機能(ｒｏｕｔｉｎｇ  ｆｕｎｃｔｉｏｎ)をサポートすることができる。他の特定例として、ＴＸ処理回路２１５の単一インスタンス(ｉｎｓｔａｎｃｅ)及びＲＸ処理回路２２０の単一インスタンスを含むことで示されているが、ｅＮＢ１０２は(ＲＦ送受信機当たり一つのような)それぞれの多数のインスタンスを含むことができる。また、図２の多様な構成要素は組み合せるか、よりと細分化されるか、省略されることができ、特定必要によって付加的な構成要素が付加されることができる。
【００４０】
図３は、本開示の実施形態による例示的なＵＥ１１６を示す。図３に示されたＵＥ１１６の実施形態はただ例示のためのことで、図１のＵＥ１１１−１１５は同一又は類似の設定を有しても良い。しかし、ＵＥは多様な設定を有し、図３は本開示の範囲をＵＥの任意の特定具現で制限しない。
【００４１】
図３に示されたように、ＵＥ１１６はアンテナ３０５、無線周波数(ｒａｄｉｏ  ｆｒｅｑｕｅｎｃｙ；ＲＦ)送受信機３１０、ＴＸ処理回路３１５、マイクロホン３２０及び受信(ＲＸ)処理回路３２５を含む。ＵＥ１１６はさらにスピーカー３３０、プロセッサ３４０、入出力(ｉｎｐｕｔ／ｏｕｔｐｕｔ、Ｉ／Ｏ)インターフェース(ｉｎｔｅｒｆａｃｅ；ＩＦ)３４５、タッチスクリーン(ｔｏｕｃｈｓｃｒｅｅｎ)３５０、ディスプレー３５５及びメモリー３６０を含む。メモリー３６０はＯＳ(ｏｐｅｒａｔｉｎｇ  ｓｙｓｔｅｍ)３６１及び一つ以上のアプリケーション３６２を含む。
【００４２】
ＲＦ送受信機３１０は、アンテナ３０５からネットワーク１００のｅＮＢによって送信された入るＲＦ信号を受信する。ＲＦ送受信機３１０は中間周波数(ｉｎｔｅｒｍｅｄｉａｔｅ  ｆｒｅｑｕｅｎｃｙ；ＩＦ)又は基底帯域信号を生成するために入るＲＦ信号をダウンコンバートする。ＩＦ又は基底帯域信号は基底帯域又はＩＦ信号をフィルタリング、デコーディング及び／又はデジタル化することによって処理された基底帯域信号を生成するＲＸ処理回路３２５に送信される。ＲＸ処理回路３２５は処理された基底帯域信号を(音声データのような)スピーカー３３０又は(ウェブブラウジングデータ(ｗｅｂ  ｂｒｏｗｓｉｎｇ  ｄａｔａ)のような)追加の処理のためのプロセッサ３４０で送信する。
【００４３】
ＴＸ処理回路３１５はマイクロホン３２０からアナログ又はデジタル音声データを受信するかプロセッサ３４０から(ウェブデータ、電子メール又は対話型ビデオゲームデータのような)他の出る基底帯域データを受信する。ＴＸ処理回路３１５は処理された基底帯域又はＩＦ信号を生成するために出る基底帯域データをエンコーディング、マルチプレクシング及び／又はデジタル化する。ＲＦ送受信機３１０はＴＸ処理回路３１５から出る処理された基底帯域又はＩＦ信号を受信し、基底帯域又はＩＦ信号をアンテナ３０５を介して送信されるＲＦ信号でアップコンバートする。
【００４４】
プロセッサ３４０は一つ以上のプロセッサ又は他の処理デバイスを含むことができ、ＵＥ１１６の全体動作を制御するためにメモリー３６０に記憶されたＯＳ３６１を行うことができる。例えば、プロセッサ３４０はよく知られた原理によってＲＦ送受信機３１０、ＲＸ処理回路３２５及びＴＸ処理回路３１５によって順方向チャンネル信号の受信及び逆方向チャンネル信号の送信を制御することができる。一部実施形態で、プロセッサ３４０は少なくとも一つのマイクロプロセッサ又はマイクロ制御機を含む。
【００４５】
プロセッサ３４０はさらにアップリンクチャンネル上でＣＳＩ報告のためのプロセスのようにメモリー３６０に常在する他のプロセス及びプログラムを行うことができる。プロセッサ３４０は実行プロセス(ｅｘｅｃｕｔｉｎｇ  ｐｒｏｃｅｓｓ)によって要求されるようにメモリー３６０内外でデータを移動させることができる。一部実施形態で、プロセッサ３４０はＯＳ３６１に基づくかｅＮＢ又はオペレーターから受信された信号に応答してアプリケーション３６２を行うように構成される。プロセッサ３４０はさらにラップトップコンピューター及びハンドヘルドコンピューター(ｈａｎｄｈｅｌｄ  ｃｏｍｐｕｔｅｒ)のような他のデバイスに接続する能力をＵＥ１１６に提供するＩ／Ｏインターフェース３４５に結合される。Ｉ／Ｏインターフェース３４５はこのようなアクセサリー(ａｃｃｅｓｓｏｒｙ)とプロセッサ３４０の間の通信経路(ｃｏｍｍｕｎｉｃａｔｉｏｎ  ｐａｔｈ)である。
【００４６】
プロセッサ３４０はさらにタッチスクリーン３５０及びディスプレー３５５に結合される。ＵＥ１１６のオペレーターはタッチスクリーン３５０を用いてデータをＵＥ１１６に入力することができる。ディスプレー３５５は液晶ディスプレー(ｌｉｑｕｉｄ  ｃｒｙｓｔａｌ  ｄｉｓｐｌａｙ)、発光ダイオードディスプレー(ｌｉｇｈｔ  ｅｍｉｔｔｉｎｇ  ｄｉｏｄｅ  ｄｉｓｐｌａｙ)、又はウェブサイト(ｗｅｂ  ｓｉｔｅ)のようにテキスト及び／又は少なくとも制限されたグラフィックをレンダリング(ｒｅｎｄｅｒｉｎｇ)できる他のディスプレーであれば良い。
【００４７】
メモリー３６０はプロセッサ３４０に結合される。メモリー３６０の一部はランダムアクセスメモリー(ｒａｎｄｏｍ  ａｃｃｅｓｓ  ｍｅｍｏｒｙ；ＲＡＭ)を含むことができ、メモリー３６０の他の部分はフラッシュメモリー又は他の判読専用メモリー(ｒｅａｄ−ｏｎｌｙ  ｍｅｍｏｒｙ；ＲＯＭ)を含むことができる。
【００４８】
図３は、ＵＥ１１６の一例を示すが、図３に対する多様な変更を行うことができる。例えば、図３の多様な構成要素は組み合せるか、より細分化されるか、省略されることができ、特定必要によって付加的な構成要素が付加されることができる。特定例として、プロセッサ３４０は一つ以上の中央処理ユニット(ｃｅｎｔｒａｌ  ｐｒｏｃｅｓｓｉｎｇ  ｕｎｉｔ；ＣＰＵ)及び一つ以上のグラフィック処理ユニット(ｇｒａｐｈｉｃｓ  ｐｒｏｃｅｓｓｉｎｇ  ｕｎｉｔ；ＧＰＵ)のような多数のプロセッサに分割されることができる。また、図３は移動電話又はスマートフォンとして設定されたＵＥ１１を示すが、ＵＥは他のタイプの移動又は固定デバイスとして動作するように設定されることができる。
【００４９】
図４ａは、送信経路回路(ｔｒａｎｓｍｉｔ  ｐａｔｈ  ｃｉｒｃｕｉｔｒｙ)４００のハイレベルダイヤグラムである。例えば、送信経路回路４００はＯＦＤＭＡ(ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ)通信のために用いられることができる。図４ｂは、受信経路回路(ｒｅｃｅｉｖｅ  ｐａｔｈ  ｃｉｒｃｕｉｔｒｙ)４５０のハイレベルダイヤグラムである。例えば、受信経路回路４５０はＯＦＤＭＡ通信のために用いられることができる。図４ａ及び図４ｂで、ダウンリンク通信のために、送信経路回路４００は基地局(ｅＮＢ)１０２又はＲＳ(ｒｅｌａｙ  ｓｔａｔｉｏｎ)で具現されることができ、受信経路回路４５０はユーザ装置(例えば、図１のユーザ装置１１６)で具現されることができる。他の例で、アップリンク通信のために、受信経路回路４５０は基地局(例えば、図１のｅＮＢ１０２)又はＲＳで具現されることができ、送信経路回路４００はユーザ装置(例えば、図１のユーザ装置１１６)で具現されることができる。
【００５０】
送信経路回路はチャンネルコーディング及び変調ブロック(ｃｈａｎｎｅｌ  ｃｏｄｉｎｇ  ａｎｄ  ｍｏｄｕｌａｔｉｏｎ  ｂｌｏｃｋ)４０５、直列対並列(ｓｅｒｉａｌ−ｔｏ−ｐａｒａｌｌｅｌ；Ｓ−ｔｏ−Ｐ)ブロック４１０、大きさＮ逆高速フーリエ変換(Ｉｎｖｅｒｓｅ  Ｆａｓｔ  Ｆｏｕｒｉｅｒ  Ｔｒａｎｓｆｏｒｍ；ＩＦＦＴ)ブロック４１５、並列対直列(ｐａｒａｌｌｅｌ−ｔｏ−ｓｅｒｉａｌ；Ｐ−ｔｏ−Ｓ)ブロック４２０、付加循環プレフィックスブロック(ａｄｄ  ｃｙｃｌｉｃ  ｐｒｅｆｉｘ  ｂｌｏｃｋ)４２５及びアップコンバーター(ｕｐ−ｃｏｎｖｅｒｔｅｒ；ＵＣ)４３０を含む。受信経路回路４５０はダウンコンバーター(ｄｏｗｎ−ｃｏｎｖｅｒｔｅｒ；ＤＣ)４５５、除去循環プレフィックスブロック(ｒｅｍｏｖｅ  ｃｙｃｌｉｃ  ｐｒｅｆｉｘ  ｂｌｏｃｋ)４６０、直列対並列(Ｓ−ｔｏ−Ｐ)ブロック４６５、大きさＮ高速フーリエ変換(Ｆａｓｔ  Ｆｏｕｒｉｅｒ  Ｔｒａｎｓｆｏｒｍ；ＦＦＴ)ブロック４７０、並列対直列(Ｐ−ｔｏ−Ｓ)ブロック４７５、及びチャンネルデコーディング及び復調ブロック(ｃｈａｎｎｅｌ  ｄｅｃｏｄｉｎｇ  ａｎｄ  ｄｅｍｏｄｕｌａｔｉｏｎ  ｂｌｏｃｋ)４８０を含む。
【００５１】
図４ａ(４００及び４ｂ４５０)における構成要素のうちの少なくとも一部はソフトウェアで具現されることができるが、他の構成要素は設定可能なハードウェア又はソフトウェア及び設定可能なハードウェアの混合によって具現されることができる。特に、本開示文書で説明されたＦＦＴブロック及びＩＦＦＴブロックは設定可能なソフトウェアアルゴリズムとして具現されることができ、ここで大きさＮの値は具現によって修正されることができるということが注目される。
【００５２】
さらに、本開示は高速フーリエ変換及び逆高速フーリエ変換を具現する実施形態に関するが、これはただ例示のためのことで、本開示の範囲を制限することで解釈されてはいけない。本開示の代案的な実施形態で、高速フーリエ変換関数及び逆高速フーリエ変換関数はそれぞれ離散フーリエ変換(ｄｉｓｃｒｅｔｅ  Ｆｏｕｒｉｅｒ  ｔｒａｎｓｆｏｒｍ；ＤＦＴ)関数及び逆離散フーリエ変換(ｉｎｖｅｒｓｅ  ｄｉｓｃｒｅｔｅ  Ｆｏｕｒｉｅｒ  ｔｒａｎｓｆｏｒｍ；ＩＤＦＴ)関数で容易に取り替えられることができるということが理解されるだろう。ＤＦＴ及びＩＤＦＴ関数に対して、Ｎ変数の値は任意の整数(すなわち、１、４、３、４など)であれば良いが、ＦＦＴ及びＩＦＦＴ関数に対しては、Ｎ変数の値は累乗である任意の整数(すなわち、１、２、４、８、１６など)であれば良い。
【００５３】
送信経路回路４００で、チャンネルコーディング及び変調ブロック４０５は一セットの情報ビット(ｉｎｆｏｒｍａｔｉｏｎ  ｂｉｔ)を受信し、コーディング(例えば、ＬＤＰＣコーディング)を適用し、一連の周波数ドメイン変調シンボル(ｆｒｅｑｕｅｎｃｙ−ｄｏｍａｉｎ  ｍｏｄｕｌａｔｉｏｎｓｙｍｂｏｌ)を生成するために入力ビット(ｉｎｐｕｔ  ｂｉｔ)を変調させる(例えば、ＱＰＳＫ(ｑｕａｄｒａｔｕｒｅ  ｐｈａｓｅ  ｓｈｉｆｔ  ｋｅｙｉｎｇ)又はＱＡＭ(ｑｕａｄｒａｔｕｒｅ  ａｍｐｌｉｔｕｄｅ  ｍｏｄｕｌａｔｉｏｎ))。直列対並列ブロック(ｓｅｒｉａｌ−ｔｏ−ｐａｒａｌｌｅｌ  ｂｌｏｃｋ)４１０はＮがＢＳ１０２及びＵＥ１１６で用いられるＩＦＦＴ／ＦＦＴ大きさであるＮ個の並列シンボルストリーム(ｐａｒａｌｌｅｌ  ｓｙｍｂｏｌ  ｓｔｒｅａｍ)を生成するために直列変調されたシンボル(ｓｅｒｉａｌ  ｍｏｄｕｌａｔｅｄ  ｓｙｍｂｏｌ)を並列データ(ｐａｒａｌｌｅｌ  ｄａｔａ)で変換する(すなわち、デマルチプレクシングする(ｄｅ−ｍｕｌｔｉｐｌｅｘ))。その次、大きさＮ  ＩＦＦＴブロック４１５は時間−ドメイン出力信号(ｔｉｍｅ−ｄｏｍａｉｎ  ｏｕｔｐｕｔ  ｓｉｇｎａｌ)を生成するためにＮ個の並列シンボルストリーム上でＩＦＦＴ演算を行う。並列対直列ブロック４２０は直列時間−ドメイン信号(ｓｅｒｉａｌ  ｔｉｍｅ−ｄｏｍａｉｎ  ｓｉｇｎａｌ)を生成するために大きさＮ  ＩＦＦＴブロック４１５からの並列時間−ドメイン出力シンボル(ｐａｒａｌｌｅｌ  ｔｉｍｅ−ｄｏｍａｉｎ  ｏｕｔｐｕｔｓｙｍｂｏｌ)を変換する(すなわち、マルチプレクシングする)。その次、付加循環プレフィックスブロック４２５は循環プレフィックス(ｃｙｃｌｉｃ  ｐｒｅｆｉｘ)を時間−ドメイン信号に挿入する。最終的に、アップコンバーター４３０は無線チャンネルを通じる送信のために付加循環プレフィックスブロック４２５の出力をＲＦ周波数で変調させる(例えば、アップコンバートさせる)。信号はさらにＲＦ周波数で変換する前に基底帯域でフィルタリングされることができる。
【００５４】
送信されたＲＦ信号は無線チャンネルを通過した後のＵＥ１１６)に到逹し、ｅＮＢ１０２での動作との逆動作(ｒｅｖｅｒｓｅ  ｏｐｅｒａｔｉｏｎ)が行われる。ダウンコンバーター４５５は受信された信号を基底帯域周波数でダウンコンバートさせて、除去循環プレフィックスブロック４６０は直列時間−ドメイン基底帯域信号を生成するために循環プレフィックスを除去する。直列対並列ブロック４６５は時間−ドメイン基底帯域信号を並列時間−ドメイン信号で変換する。その次、大きさＮ  ＦＦＴブロック４７０はＮ個の並列周波数ドメイン信号を生成するためにＦＦＴアルゴリズムを行う。並列対直列ブロック４７５は並列周波数ドメイン信号を一連の変調されたデータシンボルで変換する。チャンネルデコーディング及び復調ブロック４８０は元々の入力データストリームを復元するために変調されたシンボルを復調してデコーディングする。
【００５５】
ｅＮＢ１０１−１０３のそれぞれはダウンリンクでユーザ装置１１１−１１６で送信することと類似の送信経路を具現することができ、アップリンクでユーザ装置１１１−１１６から受信することと類似の受信経路を具現することができる。同様に、ユーザ装置１１１−１１６のそれぞれはアップリンクでｅＮＢ１０１−１０３に送信するためのアーキテクチャー(ａｒｃｈｉｔｅｃｔｕｒｅ)に相応する送信経路を具現することができ、ダウンリンクでｅＮＢ１０１−１０３から受信するためのアーキテクチャーに相応する受信経路を具現することができる。
【００５６】
５Ｇ通信システムの使用ケースは識別されて説明された。このような使用ケースはおおよそ３つのグループで分類されることができる。例えば、強化されたモバイル広帯域(ｅｎｈａｎｃｅｄ  ｍｏｂｉｌｅ  ｂｒｏａｄｂａｎｄ、ｅＭＢＢ)はあまり厳しくない待機時間及び信頼性要求事項で高いビット／秒要求事項と関連があることで決定される。他の例で、ＵＲＬＬ(ｕｌｔｒａ  ｒｅｌｉａｂｌｅ  ａｎｄ  ｌｏｗ  ｌａｔｅｎｃｙ)はあまり厳しくないビット／超要求事項で決定される。また他の例で、ｍＭＴＣ(ｍａｓｓｉｖｅ  ｍａｃｈｉｎｅ  ｔｙｐｅ  ｃｏｍｍｕｎｉｃａｔｉｏｎ)はデバイスの数がｋｍ２当たり１０万乃至１００万ほども多いことがあると決定されるが、信頼性／処理量／待機時間要求事項はあまり厳しくないことがある。このようなシナリオはさらにバッテリー消耗ができるだけ最小化されなければならないという点でパワー効率要求事項を含むことができる。
【００５７】
通信システムは基地局(ＢＳ)又はＮｏｄｅＢのような送信ポイントからユーザ装置(ＵＥ)で信号を搬送するダウンリンク(ＤＬ)及びＵＥからＮｏｄｅＢのような受信ポイントで信号を搬送するアップリンク(ＵＬ)を含む。また、一般的に端末機又は移動局として指称されるＵＥは固定式又は移動式であれば良く、セルラーフォン、個人用コンピューターデバイス又は自動化されたデバイスであれば良い。一般的に固定局であるｅＮｏｄｅＢはさらにアクセスポイント又は他の同等な用語として指称されることができる。ＬＴＥシステムの場合、ＮｏｄｅＢはたびたびｅＮｏｄｅＢとして指称される。
【００５８】
ＬＴＥシステムのような通信システムで、ＤＬ信号は情報コンテンツを搬送するデータ信号、ＤＬ制御情報(ＤＬ  ｃｏｎｔｒｏｌ  ｉｎｆｏｒｍａｔｉｏｎ、ＤＣＩ)を搬送する制御信号、及びパイロット信号としても知られた基準信号(ｒｅｆｅｒｅｎｃｅ  ｓｉｇｎａｌ、ＲＳ)を含むことができる。ｅＮｏｄｅＢは物理的ＤＬ共有チャンネル(ｐｈｙｓｉｃａｌ  ＤＬ  ｓｈａｒｅｄ  ｃｈａｎｎｅｌ、ＰＤＳＣＨ)を介してデータ情報を送信する。ｅＮｏｄｅＢは物理的ＤＬ制御チャンネル(ｐｈｙｓｉｃａｌ  ＤＬ  ｃｏｎｔｒｏｌ  ｃｈａｎｎｅｌ、ＰＤＣＣＨ)又はＥＰＤＣＣＨ(Ｅｎｈａｎｃｅｄ  ＰＤＣＣＨ)を介してＤＣＩを送信する。
【００５９】
ｅＮｏｄｅＢはＰＨＩＣＨ(ｐｈｙｓｉｃａｌ  ｈｙｂｒｉｄ  ＡＲＱ  ｉｎｄｉｃａｔｏｒ  ｃｈａｎｎｅｌ)でＵＥからのデータ送信ブロック(ｔｒａｎｓｐｏｒｔ  ｂｌｏｃｋ、ＴＢ)送信に応答して確認応答情報(ａｃｋｎｏｗｌｅｄｇｅｍｅｎｔ  ｉｎｆｏｒｍａｔｉｏｎ)を送信する。ｅＮｏｄｅＢはＵＥ−共通ＲＳ(ｃｏｍｍｏｎ  ＲＳ、ＣＲＳ)、チャンネル状態情報ＲＳ(ＣＳＩ−ＲＳ)又は復調ＲＳ(ｄｅｍｏｄｕｌａｔｉｏｎ  ＲＳ、ＤＭＲＳ)を含む多数のＲＳタイプのうちの一つ以上を送信する。ＣＲＳはＤＬシステム帯域幅(ＢＷ)を介して送信され、データ又は制御情報を復調するか測定を行うためにチャンネル推定値を獲得するためにＵＥによって用いられることができる。ＣＲＳオーバーヘッドを減らすため、ｅＮｏｄｅＢはＣＲＳより時間及び／又は周波数ドメインでより小さい密度を有するＣＳＩ−ＲＳを送信することができる。ＤＭＲＳはそれぞれのＰＤＳＣＨ又はＥＰＤＣＣＨのＢＷでだけ送信されることができ、ＵＥはＰＤＲＳＣＨ又はＥＰＤＣＣＨでそれぞれデータ又は制御情報を復調するためにＤＭＲＳを用いることができる。ＤＬチャンネルに対する送信時間間隔はサブフレームで指称され、例えば、１ミリ秒の持続時間を有することができる。
【００６０】
ＤＬ信号はさらにシステム制御情報を搬送する論理チャンネルの送信を含む。ＢＣＣＨはＢＣＣＨがＭＩＢ(ｍａｓｔｅｒ  ｉｎｆｏｒｍａｔｉｏｎ  ｂｌｏｃｋ)を搬送する時にはブロードキャストチャンネル(ｂｒｏａｄｃａｓｔ  ｃｈａｎｎｅｌ、ＢＣＨ)として指称される送信チャンネルにマッピングされるかＢＣＣＨがＳＩＢ(ｓｙｓｔｅｍ  ｉｎｆｏｒｍａｔｉｏｎ  ｂｌｏｃｋ)を搬送する時にはＤＬ共有チャンネル(ＤＬ−ＳＣＨ)にマッピングされる。大部分のシステム情報はＤＬ−ＳＣＨを用いる送信される異なるＳＩＢに含まれる。サブフレームでのＤＬ−ＳＣＨ上のシステム情報の存在は特別なシステム情報ＲＮＴＩ(ＳＩ−ＲＮＴＩ)でスクランブリングされるＣＲＣ(ｃｙｃｌｉｃ  ｒｅｄｕｎｄａｎｃｙ  ｃｈｅｃｋ)を有するコードワードを搬送する相応するＰＤＣＣＨの送信によって示されることができる。代案で、ＳＩＢ送信に対するスケジューリング情報は以前のＳＩＢに提供されることができ、第１ＳＩＢ(ＳＩＢ−１)に対するスケジューリング情報はＭＩＢによって提供されることができる。
【００６１】
ＤＬリソース割り当てはサブフレームのユニット及び物理的リソースブロック(ｐｈｙｓｉｃａｌ  ｒｅｓｏｕｒｃｅ  ｂｌｏｃｋ、ＰＲＢ)のグループで行われる。送信ＢＷはリソースブロック(ＲＢ)として指称される周波数リソースユニットを含む。それぞれのＲＢは
【数１】
2021508201.tif 000003
サブキャリア、又は１２個のＲＥのようなリソース要素(ＲＥ)を含む。一つのサブフレームにかけた一つのＲＢのユニットはＰＲＢとして指称される。ＵＥはＰＤＳＣＨ送信ＢＷに対する総
【数２】
2021508201.tif 000004
ＲＥに対する
【数３】
2021508201.tif 000005
ＲＢが割り当てられることができる。
【００６２】
ＵＬ信号はデータ情報を搬送するデータ信号、ＵＬ制御情報(ＵＣＩ)を搬送する制御信号及びＵＬ  ＲＳを含むことができる。ＵＬ  ＲＳはＤＭＲＳ及びＳＲＳ(Ｓｏｕｎｄｉｎｇ  ＲＳ)を含む。ＵＥはそれぞれのＰＵＳＣＨ又はＰＵＣＣＨのＢＷでだけＤＭＲＳを送信する。ｅＮｏｄｅＢはＤＭＲＳを用いてデータ信号又はＵＣＩ信号を復調することができる。ＵＥはｅＮｏｄｅＢにＵＬ  ＣＳＩを提供するようにＳＲＳを送信する。ＵＥはそれぞれの物理的ＵＬ共有チャンネル(ＰＵＳＣＨ)又は物理的ＵＬ制御チャンネル(ＰＵＣＣＨ)を介してデータ情報又はＵＣＩを送信する。ＵＥが同一なＵＬサブフレームでデータ情報及びＵＣＩを送信する必要がある場合、ＵＥは２つともをＰＵＳＣＨにマルチプレクシングすることができる。ＵＣＩはＰＤＳＣＨでデータＴＢに対する正しい(ｃｏｒｒｅｃｔ)(ＡＣＫ)又は正しくない(ｉｎｃｏｒｒｅｃｔ)(ＮＡＣＫ)検出又はＰＤＣＣＨ検出(ＤＴＸ)の不在を示すＨＡＲＱ−ＡＣＫ(Ｈｙｂｒｉｄ  Ａｕｔｏｍａｔｉｃ  Ｒｅｐｅａｔ  ｒｅｑｕｅｓｔ  ａｃｋｎｏｗｌｅｄｇｅｍｅｎｔ)情報、ＵＥがＵＥのバッファー内にデータを有するかを示すスケジューリングリクエスト(ｓｃｈｅｄｕｌｉｎｇ  ｒｅｑｕｅｓｔ、ＳＲ)、ランクインジケーター(ｒａｎｋ  ｉｎｄｉｃａｔｏｒ、ＲＩ)、及びｅＮｏｄｅＢがＵＥへのＰＤＳＣＨ送信のためにリンク適応を行うことができるようにするチャンネル状態情報(ＣＳＩ)を含む。ＨＡＲＱ−ＡＣＫ情報はさらに半永久的にスケジューリングされたＰＤＳＣＨの解除を示すＰＤＣＣＨ／ＥＰＤＣＣＨの検出に応答してＵＥによって送信される。
【００６３】
ＵＬサブフレームは２個のスロットを含む。それぞれのスロットはデータ情報、ＵＣＩ、ＤＭＲＳ又はＳＲＳを送信するための
【数４】
2021508201.tif 000006
シンボルを含む。ＵＬシステムＢＷの周波数リソースユニットはＲＢである。ＵＥは送信ＢＷに対する総
【数５】
2021508201.tif 000007
ＲＥに対する
【数６】
2021508201.tif 000008
ＲＢが割り当られる。ＰＵＣＣＨの場合、
【数７】
2021508201.tif 000009
最後サブフレームシンボルは一つ以上のＵＥからＳＲＳ送信をマルチプレクシングするのに用いられることができる。データ／ＵＣＩ／ＤＭＲＳ送信に利用可能なサブフレームシンボルの数は
【数８】
2021508201.tif 000010
であり、ここで最後のサブフレームシンボルがＳＲＳを送信するのに用いられると、
【数９】
2021508201.tif 000011
で、そうではなければ、
【数１０】
2021508201.tif 000012
である。
【００６４】
図５は、本開示の実施形態によるサブフレームでのＰＤＳＣＨに対する送信機ブロック図５００を示す。図５に示された送信機ブロック図５００の実施形態は例示だけのためのことである。図５は本開示の範囲を送信機ブロック図５００の任意の特定具現で制限しない。
【００６５】
図５に示されたように、情報ビット５１０はターボエンコーダーのようなエンコーダー５２０によってエンコーディングされ、例えば、直交位相シフトキーイング(ｑｕａｄｒａｔｕｒｅ  ｐｈａｓｅ  ｓｈｉｆｔ  ｋｅｙｉｎｇ、ＱＰＳＫ)変調を用いて変調器５３０によって変調される。直列対並列(Ｓ／Ｐ)コンバーター５４０は割り当てられたＰＤＳＣＨ送信ＢＷに対して送信ＢＷ選択ユニット５５５によって選択されたＲＥにマッピングされるようにマッパー５５０に後続して提供されるＭ個の変調シンボルを生成し、ユニット５６０はＩＦＦＴ(Ｉｎｖｅｒｓｅ  ｆａｓｔ  Ｆｏｕｒｉｅｒ  ｔｒａｎｓｆｏｒｍ)を適用し、そして、出力は時間−ドメイン信号を生成するために並列対直列(Ｐ／Ｓ)コンバーター５７０によって直列化され、フィルタリングはフィルター５８０によって適用され、信号は送信される(５９０)。データスクランブリング、循環プレフィックス挿入(ｃｙｃｌｉｃ  ｐｒｅｆｉｘ  ｉｎｓｅｒｔｉｏｎ)、時間ウィンドイング、インターリビングなどのような付加的な機能は本技術分野によく知られ、簡潔性のために示されなかった。
【００６６】
図６は、本開示の実施形態によるサブフレームでのＰＤＳＣＨに対する受信機ブロック図６００を示す。図６に示されたダイヤグラム６００の実施形態はただ例示のためのことである。図６は、本開示の範囲をダイヤグラム６００の任意の特定具現で制限しない。
【００６７】
図６に示されたように、受信された信号６１０はフィルター６２０によってフィルタリングされ、割り当てられた受信ＢＷに対するＲＥ６３０はＢＷ選択器６３５によって選択され、ユニット６４０は高速フーリエ変換(ＦＦＴ)を適用し、出力は並列対直列コンバーター６５０によって直列化される。続いて、復調器６６０はＤＭＲＳ又はＣＲＳ(図示せず)から獲得されたチャンネル推定値を適用することによってデータシンボルを一貫性あるように復調し、ターボデコーダーのようなデコーダー６７０は情報データビット６８０の推定値を提供するために復調されたデータをデコーディングする。時間ウィンドイング、循環プレフィックス除去、デスクランブリング、チャンネル推定及びデインターリビングのような付加的な機能は簡潔性のために図示しなかった。
【００６８】
図７は、本開示の実施形態によるサブフレームでのＰＵＳＣＨに対する送信機ブロック図７００を示す。図７に示されたブロック図７００の実施形態はただ例示のためのことである。図７は本開示の範囲をブロック図７００の任意の特定具現で制限しない。
【００６９】
図７に示されたように、情報データビット７１０はターボエンコーダーのようなエンコーダー７２０によってエンコーディングされ、変調器７３０によって変調される。離散フーリエ変換(ｄｉｓｃｒｅｔｅ  Ｆｏｕｒｉｅｒ  ｔｒａｎｓｆｏｒｍ、ＤＦＴ)ユニット７４０は変調されたデータビット上にＤＦＴを適用し、割り当てられたＰＵＳＣＨ送信ＢＷに相応するＲＥ７５０は送信ＢＷ選択ユニット７５５によって選択され、ユニット７６０はＩＦＦＴを適用して、循環プレフィックス挿入(ｃｙｃｌｉｃ  ｐｒｅｆｉｘ  ｉｎｓｅｒｔｉｏｎ)(図示せず)後に、フィルタリングはフィルター７７０によって適用され、信号は送信される(７８０)。
【００７０】
図８は、本開示の実施形態によるサブフレームでのＰＵＳＣＨに対する受信機ブロック図８００を示す。図８に示されたブロック図８００の実施形態はただ例示のためのことである。図８は本開示の範囲をブロック図８００の任意の特定具現で制限しない。
【００７１】
図８に示されたように、受信された信号８１０はフィルター８２０によってフィルタリングされる。その後、循環プレフィックスが除去された後(図示せず)、ユニット８３０はＦＦＴを適用し、割り当てられたＰＵＳＣＨ受信ＢＷに相応するＲＥ８４０は受信ＢＷ選択器８４５によって選択され、ユニット８５０はＩＤＦＴ(ｉｎｖｅｒｓｅ  ＤＦＴ)を適用し、復調器(８６０はＤＭＲＳ(図示せず)から獲得されたチャンネル推定値(ｃｈａｎｎｅｌ  ｅｓｔｉｍａｔｅ)を適用することによってデータシンボルを一貫性あるように復調する。ターボデコーダーのようなデコーダー８７０は情報データビット８８０の推定値を提供するために復調されたデータをデコーディングする。
【００７２】
次世代セルラーシステムでは多様なユースケース(ｕｓｅ  ｃａｓｅ)がＬＴＥシステムの能力以上のことで想像される。５Ｇ又は５世代セルラーシステムで、６ＧＨｚ以下及び６ＧＨｚ以上で動作することができるシステム(例えば、ｍｍＷａｖｅ体制(ｒｅｇｉｍｅ))が要求事項のうちの一つとなる。３ＧＰＰ仕様では７４個の５Ｇユースケースが確認されて説明され；このようなユースケースは大きく３つの異なるグループで分類されることができる。第１グループは‘ｅＭＢＢ(ｅｎｈａｎｃｅｄ  ｍｏｂｉｌｅ  ｂｒｏａｄｂａｎｄ)’と呼ばれ、待機時間と信頼性要求事項があまり厳しくない高いデータ速度及びサービスを目標とする。第２グループはデータ速度要求事項があまり厳しくないが待機時間に対する耐性が少ないアプリケーションを目標とする“ＵＲＬＬ(ｕｌｔｒａ−ｒｅｌｉａｂｌｅ  ａｎｄ  ｌｏｗ  ｌａｔｅｎｃｙ)”と言う。第３グループは信頼性、データ速度及び待機時間要求事項があまり厳しくないｋｍ２当たり１００万のような多数の低電力デバイス接続を目標とする“大規模ＭＴＣ(ｍａｓｓｉｖｅ  ＭＴＣ、ｍＭＴＣ)”と言う。
【００７３】
５Ｇネットワークが異なるサービス品質(ｑｕａｌｉｔｙ  ｏｆ  ｓｅｒｖｉｃｅ、ＱｏＳ)を有するこのような多様なサービスをサポートするためには、ネットワークスライシングと呼ばれるＬＴＥ仕様で一つの方法が確認された。ＰＨＹリソースを効率的に活用してＤＬ−ＳＣＨで(異なるリソース割り当て方式、数秘学(ｎｕｍｅｒｏｌｏｇｙ)及びスケジューリング戦略を有する)多様なスライスをマルチプレクシングするためには、柔軟で独立的な(ｓｅｌｆ−ｃｏｎｔａｉｎｅｄ)フレーム又はサブフレーム設計が活用される。
【００７４】
電力消費とバッテリー寿命は事物インターネット(ｉｎｔｅｒｎｅｔ  ｏｆ  ｔｈｉｎｇ、ＩｏＴ)における端末機に非常に重要である。狭帯域ＩｏＴ(ＮＢ−ＩｏＴ)又はｅＭＴＣ(ｅｎｈａｎｃｅｄ  ｍａｃｈｉｎｅ  ｔｙｐｅ  ｃｏｍｍｕｎｉｃａｔｉｏｎ)システムで、端末デバイスの電力は電力節約モード(ｐｏｗｅｒ  ｓａｖｉｎｇ  ｍｏｄｅ、ＰＳＭ)又はｅＤＲＸ(ｅｘｔｅｎｄｅｄ  ｄｉｓｃｏｎｔｉｎｕｏｕｓ  ｒｅｃｅｐｔｉｏｎ)モードを設定することによって節約されることができる。しかし、ＵＥはＰＳＭモード又はｅＤＲＸモードでスリップ(ｓｌｅｅｐ)中にページングメッセージを聞き取ることができない。一部ＩｏＴアプリケーションシナリオで、ＵＥはネットワーク命令を受信した後、特定期間内にネットワークとの接続を設定しなければならない。その後、要求事項を有するＵＥはＰＳＭモード又は比較的長い期間を有するｅＤＲＸモードを構成することができない。
【００７５】
ＮＢ−ＩｏＴ及びｅＭＴＣシステムの強化されたバージョン(ｅｎｈａｎｃｅｄ  ｖｅｒｓｉｏｎ)で、ＵＥがページングされることにようにし、一方、電力を節約するため、研究及び調査後にウェークアップ(ｗａｋｅ−ｕｐ)又はスリップ信号／チャンネルが導入する。ウェークアップ信号／チャンネルはＵＥをウェークアップするため、すなわち、ＵＥがページングメッセージを示すのに用いられる後続ＭＴＣ物理的ダウンリンク制御チャンネル(ＭＴＣ  ｐｈｙｓｉｃａｌ  ｄｏｗｎｌｉｎｋ  ｃｏｎｔｒｏｌ  ｃｈａｎｎｅｌ、ＭＰＤＣＣＨ)を継続モニタリングする必要がある場合に構成される。スリップ信号／チャンネルはＵＥがスリップ状態、すなわち、ＵＥがページングメッセージを示すのに用いられる後続ＭＰＤＣＣＨをモニタリングする必要がない場合に進入することができることを指示するように構成される。
【００７６】
多重キャリアシステムで、同期化信号を送信するキャリアはアンカーキャリア(ａｎｃｈｏｒ  ｃａｒｒｉｅｒ)と呼ばれ、ＬＴＥシステムで、ページング信号はアンカーキャリア上で送信される。ＮＢ−ＩｏＴシステムで、非−アンカーキャリア上でページングメッセージを送信する方式が導入される。ｅＭＴＣシステムで、狭帯域が６個の物理的リソースブロック(ｐｈｙｓｉｃａｌ  ｒｅｓｏｕｒｃｅ  ｂｌｏｃｋ、ＰＲＢ)を有する多数の狭帯域が定義され、ページング狭帯域の概念が導入する。さらに、ｅＭＴＣシステムで、ＭＴＣに対するダウンリンク制御チャンネル(ＭＰＤＣＣＨ)はページングメッセージを示すように構成され、異なるＵＥは異なる狭帯域上で  ＭＰＤＣＣＨをモニタリングすることができる。類似に、進行中の５Ｇ  ＮＲ(ｎｅｗ  ｒａｄｉｏ)システムで、ＵＥの帯域幅がシステム帯域幅より小さい状況があり、この場合に、ページングチャンネルに対して多数の帯域幅部分が定義されることができる。多重キャリア又は狭帯域又は部分帯域幅の場合、ウェークアップ又はスリップ信号を送受信する方法がまだ解決される問題である。
【００７７】
図９は、本開示の実施形態によってＦＤＤ及びＴＤＤに対するＰＳＳ／ＳＳＳのマッピングのための例示的な時間ドメイン位置９００を示す。図９に示された時間ドメイン位置９００の実施形態はただ例示のためのことである。図９は本開示の範囲を任意の特定具現で制限しない。
【００７８】
図９を参照すれば、ＦＤＤの場合に、すべてのフレーム９０５からＰＳＳ９２５はサブフレーム０及び５(９１０及び９１５)の第１スロットの最後のシンボル内で送信され、サブフレームは２個のスロットを含む。ＳＳＳ９２０は同一なスロットの第２の最後のシンボル内で送信される。ＴＤＤの場合に、すべてのフレーム９５５で、ＰＳＳ９９０はサブフレーム１及び６(９６５及び９８０)の第３シンボル内で送信されるが、(ＳＳＳ)９８５はサブフレーム０及び５(９６０及び９７０)の最後のシンボル内で送信される。このような差異はセル上で二重方式を検出することができるようにする。ＰＳＳ及びＳＳＳに対するリソース要素は任意の他のタイプのＤＬ信号の送信のために利用可能ではない。
【００７９】
本開示で、簡潔性のために、ＦＤＤ及びＴＤＤはいずれもＤＬ及びＵＬシグナリングのいずれにも対する二重方法として見なされる。以下の例示的な説明及び実施形態は直交周波数分割マルチプレクシング(ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ)又は直交周波数分割多重アクセス(ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ)を仮定するが、本開示は他のＯＦＤＭ基盤送信波形又はフィルタリングされるＯＦＤＭ(Ｆ−ＯＦＤＭ)のような多重アクセス方式に拡張されることができる。
【００８０】
本開示は互いに結合するか組み合わせて用いられることができるか、独立型方式として動作することができる多くの構成要素を含む。
【００８１】
通信システムは基地局(ＢＳ)又はＮｏｄｅＢのような送信ポイントからユーザ装置(ＵＥ)で信号を伝達するダウンリンク(ＤＬ)、及びＵＥからＮｏｄｅＢのような受信ポイントで信号を伝達するアップリンク(ＵＬ)を含む。一般的に端末機又は移動局でも指称されるＵＥは固定式又は移動式であれば良く、セルラーフォン、個人用コンピューターデバイス又は自動化されたデバイスであれば良い。一般的に固定局であるｅＮｏｄｅＢはさらにアクセスポイント又は他の同等な用語として指称されることができる。ＬＴＥシステムの場合、ＮｏｄｅＢはたびたびｅＮｏｄｅＢとして指称される。ＮＲシステムの場合、ＮｏｄｅＢはたびたびｇＮｏｄｅＢとして指称される。
【００８２】
本開示で、数秘学(ｎｕｍｅｒｏｌｏｇｙ)はサブフレーム持続期間、サブキャリア間隔、循環プレフィックス長さ(ｃｙｃｌｉｃ  ｐｒｅｆｉｘ  ｌｅｎｇｔｈ)、送信帯域幅、又はこのような信号パラメーターの任意の組み合せを含むことができる信号パラメーターのセットを指称する。
【００８３】
ＬＴＥ初期アクセスの場合、１次及び２次同期化信号(それぞれ、ｐｒｉｍａｒｙ  ａｎｄ  ｓｅｃｏｎｄａｒｙ  ｓｙｎｃｈｒｏｎｉｚａｔｉｏｎ  ｓｉｇｎａｌ、ＰＳＳ及びＳＳＳ)は大略的なタイミング及び周波数同期化及びセルＩＤ獲得のために用いられる。ＰＳＳ／ＳＳＳは１０ｍｓ無線フレーム当たり２回送信され、時間領域列挙(ｔｉｍｅ−ｄｏｍａｉｎ  ｅｎｕｍｅｒａｔｉｏｎ)はシステムドメイン番号(ＭＩＢに含まれたＳＦＮ(ｓｙｓｔｅｍ  ｆｒａｍｅ  ｎｕｍｂｅｒ))の側面で導入するので、フレームタイミングがＰＢＣＨから検出負担(ｄｅｔｅｃｔｉｏｎ  ｂｕｒｄｅｎ)を増加させる必要がないようにＰＳＳ／ＳＳＳから検出される。さらに、ＣＰ(ｃｙｃｌｉｃ  ｐｒｅｆｉｘ)長さと、知られない場合、二重方式がＰＳＳ／ＳＳＳから検出されることができる。
【００８４】
ＰＳＳは長さ６３の周波数ドメインＺＣシーケンスから構成され、中間要素はｄ．ｃサブキャリアを用いられないように切られる(ｔｒｕｎｃａｔｅｄ)。それぞれのセルグループ内で３個の物理的階層のアイデンティティー(ｉｄｅｎｔｉｔｙ)を示すために３個のルート(ｒｏｏｔ)がＰＳＳに対して選択される。ＳＳＳシーケンスは最大長さシーケンス(Ｍ−シーケンスともいう)に基づく。
【００８５】
それぞれのＳＳＳシーケンスは周波数ドメインで２個の長さ−３１ＢＰＳＫ変調されたシーケンスをインターリビング(ｉｎｔｅｒｌｅａｖｉｎｇ)することによって構成され、ここで変調前の２個のソースシーケンスは同一なＭ−シーケンスの異なる循環シフトである。循環シフトインデックスは物理的セルＩＤ  グループから構成される。ＰＳＳ／ＳＳＳ検出が(例えば、ＰＳＳ／ＳＳＳの自動及び相互相関(ｃｒｏｓｓ−ｃｏｒｒｅｌａｔｉｏｎ)特性の非−理想性(ｎｏｎ−ｉｄｅａｌｉｔｉｅｓ)とＣＲＣ保護の不足でよって)欠陷があり得るから、ＰＳＳ／ＳＳＳから検出されたセルＩＤ仮説は時々ＰＢＣＨ検出を介して確認されることができる。
【００８６】
ＰＢＣＨは主にＤＬ及びＵＬシステム帯域幅情報(３ビット)、ＰＨＩＣＨ情報(３ビット)及びＳＦＮ(８ビット)から構成されるＭＩＢ(Ｍａｓｔｅｒ  Ｂｌｏｃｋ  Ｉｎｆｏｒｍａｔｉｏｎ)をシグナリングするのに用いられる。(ＭＴＣのような他の使用のために)１０個の予約されたビットを付加すると、ＭＩＢペイ・ロードは２４ビットに該当する。１６ビットＣＲＣが追加された後、レート−１／３テール−バイティング畳み込みコーディング(ｒａｔｅ−１／３ｔａｉｌ−ｂｉｔｉｎｇ  ｃｏｎｖｏｌｕｔｉｏｎａｌ  ｃｏｄｉｎｇ)、４ｘ繰り返し４ｘ  ｒｅｐｅｔｉｔｉｏｎ)及びＱＰＳＫ変調が４０ビットコードワードに適用される。生成されたＱＰＳＫシンボルストリームは４個の無線フレームを介して拡散された４個のサブフレームにかけて送信される。ＭＩＢを検出すること以外に、ＰＢＣＨに対するＣＲＳポートの数のブラインド検出(ｂｌｉｎｄ  ｄｅｔｅｃｔｉｏｎ)がさらに必要である。
【００８７】
ＮＲライセンススペクトラムの場合、それぞれの同期化及びＰＢＣＨ信号ブロック(ＳＳ／ＰＢＣＨブロック)はＮＲ−ＰＳＳに対する一つのシンボル、ＮＲ−ＰＢＣＨに対する２個のシンボル、及びＮＲ−ＳＳＳ及びＮＲ−ＰＢＣＨに対する一つのシンボルを含み、ここで４個のシンボルは連続的にマッピングされて時分割多重化される。ＮＲ−ＳＳはＮＲでサポートされたすべてのキャリア周波数範囲に対するＮＲ−ＰＳＳ及びＮＲ−ＳＳＳシーケンス設計を含む統合された設計である。ＮＲ−ＰＳＳ及びＮＲ−ＳＳＳの送信帯域幅(例えば、１２ＰＲＢ)は全体ＳＳ／ＰＢＣＨブロック(例えば、２０ＰＲＢ)の送信帯域幅より小さい。ＮＲセルに対する初期セル選択のために、ＵＥはデフォルトＳＳバーストセット周期性を２０ｍｓとして仮定し、非−独立型ＮＲセルを検出するため、ネットワークは周波数キャリア当たり一つのＳＳバーストセット周期性情報をＵＥに提供し、できれば測定タイミング／持続時間を導出するための情報を提供する。
【００８８】
ＲＭＳＩ、ＯＳＩ、ＳＩＢｘ、ＲＡＲなどのように共通制御チャンネルを受信するための制御リソースセット(ＣＯＲＥＳＥＴ)の構成される必要がある。最近の３ＧＰＰ  ＲＡＮ１合意(ａｇｒｅｅｍｅｎｔｓ)によれば、一つのＣＯＲＥＳＥＴ構成は少なくともＲＭＳＩスケジューリングのためにＰＢＣＨ(又はＭＩＢ)を介して提供され、他のＣＯＲＥＳＥＴ構成は少なくともＲＡＲスケジューリングのためにＲＭＳＩ(又はＳＩＢ１)を介して提供される。ＣＯＲＥＳＥＴ(ｃｏｎｔｒｏｌ  ｒｅｓｏｕｒｃｅ  ｓｅｔ)はスロットタイミング、それぞれのスロットでのＯＦＤＭシンボル番号及び周波数リソースで特徴されることができる。このようなＣＯＲＥＳＥＴ属性はそれぞれのＣＯＲＥＳＥＴに対して示されるか予め設定される。
【００８９】
ＲＭＳＩ／ＳＩＢスケジューリングの場合、ＣＯＲＥＳＥＴ属性がＰＢＣＨに提供される。ＲＡＲスケジューリングの場合、ＣＯＲＥＳＥＴ属性はＲＭＳＩに提供される。ＰＢＣＨ／ＲＭＳＩによって設定されたこのようなＣＯＲＥＳＥＴ属性の中で、ＯＦＤＭシンボル番号及び周波数リソースはすべての共通チャンネル(例えば、ＳＩＢｘ／ＲＡＲなど)に共通的に適用されることができるが、スロットタイミングは異なるＳＩＢｘ／ＲＡＲに対して具体的に決定されることができる。ＮＲで、広帯域キャリア内の多数のＳＳ／ＰＢＣＨブロックがサポートされ、同一なキャリア上の一部ＳＳ／ＰＢＣＨブロックはＲＭＳＩといずれも連関されないこともある。連関されたＲＭＳＩがないこのようなＳＳ／ＰＢＣＨブロックの場合、ＰＲＢグリッドオフセットインディケーション内の一つのコードポイント(例えば、＞６ＧＨｚの場合、４ビット、＜６ＧＨｚの場合、５ビット)はＲＭＳＩが存在しないことを示すために用いられ、例えば、ＭＩＢでのＲＭＳＩ  ＣＯＲＥＳＥＴ及び検索空間設定のための８ビットは他の目的のために用いられることができる。
【００９０】
本開示は、連関されたＲＭＳＩが示されない時、潜在的に他のフィールド又は予約されたコードポイントと共にＭＩＢでのＲＭＳＩ  ＣＯＲＥＳＥＴ及び検索空間設定のための８ビットの利用を考慮する。
【００９１】
一実施形態で、多数のＳＳ／ＰＢＣＨブロックが広帯域でサポートされる時、ＳＳ／ＰＢＣＨブロックのうちの少なくとも一つは初期アクセス目的でセルを定義するために予め定義された同期化ラスタ上に位置されることができる。ＲＭＳＩと連関されることができるか連関されないこともあるこのようなＳＳ／ＰＢＣＨブロックの場合、連関されたＲＭＳＩの存在する可否はＰＲＢグリッドオフセットインディケーション内のコードポイントによって示される。ＵＥが同期化ラスタ上でＳＳ／ＰＢＣＨブロックを成功的に検出し、ＳＳ／ＰＢＣＨブロックと連関されたＲＭＳＩが存在しないということをさらに検出すると、ＵＥがブラインドするように検索するために同期化ラスタ位置の中の一部をスキップ(ｓｋｉｐ)することができるようにＵＥは次又は他のＳＳ／ＰＢＣＨブロックの正確な位置を示すために元々ＲＭＳＩ設定のために用いられるフィールド、例えば、８ビットを用いることができる。
【００９２】
一つの下位実施形態で、ＰＢＣＨコンテンツの一部の他のフィールド又はＰＢＣＨコンテンツの他のフィールドからの一部予約されたコードポイントはより大きいインディケーション範囲を獲得するためにＲＭＳＩ  ＣＯＲＥＳＥＴ設定のために８ビットと組み合せることができる。例えば、一つの余分のビットが組み合せることができる場合、インディケーション範囲は(帯域でセル定義(ｃｅｌｌ−ｄｅｆｉｎｉｎｇ)ＳＳ／ＰＢＣＨブロックがないことを示すどんなコードポイントによって)５１１又は５１２に拡大されることができる。他の例の場合、最大４個の他の予約されたコードポイントが組み合せることができる場合、インディケーション範囲は(帯域でセル定義ＳＳ／ＰＢＣＨブロックがないことを示すどんなコードポイントによって)最大１０２３又は１０２４に拡大されることができる。
【００９３】
一実施形態で、次のＳＳ／ＰＢＣＨブロックがＲＭＳＩと連関される同期化ラスタの正確な位置が位置されることができ、ここでそれぞれのコードポイントはＳＳ／ＰＢＣＨブロックが位置されることができる同期化ラスタの正確な位置を示す。コードポイントをデコーディングした後、ＵＥはＵＥが検索することができる同期化ラスタの周波数位置を直接見つけることができる。
【００９４】
一つの下位実施形態の場合、ＳＳ／ＰＢＣＨブロックが検出された同期化ラスタに対する相手位置は同期化ラスタの数によって測定され、このような数は常に負ではなく、これは相手位置が帯域内で初期セル検索手順によって常に定義されるということを意味する。次のＳＳ／ＰＢＣＨブロックの“０”相手位置を定義するコードポイントは必須的であるが、その理由はコードポイントが(例えば、８ビットを用いる２５５個の同期化ラスタの帯域幅に対する)インディケーション能力内で、ＲＭＳＩが連関されるセル定義ＳＳ／ＰＢＣＨブロックが存在せず、ＵＥが検索範囲内で可能なすべての同期化ラスタをスキップし、現在ＳＳ／ＰＢＣＨブロックからの検索範囲を超過した相手位置に第１同期化ラスタからのブラインド検索を継続行うことができるからである。
【００９５】
【表１】
2021508201.tif 000013
【００９６】
表１．ｐｄｃｃｈ−ＣｏｎｆｉｇＳＩＢ１(例えば、８ビット)
【００９７】
表１でＧＳＣＮ−ＣｕｒｒｅｎｔはＲＭＳＩが存在しないことを示す現在ＳＳ／ＰＢＣＨブロックに対するＧＳＣＮ(ｇｌｏｂａｌ  ｓｙｎｃｈｒｏｎｉｚａｔｉｏｎ  ｃｈａｎｎｅｌ  ｎｕｍｂｅｒ)値である。初期セル選択で、ＵＥは上位階層パラメーターｓｓｂ−ＳｕｂｃａｒｒｉｅｒＯｆｆｓｅｔが{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｐｄｃｃｈ−ＣｏｎｆｉｇＳＩＢ１のマッピングが表１によると仮定することができ、ＵＥはｐｄｃｃｈ−ＣｏｎｆｉｇＳＩＢ１＝０の場合にＧＳＣＮ−Ｃｕｒｒｅｎｔ乃至ＧＳＣＮ−Ｃｕｒｒｅｎｔ＋２５５範囲にセル定義ＳＳ／ＰＢＣＨブロックがないと仮定する。
【００９８】
表１は公式によって同等に与えられることができるということを注目する。初期セル選択で、ＵＥは上位階層パラメーターｓｓｂ−ＳｕｂｃａｒｒｉｅｒＯｆｆｓｅｔが{０，１，２，３}の値をそれぞれ取るｉｎｄｅｘ−ｒｅｓｅｒｖｅｄ−ｓｓｂ−ＳｕｂｃａｒｒｉｅｒＯｆｆｓｅｔに相応する{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮがｐｄｃｃｈ−ＣｏｎｆｉｇＳＩＢ１＞０である時のＧＳＣＮ−ｃｅｌｌ−ｄｅｆｉｎｅｄ−ＳＳＢ＝ＧＳＣＮ−Ｃｕｒｒｅｎｔ＋ｐｄｃｃｈ−ＣｏｎｆｉｇＳＩＢ１によって計算されると仮定することができ；ＵＥはｐｄｃｃｈ−ＣｏｎｆｉｇＳＩＢ１＝０の場合にＧＳＣＮ−Ｃｕｒｒｅｎｔ乃至ＧＳＣＮ−Ｃｕｒｒｅｎｔ＋２５５範囲内にセル定義ＳＳ／ＰＢＣＨブロックがないと仮定し、ここでＧＳＣＮ−ｃｅｌｌ−ｄｅｆｉｎｅｄ−ＳＳＢは次のｃｅｌｌ−ｄｅｆｉｎｅｄ  ＳＳ／ＰＢＣＨブロックに対するＧＳＣＮであり、ＧＳＣＮ−ＣｕｒｒｅｎｔはＲＭＳＩが存在しないことで示される現在ＳＳ／ＰＢＣＨブロックに対するＧＳＣＮ値であり、ｉｎｄｅｘ−ｒｅｓｅｒｖｅｄ−ｓｓｂ−ＳｕｂｃａｒｒｉｅｒＯｆｆｓｅｔは({０，１，２，３}からの値を取る)ｓｓｂ−ＳｕｂｃａｒｒｉｅｒＯｆｆｓｅｔの予約されたコードポイントのインデックスであり、ｐｄｃｃｈ−ＣｏｎｆｉｇＳＩＢ１は{０，１，．．．，２５４，２５５}からの値を取る。
【００９９】
【表２】
2021508201.tif 000014
【０１００】
表２.ｓｓｂ−ＳｕｂｃａｒｒｉｅｒＯｆｆｓｅｔの予約されたコードポイントと共にｐｄｃｃｈ−ＣｏｎｆｉｇＳＩＢ１(例えば、８ビット)
【０１０１】
表２で、ＧＳＣＮ−ＣｕｒｒｅｎｔはＲＭＳＩが存在しないことで示される現在ＳＳ／ＰＢＣＨブロックに対するＧＳＣＮ値である。初期セル選択で、ＵＥは上位階層パラメーターｓｓｂ−ＳｕｂｃａｒｒｉｅｒＯｆｆｓｅｔが{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｓｓｂ−ＳｕｂｃａｒｒｉｅｒＯｆｆｓｅｔ及びｐｄｃｃｈ−ＣｏｎｆｉｇＳＩＢ１のマッピングが表２によると仮定することができ、ＵＥは{ｓｓｂ−ＳｕｂｃａｒｒｉｅｒＯｆｆｓｅｔ、ｐｄｃｃｈ−ＣｏｎｆｉｇＳＩＢ１}＝{ｒ＿０，０}の場合にＧＳＣＮ−Ｃｕｒｒｅｎｔ乃至ＧＳＣＮ−Ｃｕｒｒｅｎｔ＋１０２３範囲内にセル定義ＳＳ／ＰＢＣＨブロックがないと仮定する。
【０１０２】
表２は公式によって同等に与えられることができるということを注目する。初期セル選択で、ＵＥは上位階層パラメーターｓｓｂ−ＳｕｂｃａｒｒｉｅｒＯｆｆｓｅｔが{０，１，２，３}の値をそれぞれ取るｉｎｄｅｘ−ｒｅｓｅｒｖｅｄ−ｓｓｂ−ＳｕｂｃａｒｒｉｅｒＯｆｆｓｅｔに相応する{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮが{ｉｎｄｅｘ−ｒｅｓｅｒｖｅｄ−ｓｓｂ−ＳｕｂｃａｒｒｉｅｒＯｆｆｓｅｔ、ｐｄｃｃｈ−ＣｏｎｆｉｇＳＩＢ１}{０，０}である時のＧＳＣＮ−ｃｅｌｌ−ｄｅｆｉｎｅｄ−ＳＳＢ＝ＧＳＣＮ−Ｃｕｒｒｅｎｔ＋２５６＊ｉｎｄｅｘ−ｒｅｓｅｒｖｅｄ−ｓｓｂ−ＳｕｂｃａｒｒｉｅｒＯｆｆｓｅｔ＋ｐｄｃｃｈ−ＣｏｎｆｉｇＳＩＢ１によって計算されると仮定することができ；ＵＥは{ｉｎｄｅｘ−ｒｅｓｅｒｖｅｄ−ｓｓｂ−ＳｕｂｃａｒｒｉｅｒＯｆｆｓｅｔ、ｐｄｃｃｈ−ＣｏｎｆｉｇＳＩＢ１}＝{０，０}の場合にＧＳＣＮ−Ｃｕｒｒｅｎｔ乃至ＧＳＣＮ−Ｃｕｒｒｅｎｔ＋１０２３範囲内にセル定義ＳＳ／ＰＢＣＨブロックがないと仮定し、ここでＧＳＣＮ−ｃｅｌｌ−ｄｅｆｉｎｅｄ−ＳＳＢは次のｃｅｌｌ−ｄｅｆｉｎｅｄ  ＳＳ／ＰＢＣＨブロックに対するＧＳＣＮであり、ＧＳＣＮ−ＣｕｒｒｅｎｔはＲＭＳＩが存在しないことで示される現在ＳＳ／ＰＢＣＨブロックに対するＧＳＣＮ値であり、ｉｎｄｅｘ−ｒｅｓｅｒｖｅｄ−ｓｓｂ−ＳｕｂｃａｒｒｉｅｒＯｆｆｓｅｔは({０，１，２，３}からの値を取る)ｓｓｂ−ＳｕｂｃａｒｒｉｅｒＯｆｆｓｅｔの予約されたコードポイントのインデックスであり、ｐｄｃｃｈ−ＣｏｎｆｉｇＳＩＢ１は{０，１，．．．，２５４，２５５}からの値を取る。
【０１０３】
他の下位実施形態で、ＳＳ／ＰＢＣＨブロックが検出された同期化ラスタに対する相手位置は同期化ラスタの数(すなわち、ＧＳＣＮ値)によって測定され、ここでこのような数はＳＳ／ＰＢＣＨブロックのいずれかの一つの上に相手位置を定義するために正数又は負数であっても良い。例えば、次のＳＳ／ＰＢＣＨブロックの“０”相手位置を定義する一つのコードポイントは(例えば、８ビットを用いる２５５個の同期化ラスタの帯域幅に対して)インディケーション能力内でＲＭＳＩが連関されるＳＳ／ＰＢＣＨ同期ブロックが存在しないことを示すことができ、ＵＥは表内のすべての同期化ラスタをスキップし、残りの同期化ラスタ上でブラインド検索を継続行うことができる。
【０１０４】
例えば、より多いコードポイントはＧＳＣＮインデックス(例えば、開始及び終了ＧＳＣＮ)によって与えられる範囲内にこのようなセル定義ＳＳ／ＰＢＣＨブロックを示さないこともある。
【０１０５】
【表３】
2021508201.tif 000015
【０１０６】
表３。ｐｄｃｃｈ−ＣｏｎｆｉｇＳＩＢ１(例えば、８ビット)
【０１０７】
表３でＧＳＣＮ−ＣｕｒｒｅｎｔはＲＭＳＩが存在しないことを示す現在ＳＳ／ＰＢＣＨブロックに対するＧＳＣＮ値である。初期セル選択で、ＵＥは上位階層パラメーターｓｓｂ−ＳｕｂｃａｒｒｉｅｒＯｆｆｓｅｔが{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｐｄｃｃｈ−ＣｏｎｆｉｇＳＩＢ１のマッピングが表３によると仮定することができ、ＵＥはｐｄｃｃｈ−ＣｏｎｆｉｇＳＩＢ１＝０の場合にＧＳＣＮ−Ｃｕｒｒｅｎｔ−１２８乃至ＧＳＣＮ−Ｃｕｒｒｅｎｔ＋１２７範囲にセル定義ＳＳ／ＰＢＣＨブロックがないと仮定する。
【０１０８】
表３は公式によって同等に与えられることができるということを注目する。初期セル選択で、ＵＥは上位階層パラメーターｓｓｂ−ＳｕｂｃａｒｒｉｅｒＯｆｆｓｅｔが{０，１，２，３}の値をそれぞれ取るｉｎｄｅｘ−ｒｅｓｅｒｖｅｄ−ｓｓｂ−ＳｕｂｃａｒｒｉｅｒＯｆｆｓｅｔに相応する{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮが０＜ｐｄｃｃｈ−ＣｏｎｆｉｇＳＩＢ１＜１２８である時のＧＳＣＮ−ｃｅｌｌ−ｄｅｆｉｎｅｄ−ＳＳＢ＝ＧＳＣＮ−Ｃｕｒｒｅｎｔ＋ｐｄｃｃｈ−ＣｏｎｆｉｇＳＩＢ１によって計算されると仮定することができ；ＵＥはｐｄｃｃｈ−ＣｏｎｆｉｇＳＩＢ１＝０の場合にＧＳＣＮ−Ｃｕｒｒｅｎｔ−１２８乃至ＧＳＣＮ−Ｃｕｒｒｅｎｔ＋１２７範囲内にセル定義ＳＳ／ＰＢＣＨブロックがないと仮定し、ここでＧＳＣＮ−ｃｅｌｌ−ｄｅｆｉｎｅｄ−ＳＳＢは次のｃｅｌｌ−ｄｅｆｉｎｅｄ  ＳＳ／ＰＢＣＨブロックに対するＧＳＣＮであり、ＧＳＣＮ−ＣｕｒｒｅｎｔはＲＭＳＩが存在しないことで示される現在ＳＳ／ＰＢＣＨブロックに対するＧＳＣＮ値であり、ｉｎｄｅｘ−ｒｅｓｅｒｖｅｄ−ｓｓｂ−ＳｕｂｃａｒｒｉｅｒＯｆｆｓｅｔは({０，１，２，３}からの値を取る)ｓｓｂ−ＳｕｂｃａｒｒｉｅｒＯｆｆｓｅｔの予約されたコードポイントのインデックスであり、ｐｄｃｃｈ−ＣｏｎｆｉｇＳＩＢ１は{０，１，．．．，２５４，２５５}からの値を取る。
【０１０９】
【表４】
2021508201.tif 000016
【０１１０】
表４．ｓｓｂ−ＳｕｂｃａｒｒｉｅｒＯｆｆｓｅｔの予約されたコードポイントと共にｐｄｃｃｈ−ＣｏｎｆｉｇＳＩＢ１(例えば、８ビット)
【０１１１】
表４で、ＧＳＣＮ−ＣｕｒｒｅｎｔはＲＭＳＩが存在しないことで示される現在ＳＳ／ＰＢＣＨブロックに対するＧＳＣＮ値である。初期セル選択で、ＵＥは上位階層パラメーターｓｓｂ−ＳｕｂｃａｒｒｉｅｒＯｆｆｓｅｔが{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｓｓｂ−ＳｕｂｃａｒｒｉｅｒＯｆｆｓｅｔ及びｐｄｃｃｈ−ＣｏｎｆｉｇＳＩＢ１のマッピングが表４によると仮定することができ、ＵＥは{ｓｓｂ−ＳｕｂｃａｒｒｉｅｒＯｆｆｓｅｔ、ｐｄｃｃｈ−ＣｏｎｆｉｇＳＩＢ１}＝{ｒ＿０，０}の場合にＧＳＣＮ−Ｃｕｒｒｅｎｔ−５１２乃至ＧＳＣＮ−Ｃｕｒｒｅｎｔ＋５１１範囲内にセル定義ＳＳ／ＰＢＣＨブロックがないと仮定する。
【０１１２】
表４は公式によって同等に与えられることができるということを注目する。初期セル選択で、ＵＥは上位階層パラメーターｓｓｂ−ＳｕｂｃａｒｒｉｅｒＯｆｆｓｅｔが{０，１，２，３}の値をそれぞれ取るｉｎｄｅｘ−ｒｅｓｅｒｖｅｄ−ｓｓｂ−ＳｕｂｃａｒｒｉｅｒＯｆｆｓｅｔに相応する{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮがｒｅｓｅｒｖｅｄ−ｓｓｂ−ＳｕｂｃａｒｒｉｅｒＯｆｆｓｅｔ＜２及び{ｉｎｄｅｘ−ｒｅｓｅｒｖｅｄ−ｓｓｂ−ＳｕｂｃａｒｒｉｅｒＯｆｆｓｅｔ、ｐｄｃｃｈ−ＣｏｎｆｉｇＳＩＢ１}{０、０}である時にはＧＳＣＮ−ｃｅｌｌ−ｄｅｆｉｎｅｄ−ＳＳＢ＝ＧＳＣＮ−Ｃｕｒｒｅｎｔ＋２５６＊ｉｎｄｅｘ−ｒｅｓｅｒｖｅｄ−ｓｓｂ−ＳｕｂｃａｒｒｉｅｒＯｆｆｓｅｔ＋  ｐｄｃｃｈ−ＣｏｎｆｉｇＳＩＢ１；ｉｎｄｅｘ−ｒｅｓｅｒｖｅｄ−ｓｓｂ−ＳｕｂｃａｒｒｉｅｒＯｆｆｓｅｔ＞１である時にはＧＳＣＮ−ｃｅｌｌ−ｄｅｆｉｎｅｄ−ＳＳＢ＝ＧＳＣＮ−Ｃｕｒｒｅｎｔ−２５６＊(ｉｎｄｅｘ−ｒｅｓｅｒｖｅｄ−ｓｓｂ−ＳｕｂｃａｒｒｉｅｒＯｆｆｓｅｔ−２−ｐｄｃｃｈ−ＣｏｎｆｉｇＳＩＢ１によって計算されると仮定することができ；ＵＥは{ｉｎｄｅｘ−ｒｅｓｅｒｖｅｄ−ｓｓｂ−ＳｕｂｃａｒｒｉｅｒＯｆｆｓｅｔ、ｐｄｃｃｈ−ＣｏｎｆｉｇＳＩＢ１}＝{０，０}の場合にＧＳＣＮ−Ｃｕｒｒｅｎｔ−５１２乃至ＧＳＣＮ−Ｃｕｒｒｅｎｔ＋５１１範囲内にセル定義ＳＳ／ＰＢＣＨブロックがないと仮定し、ここでＧＳＣＮ−ｃｅｌｌ−ｄｅｆｉｎｅｄ−ＳＳＢは次のｃｅｌｌ−ｄｅｆｉｎｅｄ  ＳＳ／ＰＢＣＨブロックに対するＧＳＣＮであり、ＧＳＣＮ−ＣｕｒｒｅｎｔはＲＭＳＩが存在しないことで示される現在ＳＳ／ＰＢＣＨブロックに対するＧＳＣＮ値であり、ｉｎｄｅｘ−ｒｅｓｅｒｖｅｄ−ｓｓｂ−ＳｕｂｃａｒｒｉｅｒＯｆｆｓｅｔは({０，１，２，３}からの値を取る)ｓｓｂ−ＳｕｂｃａｒｒｉｅｒＯｆｆｓｅｔの予約されたコードポイントのインデックスであり、ｐｄｃｃｈ−ＣｏｎｆｉｇＳＩＢ１は{０，１，．．．，２５４，２５５}からの値を取る。
【０１１３】
【表５−１】
2021508201.tif 000017
【表５−２】
2021508201.tif 000018
【表５−３】
2021508201.tif 000019
【０１１４】
表５．ｓｓｂ−ＳｕｂｃａｒｒｉｅｒＯｆｆｓｅｔの要約されたコードポイント及びＦＲ１に対する示すためにＦＲ１のサブキャリアオフセットのＭＳＢ(例えば、
【数１１】
2021508201.tif 000020
)を示すのに用いられる要約されたビットのうちの一つと共にｐｄｃｃｈ−ＣｏｎｆｉｇＳＩＢ１(例えば、８ビット)
【０１１５】
【表６−１】
2021508201.tif 000021
【表６−２】
2021508201.tif 000022
【０１１６】
表６．ＦＲ２に対して示すためのｓｓｂ−ＳｕｂｃａｒｒｉｅｒＯｆｆｓｅｔの予約されたコードポイントと共にｐｄｃｃｈ−ＣｏｎｆｉｇＳＩＢ１(例えば、８ビット)
【０１１７】
表５及び６で、ＧＳＣＮ−ＣｕｒｒｅｎｔはＲＭＳＩが存在しないことで示される現在ＳＳ／ＰＢＣＨブロックに対するＧＳＣＮ値である。初期セル選択で、ＵＥは上位階層パラメーターｓｓｂ−ＳｕｂｃａｒｒｉｅｒＯｆｆｓｅｔが{１２，１３，１４，１５(又は同等に{ｒ＿０，ｒ＿１，ｒ＿２，ｒ＿３})からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｓｓｂ−ＳｕｂｃａｒｒｉｅｒＯｆｆｓｅｔ、
【数１２】
2021508201.tif 000023
(ＦＲ１場合だけ)及びｐｄｃｃｈ−ＣｏｎｆｉｇＳＩＢ１のマッピングが表５及び６によると仮定することができ、ＵＥはｓｓｂ−ＳｕｂｃａｒｒｉｅｒＯｆｆｓｅｔ＝１４又は１５の場合に与えられた範囲内にセル定義ＳＳ／ＰＢＣＨブロックがないと仮定する。
【０１１８】
表５及び６は公式によって同等に与えられることができるということを注目する。初期セル選択で、ＵＥは上位階層パラメーターｓｓｂ−ＳｕｂｃａｒｒｉｅｒＯｆｆｓｅｔが{１２，１３，１４，１５(又は同等に{ｒ＿０，ｒ＿１，ｒ＿２，ｒ＿３})からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮがｓｓｂ−ＳｕｂｃａｒｒｉｅｒＯｆｆｓｅｔ＝１２である時にはＧＳＣＮ−ｃｅｌｌ−ｄｅｆｉｎｅｄ−ＳＳＢ＝ＧＳＣＮ−Ｃｕｒｒｅｎｔ＋２５６＊ａＳＳＢ＋ｐｄｃｃｈ−ＣｏｎｆｉｇＳＩＢ１＋１；ｓｓｂ−ＳｕｂｃａｒｒｉｅｒＯｆｆｓｅｔ＝１３である時にはＧＳＣＮ−ｃｅｌｌ−ｄｅｆｉｎｅｄ−ＳＳＢ＝ＧＳＣＮ−Ｃｕｒｒｅｎｔ−２５６＊ａＳＳＢ−ｐｄｃｃｈ−ＣｏｎｆｉｇＳＩＢ１−１によって計算されると仮定することができ；ＵＥはｓｓｂ−ＳｕｂｃａｒｒｉｅｒＯｆｆｓｅｔ＝１４又は１５の場合にＧＳＣＮ−Ｃｕｒｒｅｎｔ−５１２＊ａＳＳＢ＋２５６＊(ｓｓｂ−ＳｕｂｃａｒｒｉｅｒＯｆｆｓｅｔ−１４)＋ｐｄｃｃｈ−ＣｏｎｆｉｇＳＩＢ１)／３２乃至ＧＳＣＮ−Ｃｕｒｒｅｎｔ＋５１２＊ａＳＳＢ＋２５６＊(ｓｓｂ−ＳｕｂｃａｒｒｉｅｒＯｆｆｓｅｔ−１４)＋ｐｄｃｃｈ−ＣｏｎｆｉｇＳＩＢ１)ｍｏｄ３２範囲内にセル定義ＳＳ／ＰＢＣＨブロックがないと仮定し、ここでＧＳＣＮ−ｃｅｌｌ−ｄｅｆｉｎｅｄ−ＳＳＢは次のｃｅｌｌ−ｄｅｆｉｎｅｄＳＳ／ＰＢＣＨブロックに対するＧＳＣＮであり、ＧＳＣＮ−ＣｕｒｒｅｎｔはＲＭＳＩが存在しないことで示される現在ＳＳ／ＰＢＣＨブロックに対するＧＳＣＮ値であり、ａＳＳＢはＦＲ１に対する
【数１３】
2021508201.tif 000024
及びＦＲ２に対する０であり、ｓｓｂ−ＳｕｂｃａｒｒｉｅｒＯｆｆｓｅｔは{１２，１３，１４，１５}からの値を取る。ｐｄｃｃｈ−ＣｏｎｆｉｇＳＩＢ１は{０，１，．．．，２５４，２５５}からの値を取る。
【０１１９】
【表７−１】
2021508201.tif 000025
【表７−２】
2021508201.tif 000026
【０１２０】
表７．ｓｓｂ−ＳｕｂｃａｒｒｉｅｒＯｆｆｓｅｔの予約されたコードポイント及びＦＲ１に対して示すためにＦＲ１のサブキャリアオフセットのＭＳＢ(例えば、
【数１４】
2021508201.tif 000027
)を示すのに用いられる予約されたビットのうちの一つと共にｐｄｃｃｈ−ＣｏｎｆｉｇＳＩＢ１(例えば、８ビット)
【０１２１】
【表８】
2021508201.tif 000028
【０１２２】
表８．ＦＲ２に対して示すためにｓｓｂ−ＳｕｂｃａｒｒｉｅｒＯｆｆｓｅｔの予約コードポイントと共にｐｄｃｃｈ−ＣｏｎｆｉｇＳＩＢ１(例えば、８ビット)を使用
【０１２３】
表７及び８で、ＧＳＣＮ−ＣｕｒｒｅｎｔはＲＭＳＩが存在しないことで示される現在ＳＳ／ＰＢＣＨブロックに対するＧＳＣＮ値である。初期セル選択で、ＵＥは上位階層パラメーターｓｓｂ−ＳｕｂｃａｒｒｉｅｒＯｆｆｓｅｔがＦＲ２に対して{１２，１３，１４，１５}からの値を取るか、ＦＲ１に対して
【数１５】
2021508201.tif 000029
を有する値{８，９，１０，１１，１２，１３，１４，１５}を取る場合(ｋ＿ＳＳＢがそれぞれＦＲ２に対する{１２，１３，１４，１５}とＦＲ１に対する{２４，２５，２６，２７，２８，２９，３０，３１}からの値を取ることと同等)に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｓｓｂ−ＳｕｂｃａｒｒｉｅｒＯｆｆｓｅｔ、
【数１６】
2021508201.tif 000030
(ＦＲ１場合だけ)及びｐｄｃｃｈ−ＣｏｎｆｉｇＳＩＢ１のマッピングが表７及び８によると仮定することができ、ＵＥはＦＲ２に対するｓｓｂ−ＳｕｂｃａｒｒｉｅｒＯｆｆｓｅｔ＝１５及びＦＲ１に対するｓｓｂ−ＳｕｂｃａｒｒｉｅｒＯｆｆｓｅｔ＝１５及び
【数１７】
2021508201.tif 000031
の場合に与えられた範囲ＧＳＣＮ−Ｃｕｒｒｅｎｔ  −  ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６内にセル定義ＳＳ／ＰＢＣＨブロックがないと仮定する。
【０１２４】
表７及び８は公式によって同等に与えられることができるということを注目する。初期セル選択で、ＵＥは上位階層パラメーターｓｓｂ−ＳｕｂｃａｒｒｉｅｒＯｆｆｓｅｔがＦＲ２に対して{１２，１３，１４，１５}からの値を取るか、ＦＲ１に対して
【数１８】
2021508201.tif 000032
を有する値{８，９，１０，１１，１２，１３，１４，１５}を取る場合(ｋ＿ＳＳＢがそれぞれＦＲ２に対する{１２，１３，１４，１５}とＦＲ１に対する{２４，２５，２６，２７，２８，２９，３０，３１}からの値を取ることと同等)に連関されたＲＭＳＩが存在しないと仮定することができ、ＵＥはＵＥが検索帯域内でセル定義ＳＳ／ＰＢＣＨブロックを検索することができる同期化ラスタのＧＳＣＮがＦＲ１の場合、
【数１９】
2021508201.tif 000033
及びｓｓｂ−ＳｕｂｃａｒｒｉｅｒＯｆｆｓｅｔ＝８、９又は１０である時にはＧＳＣＮ−ｃｅｌｌ−ｄｅｆｉｎｅｄ−ＳＳＢ＝ＧＳＣＮ−Ｃｕｒｒｅｎｔ＋２５６＊(ｓｓｂ−ＳｕｂｃａｒｒｉｅｒＯｆｆｓｅｔ−８)＋ｐｄｃｃｈ−ＣｏｎｆｉｇＳＩＢ１＋１；
【数２０】
2021508201.tif 000034
及びｓｓｂ−ＳｕｂｃａｒｒｉｅｒＯｆｆｓｅｔ＝１１、１２又は１３である時にはＧＳＣＮ−ｃｅｌｌ−ｄｅｆｉｎｅｄ−ＳＳＢ＝ＧＳＣＮ−Ｃｕｒｒｅｎｔ−２５６＊(ｓｓｂ−ＳｕｂｃａｒｒｉｅｒＯｆｆｓｅｔ−１１)＋ｐｄｃｃｈ−ＣｏｎｆｉｇＳＩＢ１−１；ＦＲ１の場合、ｓｓｂ−ＳｕｂｃａｒｒｉｅｒＯｆｆｓｅｔ＝１２である時にはＧＳＣＮ−ｃｅｌｌ−ｄｅｆｉｎｅｄ−ＳＳＢ＝ＧＳＣＮ−Ｃｕｒｒｅｎｔ＋ｐｄｃｃｈ−ＣｏｎｆｉｇＳＩＢ１＋１；ｓｓｂ−ＳｕｂｃａｒｒｉｅｒＯｆｆｓｅｔ＝１３である時にはＧＳＣＮ−ｃｅｌｌ−ｄｅｆｉｎｅｄ−ＳＳＢ＝ＧＳＣＮ−Ｃｕｒｒｅｎｔ−ｐｄｃｃｈ−ＣｏｎｆｉｇＳＩＢ１−１によって計算されると仮定することができ；ＵＥはＦＲ２に対するｓｓｂ−ＳｕｂｃａｒｒｉｅｒＯｆｆｓｅｔ＝１５及びＦＲ１に対するｓｓｂ−ＳｕｂｃａｒｒｉｅｒＯｆｆｓｅｔ＝１５及び
【数２１】
2021508201.tif 000035
の場合に与えられた範囲ＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６内にセル定義ＳＳ／ＰＢＣＨブロックがないと仮定し、ここでＧＳＣＮ−ｃｅｌｌ−ｄｅｆｉｎｅｄ−ＳＳＢは次のｃｅｌｌ−ｄｅｆｉｎｅｄ  ＳＳ／ＰＢＣＨブロックに対するＧＳＣＮであり、ＧＳＣＮ−ＣｕｒｒｅｎｔはＲＭＳＩが存在しないことで示される現在ＳＳ／ＰＢＣＨブロックに対するＧＳＣＮ値である。特別な場合は、ｐｄｃｃｈ−ＣｏｎｆｉｇＳＩＢ１＝０である時、与えられた範囲が単一ＧＳＣＮポイントＧＳＣＮ−Ｃｕｒｒｅｎｔと同一に、ＵＥはＧＳＣＮ−Ｃｕｒｒｅｎｔでのｃｅｌｌ−ｄｅｆｉｎｅｄ  ＳＳ／ＰＢＣＨブロックが次のｃｅｌｌ−ｄｅｆｉｎｅｄ  ＳＳ／ＰＢＣＨブロックの追加の情報と同一ではないと仮定することを注目する。
【０１２５】
【表９−１】
2021508201.tif 000036
【表９−２】
2021508201.tif 000037
【０１２６】
表９.ｓｓｂ−ＳｕｂｃａｒｒｉｅｒＯｆｆｓｅｔの予約されたコードポイント及びＦＲ１に対して示すためにＦＲ１のサブキャリアオフセットのＭＳＢ(例えば、
【数２２】
2021508201.tif 000038
)を示すのに用いられる予約されたビットのうちの一つと共にｐｄｃｃｈ−ＣｏｎｆｉｇＳＩＢ１(例えば、８ビット)
【０１２７】
【表１０−１】
2021508201.tif 000039
【表１０−２】
2021508201.tif 000040
【０１２８】
表１０。ＦＲ２に対して示すためのｓｓｂ−ＳｕｂｃａｒｒｉｅｒＯｆｆｓｅｔの予約されたコードポイントと共にｐｄｃｃｈ−ＣｏｎｆｉｇＳＩＢ１(例えば、８ビット)
【０１２９】
表９及び１０で、ＧＳＣＮ−ＣｕｒｒｅｎｔはＲＭＳＩが存在しないことで示される現在ＳＳ／ＰＢＣＨブロックに対するＧＳＣＮ値である。初期セル選択で、ＵＥは上位階層パラメーターｓｓｂ−ＳｕｂｃａｒｒｉｅｒＯｆｆｓｅｔが{１２，１３，１４，１５(又は同等に{ｒ＿０，ｒ＿１，ｒ＿２，ｒ＿３})からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｓｓｂ−ＳｕｂｃａｒｒｉｅｒＯｆｆｓｅｔ、
【数２３】
2021508201.tif 000041
(ＦＲ１場合だけ)及びｐｄｃｃｈ−ＣｏｎｆｉｇＳＩＢ１のマッピングが表９及び１０によると仮定することができ、ＵＥはＦＲ１に対してｓｓｂ−ＳｕｂｃａｒｒｉｅｒＯｆｆｓｅｔ＝１５の場合にはＧＳＣＮ−Ｃｕｒｒｅｎｔ−(＿＊２５６＋ｐｄｃｃｈ−ＣｏｎｆｉｇＳＩＢ１)／３２乃至ＧＳＣＮ−Ｃｕｒｒｅｎｔ＋(＿＊２５６＋ｐｄｃｃｈ−ＣｏｎｆｉｇＳＩＢ１)ｍｏｄ３２、及びＦＲ２に対してｓｓｂ−ＳｕｂｃａｒｒｉｅｒＯｆｆｓｅｔ＝１５又は１４の場合にはＧＳＣＮ−Ｃｕｒｒｅｎｔ−((ｓｓｂ−ＳｕｂｃａｒｒｉｅｒＯｆｆｓｅｔ−１４)＊２５６＋ｐｄｃｃｈ−ＣｏｎｆｉｇＳＩＢ１)／３２乃至ＧＳＣＮ−Ｃｕｒｒｅｎｔ＋((ｓｓｂ−ＳｕｂｃａｒｒｉｅｒＯｆｆｓｅｔ−１４)＊２５６＋ｐｄｃｃｈ−ＣｏｎｆｉｇＳＩＢ１)ｍｏｄ３２の与えられた範囲内にセル定義ＳＳ／ＰＢＣＨブロックがないと仮定する。
【０１３０】
表９及び１０は公式によって同等に与えられることができるということを注目する。初期セル選択で、ＵＥは上位階層パラメーターｓｓｂ−ＳｕｂｃａｒｒｉｅｒＯｆｆｓｅｔが{１２，１３，１４，１５(又は同等に{ｒ＿０，ｒ＿１，ｒ＿２，ｒ＿３})からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮがＦＲ１の場合、
【数２４】
2021508201.tif 000042
及びｓｓｂ−ＳｕｂｃａｒｒｉｅｒＯｆｆｓｅｔ＝１２，１３又は１４である時にはＧＳＣＮ−ｃｅｌｌ−ｄｅｆｉｎｅｄ−ＳＳＢ＝ＧＳＣＮ−Ｃｕｒｒｅｎｔ＋２５６＊(ｓｓｂ−ＳｕｂｃａｒｒｉｅｒＯｆｆｓｅｔ−１２＋ｐｄｃｃｈ−ＣｏｎｆｉｇＳＩＢ１＋１；
【数２５】
2021508201.tif 000043
及びｓｓｂ−ＳｕｂｃａｒｒｉｅｒＯｆｆｓｅｔ＝１２，１３又は１４である時にはＧＳＣＮ−ｃｅｌｌ−ｄｅｆｉｎｅｄ−ＳＳＢ＝ＧＳＣＮ−Ｃｕｒｒｅｎｔ−２５６＊(ｓｓｂ−ＳｕｂｃａｒｒｉｅｒＯｆｆｓｅｔ−１２−ｐｄｃｃｈ−ＣｏｎｆｉｇＳＩＢ１−１；ＦＲ２の場合  ｓｓｂ−ＳｕｂｃａｒｒｉｅｒＯｆｆｓｅｔ＝１２である時にはＧＳＣＮ−ｃｅｌｌ−ｄｅｆｉｎｅｄ−ＳＳＢ＝ＧＳＣＮ−Ｃｕｒｒｅｎｔ＋ｐｄｃｃｈ−ＣｏｎｆｉｇＳＩＢ１＋１；ｓｓｂ−ＳｕｂｃａｒｒｉｅｒＯｆｆｓｅｔ＝１３である時にはＧＳＣＮ−ｃｅｌｌ−ｄｅｆｉｎｅｄ−ＳＳＢ＝ＧＳＣＮ−Ｃｕｒｒｅｎｔ−ｐｄｃｃｈ−ＣｏｎｆｉｇＳＩＢ１−１によって計算されると仮定することができ；ＵＥはＦＲ１に対してｓｓｂ−ＳｕｂｃａｒｒｉｅｒＯｆｆｓｅｔ＝１５であり、ＦＲ２に対してｓｓｂ−ＳｕｂｃａｒｒｉｅｒＯｆｆｓｅｔ＝１５又は１４の場合にＧＳＣＮ−Ｃｕｒｒｅｎｔ−(ａ＊２５６＋ｐｄｃｃｈ−ＣｏｎｆｉｇＳＩＢ１)／３２乃至ＧＳＣＮ−Ｃｕｒｒｅｎｔ＋(ａ＊２５６＋ｐｄｃｃｈ−ＣｏｎｆｉｇＳＩＢ１)ｍｏｄ３２の与えられた範囲内にセル定義ＳＳ／ＰＢＣＨブロックがないと仮定し、ここでＦＲ１に対しては
【数２６】
2021508201.tif 000044
であり、ＦＲ２に対してはａ＝(ｓｓｂ−ＳｕｂｃａｒｒｉｅｒＯｆｆｓｅｔ−１４)であり、ＧＳＣＮ−ｃｅｌｌ−ｄｅｆｉｎｅｄ−ＳＳＢは次のｃｅｌｌ−ｄｅｆｉｎｅｄ  ＳＳ／ＰＢＣＨブロックに対するＧＳＣＮであり、ＧＳＣＮ−ＣｕｒｒｅｎｔはＲＭＳＩが存在しないことで示される現在ＳＳ／ＰＢＣＨブロックに対するＧＳＣＮ値であり、ｓｓｂ−ＳｕｂｃａｒｒｉｅｒＯｆｆｓｅｔは{１２，１３，１４，１５}からの値を取る。ｐｄｃｃｈ−ＣｏｎｆｉｇＳＩＢ１は{０，１，．．．，２５４，２５５}からの値を取る。
【０１３１】
一実施形態で、８ビットはＲＭＳＩと連関された後、ＳＳ／ＰＢＣＨブロックが内部に位置されることができる周波数位置の範囲を示すために用いられ、ここで２５６コードポイントのそれぞれはＳＳ／ＰＢＣＨブロックが位置されることができる周波数位置の範囲を示す。８ビットをデコーディングした後、ＵＥは示された周波数範囲で直接進行し、示された範囲内に多数の同期化ラスタがある場合に示された範囲内のすべての同期化ラスタをブラインドするように検索することができ、示された範囲内に単一同期化ラスタだけがある場合に示された同期化ラスタを直接検索することができる。
【０１３２】
例えば、表１１で、与えられた帯域に対して、最も低いキャリア周波数をＦ＿１として、最も高いキャリア周波数をＦ＿２として仮定する。全体帯域は多分同期化ラスタを含む２５６個の周波数位置範囲に分割され、ここでそれぞれの範囲の間隔はＩ＿Ｆ＝(Ｆ＿２−Ｆ＿１)／２５５であり、２５６個のコードポイントのそれぞれは周波数位置の範囲のうちの一つを示す。
【０１３３】
【表１１】
2021508201.tif 000045
【０１３４】
表１１．Ｆ＿１及びＦ＿２は同期化ラスタを含む帯域幅の最低及び最高キャリア周波数として定義されることができる(例えば、Ｆ＿１は与えられた帯域に対する第１の同期化ラスタの位置で、Ｆ＿２は与えられた帯域に対する最後の同期化ラスタの位置である)。
【０１３５】
他の例で、表１２で、与えられた帯域に対して、最も低いキャリア周波数をＦ＿１として、最も高いキャリア周波数をＦ＿２として仮定し、ＵＥがＲＭＳＩ無しにＳＳ／ＰＢＣＨブロックを検出する(同期化ラスタ上の)現在位置をＦ＿Ｓとして仮定する。検索する帯域の残りの部分は多分同期化ラスタを含む２５６個の周波数位置範囲に分割され、ここでそれぞれの範囲の間隔は検索手順が周波数ドメインで低いことから高いことで仮定する場合にはＩ＿Ｆ＝(Ｆ＿２−Ｆ＿ｃ)／２５５で(検索手順が周波数ドメインで高いことから低いことに仮定する場合にはＩ＿Ｆ＝(Ｆ＿ｃ−Ｆ＿１)／２５５である)、２５６個のコードポイントのそれぞれは周波数位置の範囲のうちの一つを示す。
【０１３６】
【表１２】
2021508201.tif 000046
【０１３７】
表１２．Ｆ＿１及びＦ＿２は同期化ラスタを含む帯域幅の最低及び最高キャリア周波数として定義されることができる(例えば、Ｆ＿１は与えられた帯域に対する第１の同期化ラスタの位置で、Ｆ＿２は与えられた帯域に対する最後の同期化ラスタの位置である)。
【０１３８】
一実施形態で、示されたすべての範囲内に一つの同期化ラスタだけが存在する場合(分割された範囲が均一ではないこともあるということを注目する)、上述した実施形態はこのような帯域で同期化ラスタの正確な位置を示すことと事実上同一である。相変らず、コードポイントのうちの一つは帯域内でセル定義ＳＳ／ＰＢＣＨブロックがないことを示すために用いられることができ、コードポイントは同期化ラスタ位置を示すこととは別個のコードポイントであることができるか、周波数ドメイン(すなわち、また同期化ラスタ)での現在検索位置に相応する同期化ラスタ位置であれば良い。
【０１３９】
一つの下位実施形態で、同期化ラスタの数が一つの帯域に対して２５５を超過すれば、ＰＢＣＨコンテンツの一部予約されたビット又はＰＢＣＨコンテンツの他のフィールドからの一部予約されたコードポイントはより大きいインディケーション範囲を獲得するためにＲＭＳＩ  ＣＯＲＥＳＥＴ設定のために８ビットと組み合せることができる。例えば、一つの余分のビットが組み合せることができる場合、インディケーション範囲は(帯域でセル定義ＳＳ／ＰＢＣＨブロックがないことを示すどんなコードポイントによって)５１１又は５１２に拡大されることができる。他の例の場合、最大４個の他の予約されたコードポイントが組み合せることができる場合、インディケーション範囲は(帯域でセル定義ＳＳ／ＰＢＣＨブロックがないことを示すどんなコードポイントによって)最大１０２３又は１０２４に拡大されることができ、これはＮＲに対する帯域内でラスタインデックスを示すに十分である。
【０１４０】
例えば、ＰＢＣＨコンテンド(ｃｏｎｔｅｎｄ)又は予約されたコードポイントの他のフィールドは帯域数を示すために用いられることができることで、ＳＳＢ／ＰＢＣＨブロックがＲＭＳＩと連関されない現在同期化ラスタが２個の帯域の間の重畳帯域幅に位置されるようにする。
【０１４１】
例えば、ＭＩＢでｓｓｂ−ＳｕｂｃａｒｒｉｅｒＯｆｆｓｅｔの予約されたコードポイント共に８ビットのＲＭＳＩ  ＣＯＲＥＳＥＴ構成(すなわち、ｐｄｃｃｈ−ＣｏｎｆｉｇＳＩＢ１)(ｒ＿０，ｒ＿１，ｒ＿２，ｒ＿３として示されることができるｓｓｂ−ＳｕｂｃａｒｒｉｅｒＯｆｆｓｅｔには４個の予約されたコードポイントがあるということを注目する)は表１３に示されたように用いられ、ここでＧＳＣＮ−ｆｉｒｓｔは現在検索された帯域に対する第１ＧＳＣＮ値であり、ＧＳＣＮ−ｓｔｅｐ−ｓｉｚｅは現在検索された帯域に対するＧＳＣＮ値の段階大きさ(ｓｔｅｐ  ｓｉｚｅ)であり(例えば、それぞれの帯域に対するＧＳＣＮ−ｆｉｒｓｔ及びＧＳＣＮ−ｓｔｅｐ−ｓｉｚｅの特定値に係る無線通信仕様で発見されることができる)、別個のコードポイントは現在検索された帯域にセル定義ＳＳ／ＰＢＣＨブロックがないことを示すのに用いられる(例えば、ｓｓｂ−ＳｕｂｃａｒｒｉｅｒＯｆｆｓｅｔはｒ＿０の値を取って、ｐｄｃｃｈ−ＣｏｎｆｉｇＳＩＢ１は０の値を取る)。
【０１４２】
初期セル選択で、ＵＥは上位階層パラメーターｓｓｂ−ＳｕｂｃａｒｒｉｅｒＯｆｆｓｅｔが{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｓｓｂ−ＳｕｂｃａｒｒｉｅｒＯｆｆｓｅｔ及びｐｄｃｃｈ−ＣｏｎｆｉｇＳＩＢ１のマッピングが表１３によると仮定することができる。サポートされたＮＲ帯域に対する最大ＧＳＣＮの数は６２０であり、これは表１３で最大ＧＳＣＮ−ｆｉｒｓｔ乃至ＧＳＣＮ−ｆｉｒｓｔ＋６１９＊ＧＳＣＮ−ｓｔｅｐ−ｓｉｚｅとして示されたＧＳＣＮ範囲を決定するということを注目する。
【０１４３】
ＮＲに新しい帯域が定義されていると、残りの予約されたコードポイント組合はインディケーション範囲をさらに拡大するのに用いられることができる。例えば、サポートされたＮＲ帯域に対するＧＳＣＮの最大数がＸとして決定されると、表１３に示されたＧＳＣＮ範囲はＧＳＣＮ−ｆｉｒｓｔ乃至ＧＳＣＮ−ｆｉｒｓｔ＋(Ｘ−１)＊ＧＳＣＮ−ｓｔｅｐ−ｓｉｚｅであれば良い。表１３のインディケーション能力は最大１０２３のＸであっても良いということを注目する。
【０１４４】
また、表１３は公式によって同様に与えられることができるということを注目する。初期セル選択で、ＵＥは上位階層パラメーターｓｓｂ−ＳｕｂｃａｒｒｉｅｒＯｆｆｓｅｔが{０，１，２，３}の値をそれぞれ取るｉｎｄｅｘ−ｒｅｓｅｒｖｅｄ−ｓｓｂ−ＳｕｂｃａｒｒｉｅｒＯｆｆｓｅｔに相応する{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮが{ｉｎｄｅｘ−ｒｅｓｅｒｖｅｄ−ｓｓｂ−ＳｕｂｃａｒｒｉｅｒＯｆｆｓｅｔ、ｐｄｃｃｈ−ＣｏｎｆｉｇＳＩＢ１}{０、０}である時にはＧＳＣＮ−ｃｅｌｌ−ｄｅｆｉｎｅｄ−ＳＳＢ＝ＧＳＣＮ−ｆｉｒｓｔ＋２５６＊ｉｎｄｅｘ−ｒｅｓｅｒｖｅｄ−ｓｓｂ−ＳｕｂｃａｒｒｉｅｒＯｆｆｓｅｔ＊ＧＳＣＮ−ｓｔｅｐ−ｓｉｚｅ＋(ｐｄｃｃｈ−ＣｏｎｆｉｇＳＩＢ１−１)＊ＧＳＣＮ−ｓｔｅｐ−ｓｉｚｅによって計算されると仮定することができ、ＵＥは{ｉｎｄｅｘ−ｒｅｓｅｒｖｅｄ−ｓｓｂ−ＳｕｂｃａｒｒｉｅｒＯｆｆｓｅｔ、ｐｄｃｃｈ−ＣｏｎｆｉｇＳＩＢ１}＝{０、０}の場合に現在検索された帯域内にセル定義ＳＳ／ＰＢＣＨブロックがないと仮定し、ここでＧＳＣＮ−ｃｅｌｌ−ｄｅｆｉｎｅｄ−ＳＳＢは現在検索された帯域内の次のｃｅｌｌ−ｄｅｆｉｎｅｄ  ＳＳ／ＰＢＣＨブロックに対するＧＳＣＮであり、ＧＳＣＮ−ｆｉｒｓｔは現在検索された帯域に対する第１ＧＳＣＮ値であり、ＧＳＣＮ−ｓｔｅｐ−ｓｉｚｅは現在検索された帯域に対するＧＳＣＮ値の段階大きさで、ｉｎｄｅｘ−ｒｅｓｅｒｖｅｄ−ｓｓｂ−ＳｕｂｃａｒｒｉｅｒＯｆｆｓｅｔは({０，１，２，３}からの値を取る)ｓｓｂ−ＳｕｂｃａｒｒｉｅｒＯｆｆｓｅｔの予約されたコードポイントのインデックスであり、ｐｄｃｃｈ−ＣｏｎｆｉｇＳＩＢ１は{０，１，．．．，２５４，２５５}からの値を取る。
【０１４５】
一実施形態で、ＧＳＣＮ−ｃｅｌｌ−ｄｅｆｉｎｅｄ−ＳＳＢはこの時点にＧＳＣＮ−ｆｉｒｓｔ＋６１９＊ＧＳＣＮ−ｓｔｅｐ−ｓｉｚｅより小さいか同一であるように制限されることができ、すべての他のコードポイントは順方向互換性(ｆｏｒｗａｒｄ  ｃｏｍｐａｔｉｂｉｌｉｔｙ)のために予約される。
【０１４６】
【表１３】
2021508201.tif 000047
【０１４７】
表１３．インディケーション能力
【０１４８】
他の例で、ＭＩＢでｓｓｂ−ＳｕｂｃａｒｒｉｅｒＯｆｆｓｅｔの予約されたコードポイントと共に８ビットのＲＭＳＩ  ＣＯＲＥＳＥＴ構成(すなわち、ｐｄｃｃｈ−ＣｏｎｆｉｇＳＩＢ１)を用いること(ｒ＿０，ｒ＿１，ｒ＿２，ｒ＿３として示されることができるｓｓｂ−ＳｕｂｃａｒｒｉｅｒＯｆｆｓｅｔには４個の予約されたコードポイントがあるということを注目する)は表１４に示され、ここでＧＳＣＮ−ｆｉｒｓｔは現在検索された帯域に対する第１ＧＳＣＮ値であり、ＧＳＣＮ−ｓｔｅｐ−ｓｉｚｅは現在検索された帯域に対するＧＳＣＮ値の段階大きさで(例えば、それぞれの帯域に対するＧＳＣＮ−ｆｉｒｓｔ及びＧＳＣＮ−ｓｔｅｐ−ｓｉｚｅの特定値に係る無線通信仕様で発見されることができる)、現在位置されたＳＳ／ＰＢＣＨブロックのＧＳＣＮに相応するコードポイントが現在検索された帯域でセル定義ＳＳ／ＰＢＣＨブロックを示すのに用いられるので別個のコードポイントは現在検索された帯域でセル定義ＳＳ／ＰＢＣＨブロックがないことを示すのに用いられない。
【０１４９】
初期セル選択で、ＵＥは上位階層パラメーターｓｓｂ−ＳｕｂｃａｒｒｉｅｒＯｆｆｓｅｔが{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮに対するｓｓｂ−ＳｕｂｃａｒｒｉｅｒＯｆｆｓｅｔ及びｐｄｃｃｈ−ＣｏｎｆｉｇＳＩＢ１のマッピングが表１４によると仮定することができる。
【０１５０】
表１４によって決定されたセル定義ＳＳ／ＰＢＣＨブロックに対するＧＳＣＮが現在ＳＳ／ＰＢＣＨブロックのＧＳＣＮと同一である場合、ＵＥは現在検索された帯域でセル定義ＳＳ／ＰＢＣＨブロックがないことを仮定する。サポートされたＮＲ帯域に対するＧＳＣＮの最大数は６２０であり、これは表１４で多ければＧＳＣＮ−ｆｉｒｓｔ乃至ＧＳＣＮ−ｆｉｒｓｔ＋６１９＊ＧＳＣＮ−ｓｔｅｐ−ｓｉｚｅとして示されたＧＳＣＮ範囲を決定する。
【０１５１】
ＮＲに新しい帯域が定義されていると、残りの予約されたコードポイント組み合せはインディケーション範囲をさらに拡大するのに用いられることができる。例えば、サポートされたＮＲ帯域に対するＧＳＣＮの最大数がＸとして決定されると、表１４に示されたＧＳＣＮ範囲はＧＳＣＮ−ｆｉｒｓｔ乃至ＧＳＣＮ−ｆｉｒｓｔ＋(Ｘ−１)＊ＧＳＣＮ−ｓｔｅｐ−ｓｉｚｅであれば良い。表１４のインディケーション能力は最大１０２４のＸであっても良いということを注目する。また、表１４は公式によって同様に与えられることができるということを注目する。
【０１５２】
初期セル選択で、ＵＥは上位階層パラメーターｓｓｂ−ＳｕｂｃａｒｒｉｅｒＯｆｆｓｅｔが{０，１，２，３}の値をそれぞれ取るｉｎｄｅｘ−ｒｅｓｅｒｖｅｄ−ｓｓｂ−ＳｕｂｃａｒｒｉｅｒＯｆｆｓｅｔに相応する{ｒ＿０，ｒ＿１，ｒ＿２，ｒ＿３}からの値を取る場合に連関されたＲＭＳＩが存在しないと仮定することができ、ＵＥはＵＥが検索帯域内でセル定義ＳＳ／ＰＢＣＨブロックを検索することができる同期化ラスタのＧＳＣＮがＧＳＣＮ−ｃｅｌｌ−ｄｅｆｉｎｅｄ−ＳＳＢ＝ＧＳＣＮ−ｆｉｒｓｔ＋２５６＊ｉｎｄｅｘ−ｒｅｓｅｒｖｅｄ−ｓｓｂ−ＳｕｂｃａｒｒｉｅｒＯｆｆｓｅｔ＊ＧＳＣＮ−ｓｔｅｐ−ｓｉｚｅ＋ｐｄｃｃｈ−ＣｏｎｆｉｇＳＩＢ１＊ＧＳＣＮ−ｓｔｅｐ−ｓｉｚｅによって計算されると仮定することができ、ＵＥはＧＳＣＮ−ｃｅｌｌ−ｄｅｆｉｎｅｄ−ＳＳＢが現在ＳＳ／ＰＢＣＨブロックのＧＳＣＮと同一な場合に現在検索された帯域内にセル定義ＳＳ／ＰＢＣＨブロックがないと仮定し、ここでＧＳＣＮ−ｃｅｌｌ−ｄｅｆｉｎｅｄ−ＳＳＢは現在検索された帯域内の次のｃｅｌｌ−ｄｅｆｉｎｅｄ  ＳＳ／ＰＢＣＨブロックに対するＧＳＣＮであり、ＧＳＣＮ−ｆｉｒｓｔは現在検索された帯域に対する第１ＧＳＣＮ値であり、ＧＳＣＮ−ｓｔｅｐ−ｓｉｚｅは現在検索された帯域に対するＧＳＣＮ値の段階大きさで、ｉｎｄｅｘ−ｒｅｓｅｒｖｅｄ−ｓｓｂ−ＳｕｂｃａｒｒｉｅｒＯｆｆｓｅｔは({０，１，２，３}からの値を取る)ｓｓｂ−ＳｕｂｃａｒｒｉｅｒＯｆｆｓｅｔの予約されたコードポイントのインデックスであり、ｐｄｃｃｈ−ＣｏｎｆｉｇＳＩＢ１は{０，１，．．．，２５４，２５５}からの値を取る。一実施形態で、ＧＳＣＮ−ｃｅｌｌ−ｄｅｆｉｎｅｄ−ＳＳＢはこの時点にＧＳＣＮ−ｆｉｒｓｔ＋６１９＊ＧＳＣＮ−ｓｔｅｐ−ｓｉｚｅより小さいか同一であるように制限されることができ、すべての他のコードポイントは順方向互換性のために予約される。
【０１５３】
【表１４】
2021508201.tif 000048
【０１５４】
表１４．インディケーション能力
【０１５５】
一実施形態で、ＰＢＣＨペイ・ロードのフィールドはＲＭＳＩと連関されたＳＳ／ＰＢＣＨブロックが位置されることができる周波数位置又はキャリアの範囲のビットマップを示すのに用いられる。ＰＢＣＨペイ・ロードでフィールドをデコーディングした後、ＵＥはＲＭＳＩと連関されたＳＳ／ＰＢＣＨブロックが位置されることができる周波数位置のすべての範囲を見つけることができる。ＵＥは示された位置範囲のうちの一つを選択し(例えば、当該周波数範囲に対するビットマップで“１”として示される)、示された範囲内のすべての同期化ラスタをブラインドするように検索することができる。
【０１５６】
例えば、最も低いキャリア周波数をＦ＿１として、最も高いキャリア周波数をＦ＿２として仮定する。全体帯域は多分同期化ラスタ［Ｆ＿１、Ｆ＿１＋Ｉ＿Ｆ)、［Ｆ＿１＋Ｉ＿Ｆ，Ｆ＿１＋２＊Ｉ＿Ｆ)、．．．、［Ｆ＿１＋(Ｎ−１)＊Ｉ＿Ｆ，Ｆ＿２］を含むＮ個の周波数位置範囲に分割され、ここでそれぞれの範囲の間隔はＩ＿Ｆ＝(Ｆ＿２−Ｆ＿１)／(Ｎ−１)で、２＾ＮコードポイントのそれぞれはＲＭＳＩを有するＳＳ／ＰＢＣＨブロックを含むＮ個の範囲のうちのいずれかを示すビットマップを示す。表１５はＮ＝８の例を示す。表１６はＮ＝４の例を示す。
【０１５７】
【表１５】
2021508201.tif 000049
【０１５８】
表１５．Ｎ＝８、Ｆ＿１及びＦ＿２は同期化ラスタを含む帯域幅の最低及び最高キャリア周波数として定義されることができる(すなわち、Ｆ＿１は与えられた帯域に対する第１同期化ラスタの位置で、Ｆ＿２は与えられた帯域に対する最後の同期化ラスタの位置である)。
【０１５９】
【表１６】
2021508201.tif 000050
【０１６０】
表１６．Ｎ＝４、Ｆ＿１及びＦ＿２は同期化ラスタを含む帯域幅の最低及び最高キャリア周波数として定義されることができる(すなわち、Ｆ＿１は与えられた帯域に対する第１同期化ラスタの位置で、Ｆ＿２は与えられた帯域に対する最後の同期化ラスタの位置である)。
【０１６１】
他の例で、最も低いキャリア周波数をＦ＿１として、最も高いキャリア周波数をＦ＿２として仮定し、ＵＥがＲＭＳＩ無しにＳＳ／ＰＢＣＨブロックを検出する(同期化ラスタ上の)現在位置をＦ＿Ｓとして仮定する。検索する帯域の残りの部分は多分同期化ラスタ［Ｆ＿ｃ、Ｆ＿ｃ＋Ｉ＿Ｆ)、［Ｆ＿ｃ＋Ｉ＿Ｆ，Ｆ＿ｃ＋２＊Ｉ＿Ｆ)、．．．、［Ｆ＿ｃ＋(Ｎ−１)＊Ｉ＿Ｆ，Ｆ＿２］を含むＮ個の周波数位置範囲に分割され、ここでそれぞれの範囲の間隔は検索手順が周波数ドメイン(Ｉ＿Ｆ＝(Ｆ＿ｃ−Ｆ＿１)／(Ｎ−１)で低いことから高いことで仮定する場合にはＩ＿Ｆ＝(Ｆ＿２−Ｆ＿ｃ)／(Ｎ−１)で、範囲は検索手順が周波数ドメインで高いことから低いことで仮定する場合には［Ｆ＿１、Ｆ＿１＋  Ｉ＿Ｆ)、［Ｆ＿１＋Ｉ＿Ｆ，Ｆ＿１＋２＊Ｉ＿Ｆ)、．．．、［Ｆ＿１＋(Ｎ−１)＊Ｉ＿Ｆ，Ｆ＿ｃ］であり、２＾ＮコードポイントのそれぞれはＲＭＳＩを有するＳＳ／ＰＢＣＨブロックを含むＮ個の範囲のうちのいずれかを示すビットマップを示す。表１７はＮ＝８の例を示し、表１８はＮ＝４の例を示す。
【０１６２】
【表１７】
2021508201.tif 000051
【０１６３】
表１７．Ｎ＝８、Ｆ＿１及びＦ＿２は同期化ラスタを含む帯域幅の最低及び最高キャリア周波数として定義されることができる(すなわち、Ｆ＿１は与えられた帯域に対する第１同期化ラスタの位置で、Ｆ＿２は与えられた帯域に対する最後の同期化ラスタの位置である)。
【０１６４】
【表１８】
2021508201.tif 000052
【０１６５】
表１８．Ｎ＝４、Ｆ＿１及びＦ＿２は同期化ラスタを含む帯域幅の最低及び最高キャリア周波数として定義されることができる(すなわち、Ｆ＿１は与えられた帯域に対する第１同期化ラスタの位置で、Ｆ＿２は与えられた帯域に対する最後の同期化ラスタの位置である)。
【０１６６】
一実施形態で、多数のＳＳ／ＰＢＣＨブロックが広帯域でサポートされる時、同期化ラスタ上に位置されないＳＳ／ＰＢＣＨブロックがあり得る。ＲＭＳＩと連関されることができるか連関されないこともあるこのようなＳＳ／ＰＢＣＨブロックに対して、連関されたＲＭＳＩがあるか否かはＰＲＢグリッドオフセットインディケーション内のコードポイントによって示される。ＵＥが同期化ラスタ上でＳＳ／ＰＢＣＨブロックを成功的に検出し、ＳＳ／ＰＢＣＨブロックと連関されたＲＭＳＩがないことをさらに検出すれば、ＵＥは元々ＲＭＳＩ設定のために用いられる８ビットを用い、同期化ラスタ上で次又は他のＳＳ／ＰＢＣＨブロックの正確な位置を示すことができることによって、ＵＥがブラインドするように検索するために一部同期化ラスタ位置をスキップ(ｓｋｉｐ)できるようにする。示されたＳＳ／ＰＢＣＨが同期化ラスタ上にある場合、構成要素Ｉの示されたすべての方法はここで再使用されることができる。
【０１６７】
他の実施形態で、多数のＳＳ／ＰＢＣＨブロックが広帯域でサポートされる時、同期化ラスタ上に位置されないＳＳ／ＰＢＣＨブロックがあり得る。ＲＭＳＩと連関されることができるとか連関されないこともあるこのようなＳＳ／ＰＢＣＨブロックに対して、連関されたＲＭＳＩがあるか否かはＰＲＢグリッドオフセットインディケーション内のコードポイントによって示される。ＵＥが同期化ラスタ上にないＳＳ／ＰＢＣＨブロックを成功的に検出し、ＳＳ／ＰＢＣＨブロックと連関されたＲＭＳＩがないことをさらに検出すれば、ＵＥは元々ＲＭＳＩ設定のために用いられる８ビットを用い、次の又は他のＳＳ／ＰＢＣＨブロックの正確な位置を示すむことができ、このようなＳＳ／ＰＢＣＨブロックは同期化ラスタ上にあるかないこともあり、連関されたＲＭＳＩを有するか有しないこともある。
【０１６８】
例えば、８ビットはＲＭＳＩと連関されるか連関されないこともある他のＳＳ／ＰＢＣＨブロックの正確な位置を示すのに用いられ、ここで２５６コードポイントのそれぞれはＲＭＳＩ無しに現在ＳＳ／ＰＢＣＨブロックに比べて正確な相手位置を示す。ＭＩＢからのこのような８ビットをデコーディングした後、ＵＥは他の示されたＳＳ／ＰＢＣＨブロックの周波数位置を直接見つけることができる。ＳＳ／ＰＢＣＨブロックが検出される現在同期化ラスタに対する相手位置は当該帯域に対するＳＳ数秘学(ｎｕｍｅｒｏｌｏｇｙ)の側面でＰＲＢの数によって測定され、ここでこのような数はいつも負ではなく、これは相手位置が帯域内で初期セル検索手順によって常に定義されるということを意味する。次のＳＳ／ＰＢＣＨブロックの“０”相手位置を定義するコードポイントは必須的であるが、その理由はコードポイントが８ビットを用いる(例えば、２５５個のＰＲＢの帯域幅に対する)インディケーション能力内でＲＭＳＩが連関されるＳＳ／ＰＢＣＨ同期化が存在せずＵＥがＳＳ／ＰＢＣＨブロックを検索するためにすべての２５５個の可能なＰＲＢをスキップすることができるからである。
【０１６９】
また、他の実施形態で、多数のＳＳ／ＰＢＣＨブロックが広帯域でサポートされる時、同期化ラスタ上に位置されないＳＳ／ＰＢＣＨブロックがあり得る。ＲＭＳＩと連関されることができるとか連関されないこともあるこのようなＳＳ／ＰＢＣＨブロックに対して、連関されたＲＭＳＩがあるか否かはＰＲＢグリッドオフセットインディケーション内のコードポイント(すなわち、ｓｓｂ−ＳｕｂｃａｒｒｉｅｒＯｆｆｓｅｔの予約されたコードポイント、例えば、ｒ＿０)によって示される。ｐｄｃｃｈ−ＣｏｎｆｉｇＳＩＢ１の８ビットは他の目的(例えば、測定パラメーター設定)のために予約されることができる。
【０１７０】
次のフィールドのうちの少なくとも一部又は全部は共通制御チャンネル専用に設計されたコンパクト(ｃｏｍｐａｃｔ)ＤＣＩフォーマットのコンテンツ内にあるように提供され、これは４段階ＲＡＣＨ又は２段階ＲＡＣＨでＲＭＳＩ(ｒｅｍａｉｎｉｎｇ  ｍｉｎｉｍｕｍ  ｓｙｓｔｅｍ  ｉｎｆｏｒｍａｔｉｏｎ)の送信、他のシステム情報(ｏｔｈｅｒ  ｓｙｓｔｅｍ  ｉｎｆｏｒｍａｔｉｏｎ、ＯＳＩ)のブロードキャスト、ページング、及びランダムアクセス応答(ＲＡＲ)うちの少なくとも一つを含むことができる。
【０１７１】
一般的に、２つのタイプのＰＤＳＣＨリソース割り当てが定義され、ここでタイプ０はビットマップを用いてＢＷＰの大きさ(例えば、一つの  ＲＢＧは一般的に多数のＶＲＢから構成される)によって決定された周波数リソースの設定可能な粒度(ｇｒａｎｕｌａｒｉｔｙ)を有するリソース割り当てを示し、タイプ１はリソースインディケーション値(ｒｅｓｏｕｒｃｅ  ｉｎｄｉｃａｔｉｏｎ  ｖａｌｕｅ、ＲＩＶ)を用いて１ＶＲＢの粒度を有する周波数ドメインで開始ＶＲＢ及び連続ＶＲＢの長さを示す。
【０１７２】
一実施形態で、本開示で提供される共通制御チャンネルに対し、単一タイプのリソース割り当て方式だけがコンパクトＤＣＩフォーマットでサポートされ、リソース割り当てのタイプを示すため(又はサポートされた単一タイプのリソース割り当てを示す固定された値を有する聞き取りビット(ｈｅａｒ  ｂｉｔ)を相変らず維持するため)ヘッダービットが基本的に必要ではない。
【０１７３】
例えば、共通制御チャンネルに対して、セル内のすべてのＵＥによってメッセージが受信されることができるので、Ｘ  ＶＲＢの粒度を有する設定されたリソースの利用を最大化しようと試みることが有利である。したがって、コンパクトＤＣＩフォーマットではタイプ１リソース割り当て方式だけがサポートされる。一般的に、ＲＩＶの定義のために用いられるタイプ１リソース割り当てのビット幅はＢＷＰの大きさに係ることができるが、本開示で提供される共通制御チャンネルに対して、ＲＩＶの定義はＰＤＳＣＨに対するＢＷＰの大きさが一般的なＰＤＳＣＨデータほど柔軟ではない。
【０１７４】
例えば、ＲＩＶを定義するためのＢＷＰの大きさはすべての共通制御チャンネル、例えば  ９６(ＭＩＢに設定されたＣＯＲＥＳＥＴ  ＢＷに対するＲＢの最大担当)に対して固定されている。そんな後、フィールドのビット幅はすべての共通制御チャンネルに共通である。ＲＩＶはＲＩＶ＝９６＊(Ｌ＿ＶＲＢ−１)＋Ｓ＿ＶＲＢによって定義されることができ、ここで  Ｌ＿ＶＲＢはＶＲＢの長さであり、Ｓ＿ＶＲＢは開始ＶＲＢインデックスである。
【０１７５】
図１０は、本開示の実施形態によってＲＭＳＩ１０００のＣＯＲＥＳＥＴと多重化された例示的なＳＳ／ＰＢＣＨブロックを示す。図１０に示されたＲＭＳＩ１０００のＣＯＲＥＳＥＴと多重化されたＳＳ／ＰＢＣＨブロックの実施形態はただ例示のためのことである。図１０は本開示の範囲を任意の特定具現で制限しない。
【０１７６】
上述した例の一つの特別な下位例(ｓｕｂ−ｅｘａｍｐｌｅ)はＬ＿ＶＲＢ＝ＣＯＲＥＳＥＴ＿ＢＷ及びＳ＿ＶＲＢ＝０であり、これはＰＤＳＣＨ  ＢＷがＣＯＲＥＳＥＴ＿ＢＷと同一で、一部多重化パターン(例えば、少なくとも図１０のようなパターン２及び／又はパターン３、及び／又はＰＤＳＣＨカバレッジが小さいＢＷ及び／又は少ない数のＯＦＤＭシンボルのように制限されるパターン１の一部場合に対して)に適用されることができることを意味する。下位例ではビットが必要ではなく、ＲＩＶ値(又は同一にＬ＿ＶＲＢ及びＳ＿ＶＲＢ)が仕様でハードコーディング(ｈａｒｄ−ｃｏｄｉｎｇ)されることができる。
【０１７７】
他の例で、ＲＩＶを定義するためのＢＷＰの大きさはＭＩＢで実際設定されたＣＯＲＥＳＥＴ  ＢＷと同一で、異なる共通制御チャンネルごとに異なることができる。ＲＩＶはＲＩＶ＝ＣＯＲＥＳＥＴ＿ＢＷ＊(Ｌ＿ＶＲＢ−１)＋Ｓ＿ＶＲＢによって定義されることができ、ここでＬ＿ＶＲＢはＶＲＢの長さで、Ｓ＿ＶＲＢは開始ＶＲＢインデックスであり、ＣＯＲＥＳＥＴ＿ＢＷはＭＩＢに設定されたＣＯＲＥＳＥＴのＢＷである。
【０１７８】
このような例の一つの特別な下位例はＬ＿ＶＲＢ＝ＣＯＲＥＳＥＴ＿ＢＷ及びＳ＿ＶＲＢ＝０であり、これはＰＤＳＣＨ  ＢＷがＣＯＲＥＳＥＴ＿ＢＷと同一で、一部多重化パターン(例えば、少なくとも図１０のようにパターン２及び／又はパターン３、及び／又はＰＤＳＣＨカバレッジが小さいＢＷ及び／又は少ない数のＯＦＤＭシンボルのように制限されるパターン１の一部場合に対して)に適用されることができることを意味する。下位例ではビットが必要ではなく、ＲＩＶ値(又は同一にＬ＿ＶＲＢ及びＳ＿ＶＲＢ)が仕様でハードコーディングされることができる。
【０１７９】
例えば(上述したすべての例に適用されることができる)、開始ＶＲＢ及び連続的なＶＲＢの長くは例えば、ＰＤＣＣＨ及びＰＤＳＣＨのカバレッジを互換可能にさせるためにＣＣＥの＃に基づいて設定されることができる。
【０１８０】
タイプ１リソース割り当て方式に対する上述した実施形態／例で、Ｘはリソース割り当てに対する粒度としてＶＲＢの数である。Ｘの値は周波数ドメインリソースのフィールドを示すためのビットの数を決定するということを注目する。例えば、ビットの数はｌｏｇ２［(Ｎ＿ＲＢ＾ＢＷＰ／Ｘ)＊(Ｎ＿ＲＢ＾ＢＷＰ／Ｘ＋１)／２］によって決定されることができ、ここでＮ＿ＲＢ＾ＢＷＰは提供されたＢＷＰのＲＢの数であり、ＲＭＳＩの場合、Ｎ＿ＲＢ＾ＢＷＰは  ＲＢの側面でＣＯＲＥＳＥＴ  ＢＷと同一であれば良い。
【０１８１】
例えば、Ｘは仕様で予め定義され、タイプ１リソース割り当て方式が用いられる場合に共通値を取る。例えば、Ｘ＝１は最も柔軟なリソース割り当てケースに相応するが、このようなフィールドを示すためにより多いビットの数を要することができる。他の例の場合、Ｘ＝２又は４又は６はＸ＝１に比べて柔軟性が低いリソース割り当てケースに相応するが、より少ないビットの数を要することができる。他の例の場合、Ｘはインタリバー(ｉｎｔｅｒｌｅａｖｅｒ)の粒度と同一である。
【０１８２】
他の例で、Ｘは仕様で予め定義され、特定値はＣＯＲＥＳＥＴ  ＢＷに基づいて定義される。このような例ではＣＯＲＥＳＥＴ  ＢＷによってＸに対して多数の値があり得る。Ｘに対するこのような多重粒度の目的は総ＢＷが異なる時周波数ドメインリソースのフィールドを示すためのビットの数を整列しようと試みることであり、例えば、ＲＢ／ＸのＣＯＲＥＳＥＴ  ＢＷは少なくともＣＯＲＥＳＥＴ  ＢＷの一部値に対して整数である。このような例の一部特定例は表１１乃至１３に示されている。
【０１８３】
【表１９】
2021508201.tif 000053
【０１８４】
表１９．ＲＢ／ＸのＣＯＲＥＳＥＴ  ＢＷ
【０１８５】
【表２０】
2021508201.tif 000054
【０１８６】
表２０．ＲＢ／ＸのＣＯＲＥＳＥＴ  ＢＷ
【０１８７】
【表２１】
2021508201.tif 000055
【０１８８】
表２１．ＲＢ／ＸのＣＯＲＥＳＥＴ  ＢＷ
【０１８９】
また他の例で、ＸはＲＲＣによって設定可能で、デフォルト値(ｄｅｆａｕｌｔ  ｖａｌｕｅ)は初期アクセスでＵＥによって仮定される。例えば、最も柔軟なリソース割り当てケースに相応するデフォルトＸ＝１であるが、このようなフィールドを示すためにより多い数のビットを要することができ、例えば、９６ＲＢとしてのＣＯＲＥＳＥＴ  ＢＷに対して、必要なビットの数は１３である。他の例の場合、デフォルトＸ＝２又は４又は６はＸ＝１に比べて柔軟性が低いリソース割り当てケースに相応するが、より少ない数のビットを要することができる。他の例の場合、デフォルトＸはインタリバーの粒度と同一である。
【０１９０】
他の実施形態で、本開示で提供される共通制御チャンネルに対して、２つのタイプのリソース割り当て方式は周波数ドメインでのＰＤＳＣＨリソース割り当てに対する完全な柔軟性を提供するためにコンパクトＤＣＩフォーマットにサポートされ、タイプ０でのビットマップの定義及びタイプ１でのＲＩＶの定義は一般的なケースに対する定義を指称するか、タイプ１リソース割り当てだけがサポートされる上述した実施形態で説明されたことを用いることができる。
【０１９１】
一般的に、ブロックインターリビングされたＶＲＢ対ＰＲＢマッピング(ｂｌｏｃｋ  ｉｎｔｅｒｌｅａｖｅｄ  ＶＲＢ対ＰＲＢ  ｍａｐｐｉｎｇ)は周波数ダイバーシティ利得(ｆｒｅｑｕｅｎｃｙ  ｄｉｖｅｒｓｉｔｙ  ｇａｉｎ)を獲得するようにタイプ１リソース割り当てのためにサポートされ、ブロックインターリビングされた又は非ブロックインターリビングされたＶＲＢ対ＰＲＢマッピングのインディケーションはＤＣＩフォーマットで１ビットで搬送されることができる。
【０１９２】
一実施形態で、本開示で提供される共通制御チャンネルに対して、タイプ１リソース割り当て方式だけがサポートされる場合、ブロックインターリビングされたＶＲＢ対ＰＲＢマッピングだけが周波数ダイバーシティ利得を獲得するためにサポートされ、コンパクトＤＣＩフォーマットではインディケーションが必要ではない。この場合に、初期活性ＢＷＰだけが共通制御チャンネルを送信するために用いられるので、ブロックインターリビングされたＶＲＢ対ＰＲＢマッピングは全体初期活性ＢＷＰ内で行われることができ、これは多数のＢＷＰが存在して重畳することができる一般的な場合より非常に簡単である。このような実施形態で、ＶＲＢ対ＰＲＢマッピングのフィールドはブロックインターリビングされたＶＲＢ対ＰＲＢマッピングとして仕様でハードコーディング(ｈａｒｄ−ｃｏｄｉｎｇ)されることができ、インターリビングのためのブロック大きさはさらに仕様(例えば、リソース割り当てに対する粒度と同一)でハードコーディングされることができる。
【０１９３】
他の実施形態で、本開示で提供される共通制御チャンネルに対して、ブロックインターリビングされた及び非ブロックインターリビングされたＶＲＢ対ＰＲＢマッピングがいずれもサポートされ、コンパクトＤＣＩフォーマットの１ビット(例えば、ブロックインターリビングされた又は非ブロックインターリビングされた)ＶＲＢ対ＰＲＢマッピングパターンを示すのに用いられる。
【０１９４】
一般的に、時間ドメインＰＤＳＣＨリソースはスロット内の開始ＯＦＤＭシンボル(例えば、Ｓ＿ｓｙｍとして示される)及びＰＤＳＣＨに対するＯＦＤＭシンボルの長さ(例えば、Ｌ＿ｓｙｍとして示される)と共に相応するＣＯＲＥＳＥＴを含むスロットとＰＤＳＣＨを含むスロット(例えば、Ｔ＿ｓｌｏｔとして示される)間のスロットレベルタイミング差によって特定される。
【０１９５】
一実施形態で、本開示で提供される共通制御チャンネルに対して、時間ドメインＰＤＳＣＨ  リソースはＳＳ／ＰＢＣＨブロック及びＣＯＲＥＳＥＴ／ＰＤＳＣＨの多重化パターンごとに定義されることができる。図１０に示されたように、ＳＳ／ＰＢＣＨブロック及びＣＯＲＥＳＥＴ／ＰＤＳＣＨの３個の多重化パターンがＮＲでサポートされることを注目する。
【０１９６】
例えば、パターン１はＳＳ／ＰＢＣＨブロックとＲＭＳＩ  ＣＯＲＥＳＥＴが異なる時間インスタンス(ｔｉｍｅ  ｉｎｓｔａｎｃｅ)で発生し、ＳＳ／ＰＢＣＨブロックＴＸ  ＢＷとＲＭＳＩ  ＣＯＲＥＳＥＴを含む初期活性ＤＬ  ＢＷＰが重ねる多重化パターンを指称する。ＳＳ／ＰＢＣＨブロックとＣＯＲＥＳＥＴ／ＰＤＳＣＨ間の時間差は０又は一つのスロットより大きくなることができるということを注目する。
【０１９７】
他の例で、パターン２はＳＳ／ＰＢＣＨブロックとＲＭＳＩ  ＣＯＲＥＳＥＴが異なる時間インスタンスで発生し、ＳＳ／ＰＢＣＨブロックＴＸ  ＢＷとＲＭＳＩ  ＣＯＲＥＳＥＴを含む初期活性ＤＬ  ＢＷＰが重畳しない多重化パターンを指称する。
【０１９８】
また他の例で、パターン３はＳＳ／ＰＢＣＨブロックとＲＭＳＩ  ＣＯＲＥＳＥＴが同一な時間インスタンスで発生し、ＳＳ／ＰＢＣＨブロックＴＸ  ＢＷとＲＭＳＩ  ＣＯＲＥＳＥＴを含む初期活性ＤＬ  ＢＷＰが重畳しない多重化パターンを指称する。
【０１９９】
例えば、ＳＳ／ＰＢＣＨブロック及びＣＯＲＥＳＥＴ／ＰＤＳＣＨの多重化パターンがＳＳ／ＰＢＣＨブロック内のＮＲ−ＰＢＣＨのＭＩＢに示されるパターン１として設定される場合、Ｔ＿ｓｌｏｔは多くの値を有する設定可能な整数であれば良く、Ｓ＿ｓｙｍ及びＬ＿ｓｙｍはＲＩＶに共同でコーディングされることができる。例えば、スロットレベル差Ｔ＿ｓｌｏｔは＜６ＧＨｚの場合、０、２＊ｕ、５＊ｕ、７＊ｕから設定されることができ、＞６ＧＨｚの場合、０、２．５＊ｕ、５＊ｕ、７．５＊ｕから設定されることができ、ここでｕ＝ＳＳ＿ＳＣＳ／１５ｋＨｚである。他の例の場合、Ｓ＿ｓｙｍ及びＬ＿ｓｙｍはＬ＿ｓｙｍ−１＜７の場合、ＲＩＶ＝１４＊(Ｌ＿ｓｙｍ−１)＋Ｓ＿ｓｙｍ；そうではなければ、ＲＩＶ＝１４＊１４−Ｌ＿ｓｙｍ＋１)＋１４−１−Ｓ＿ｓｙｍ)によってＲＩＶによって共同でコーディングされることができる。
【０２００】
例えば、パターン１に対する時間ドメインＰＤＳＣＨリソース(例えば、Ｌ＿ｓｙｍ、Ｓ＿ｓｙｍ及びＴ＿ｓｌｏｔ)はＰＤＣＣＨモニタリング場合に対するパラメーターのテーブルの値Ｍに基づいて決定されることができ、ここでＭはインデックスｉ及びｉ＋１を有するＳＳ／ＰＢＣＨブロックに相応するＣＯＲＥＳＥＴを含むスロットの間の時間差(スロットで測定される)を指称する。
【０２０１】
例えば、Ｍ＝２の場合、Ｔ＿ｓｌｏｔ＞０であり、これはＣＯＲＥＳＥＴ間のスロット差が２スロットイン場合にＰＤＳＣＨの交差スロットスケジューリング(ｃｒｏｓｓ−ｓｌｏｔ  ｓｃｈｅｄｕｌｉｎｇ)がサポートされることができることを意味する。
【０２０２】
例えば、Ｍ＝１／２及びＭ＝１の場合、Ｔ＿ｓｌｏｔ＝０であり、これはＣＯＲＥＳＥＴ間のスロット差が１／２及び１スロットイン場合にＰＤＳＣＨの同一なスロットスケジューリングがサポートされることができることを意味する。
【０２０３】
このような例で、パターン１に対する時間ドメインＰＤＳＣＨリソース(例えば、Ｌ＿ｓｙｍ、Ｓ＿ｓｙｍ及びＴ＿ｓｌｏｔ)はＭＩＢでのＲＭＳＩの設定、すなわち、ＲＭＳＩ−ＰＤＣＣＨ−Ｃｏｎｆｉｇに基づいて決定されることができる。最大１６個の設定を含む４ビットテーブルが一般的な場合にＰＤＳＣＨ時間ドメインリソースに対して定義される場合、テーブルの少なくとも一つの設定はＲＭＳＩのそれぞれの設定(すなわち、ＲＭＳＩ−ＰＤＣＣＨ−Ｃｏｎｆｉｇのそれぞれの値)のために用いられることができる。
【０２０４】
一つの特定例で、テーブルでの一つの設定だけがＲＭＳＩのそれぞれの設定のために用いられた後、連関(ａｓｓｏｃｉａｔｉｏｎ)が仕様でハードコーディングされることができ、このようなフィールドにはビットが必要ではない。他の特定例で、テーブルの最大Ｙ設定がＲＭＳＩのそれぞれの設定のために用いられた後、最大ｌｏｇ２(Ｙ)ビットがこのようなフィールドに対して必要であり、例えば、複雑性と柔軟性に対する包括的な例に対してＹ＝４である。
【０２０５】
他の例で、上述した実施形態／例はこのような例と組み合せるか独立的であれば良く、ＣＯＲＥＳＥＴ内のＰＤＣＣＨのスクランブリングシーケンスはＳＳ／ＰＢＣＨブロックインデックスに基づくことができることによって、ＵＥがモニタリングウィンドウ持続時間内でＳＳ／ＰＢＣＨブロックインデックスを検出することができ、一部ＳＳ／ＰＢＣＨブロックの送信を記憶することができる。
【０２０６】
他の例で、ＳＳ／ＰＢＣＨブロック及びＣＯＲＥＳＥＴ／ＰＤＳＣＨの多重化パターンが  ＳＳ／ＰＢＣＨブロック内のＮＲ−ＰＢＣＨのＭＩＢに示されるパターン２として設定される場合、Ｔ＿ｓｌｏｔは０(又はパターン２に対するＤＣＩフォーマットのこのようなフィールドには無し)としてハードコーディングされることができ、Ｓ＿ｓｙｍ及びＬ＿ｓｙｍはＳＳ／ＰＢＣＨブロックに対してマッピングされたスロット内のシンボルによって決定されることができる(例えば、ＳＳブロックインデックスＩ＿ＳＳＢ及びＳＳ／ＰＢＣＨブロックＳＣＳ＿ＳＳのサブキャリア間隔から決定されることができる)。一実施形態で、Ｓ＿ｓｙｍ及びＬ＿ｓｙｍはパターン１と同一な方法を用いてＲＩＶによって相変らず共同でコーディングされることができるか、Ｓ＿ｓｙｍ及びＬ＿ｓｙｍは仕様でハードコーディングされることができ、ＤＣＩフォーマットで時間ドメインＰＤＳＣＨリソースに対するフィールドは必要ではないということを注目する。
【０２０７】
例えば、Ｓ＿ｓｙｍは相応するＳＳ／ＰＢＣＨブロックの第１シンボルに対してマッピングされるシンボル(すなわち、ＮＲ−ＰＳＳに対してマッピングされたシンボル)であっても良く、Ｌ＿ｓｙｍは４としてハードコーディングされることができる。表２２はこのようなインスタンスに対する例のリストを示す。
【０２０８】
【表２２】
2021508201.tif 000056
【０２０９】
表２２.Ｓ＿ｓｙｍ及びＬ＿ｓｙｍ
【０２１０】
他のインスタンスで、Ｓ＿ｓｙｍは相応するＳＳ／ＰＢＣＨブロックの第１シンボルに対してマッピングされるシンボル(すなわち、ＮＲ−ＰＳＳに対してマッピングされたシンボル)であれば良く、それぞれのＳＣＳ＿ＳＳに対するＴ＿ｓｌｏｔの特定値に対しては表２２を参照することができ、Ｌ＿ｓｙｍは設定されることができる(例えば、１、２、３及び４のうちで設定可能)。
【０２１１】
また他の例で、ＳＳ／ＰＢＣＨブロック及びＣＯＲＥＳＥＴ／ＰＤＳＣＨの多重化パターンがＳＳ／ＰＢＣＨブロック内のＮＲ−ＰＢＣＨのＭＩＢに示されるパターン３として設定される場合、Ｔ＿ｓｌｏｔは０(又はパターン３に対するＤＣＩフォーマットのこのようなフィールドには無し)としてハードコーディングされることができ、Ｓ＿ｓｙｍ及びＬ＿ｓｙｍはＳＳ／ＰＢＣＨブロックに対してマッピングされたスロット内のシンボルによって決定されることができる(例えば、ＳＳブロックインデックスＩ＿ＳＳＢ及びＳＳ／ＰＢＣＨブロックＳＣＳ＿ＳＳのサブキャリア間隔から決定されることができる)。一実施形態で、Ｓ＿ｓｙｍ及びＬ＿ｓｙｍはパターン１と同一な方法を用いてＲＩＶによって相変らず共同でコーディングされることができるか、Ｓ＿ｓｙｍ及びＬ＿ｓｙｍは仕様でハードコーディングされることができ、ＤＣＩフォーマットで時間ドメインＰＤＳＣＨリソースに対するフィールドは必要ではないということを注目する。
【０２１２】
例えば、Ｓ＿ｓｙｍは相応するＳＳ／ＰＢＣＨブロックの第３シンボルに対してマッピングされるシンボル(すなわち、ＮＲ−ＳＳＳ及びＮＲ−ＰＢＣＨに対してマッピングされたシンボル)であれば良く、Ｌ＿ｓｙｍは２としてハードコーディングされることができる。表２３はこのようなインスタンスに対する例のリストを示す。
【０２１３】
【表２３】
2021508201.tif 000057
【０２１４】
表２３.Ｓ＿ｓｙｍ及びＬ＿ｓｙｍ
【０２１５】
他の実施形態で、本開示で提供される共通制御チャンネルに対して、時間ドメインＰＤＳＣＨリソースは周波数ドメインＰＤＳＣＨリソースと共同でコーディングされることができ、(それぞれの多重化パターンに対して同一又は異なるビット幅を用いて)ＳＳ／ＰＢＣＨブロック及びＣＯＲＥＳＥＴ／ＰＤＳＣＨの多重化パターンごとに定義されることができる。図１０に示されたように、ＳＳ／ＰＢＣＨブロック及びＣＯＲＥＳＥＴ／ＰＤＳＣＨの３個の多重化パターンがＮＲでサポートされることを注目する。
【０２１６】
例えば、ＳＳ／ＰＢＣＨブロック及びＣＯＲＥＳＥＴ／ＰＤＳＣＨの多重化パターンがパターン１として設定される場合、時間ドメイン及び周波数ドメインリソースは共同でコーディングされることができ、ここでＲＥの総数は設定可能である。例えば、ＲＥの総数は類似のカバレッジの観点でＣＯＲＥＳＥＴのＣＣＥの数と互換可能である。
【０２１７】
他の例で、ＳＳ／ＰＢＣＨブロック及びＣＯＲＥＳＥＴ／ＰＤＳＣＨのマルチプレクシングパターンがパターン２として設定される場合、時間ドメイン及び周波数ドメインリソースは共同でコーディングされることができ、ここで時間ドメイン及び周波数ドメインリソースはいずれもハードコーディングされる。
【０２１８】
他の例で、ＳＳ／ＰＢＣＨブロック及びＣＯＲＥＳＥＴ／ＰＤＳＣＨのマルチプレシングパターンがパターン３として設定される場合、時間ドメイン及び周波数ドメインリソースは共同でコーディングされることができ、ここで時間ドメイン及び周波数ドメインリソースはいずれもハードコーディングされる。
【０２１９】
一般的に、ＰＤＳＣＨの変調及びコーディング方式はＭＣＳテーブルによってキャッチャーされる。一実施形態で、本開示で提供される共通制御チャンネルに対して、ＰＤＳＣＨの変調及びコーディング方式はコンパクトバージョンのＭＣＳテーブルによってキャプチャされることができ、ここで下位(ｌｏｗ−ｏｒｄｅｒ)変調方式だけがコンパクトＤＣＩフォーマットでサポートされることで、コンパクトＤＣＩフォーマットでのこのようなフィールドのビット幅は他のＤＣＩフォーマットでより小さいことがある。
【０２２０】
一実施形態で、本開示で提供されるすべての共通制御チャンネル内で、ブロードキャスト  ＯＳＩ及びＲＭＳＩのような一部チャンネルはメッセージを多数のブロックでエンコーディングして異なる送信のためにマッピングされることによって、異なるエンコーディングされたブロックをマーク(ｍａｒｋ)するためにリダンダンシーバージョン(ｒｅｄｕｎｄａｎｃｙ  ｖｅｒｓｉｏｎ)が要求される。したがって、このようなチャンネルに対してだけ、コンパクトＤＣＩフォーマットは異なる値(例えば、２ビットで示された４個の値又は３ビットで示された８個の値)を有するリダンダンシーバージョンのフィールドを有することができ、他のチャンネルに対してはコンパクトＤＣＩフォーマットは相応するフィールドをデフォルト値(例えば、０)として残しておくことができる。
【０２２１】
他の実施形態で、本開示で提供されるすべての共通制御チャンネル内で、ブロードキャストＯＳＩ及びＲＭＳＩのような一部チャンネルはメッセージを多数のブロックでエンコーディングして異なる送信のためにマッピングされることによって、異なるエンコーディングされたブロックをマークするためにリダンダンシーバージョンが要求される。リダンダンシーバージョンはＳＦＮ値(すなわち、ＴＴＩ内のタイミング)に基づいて決定されることができ、リダンダンシーバージョンのフィールドに対するビットが本開示で提供される共通制御チャンネルに要求されないようにＵＥに知られることができる。
【０２２２】
一般的に、ＴＰＣ(Ｔｒａｎｓｍｉｓｓｉｏｎ  Ｐｏｗｅｒ  Ｃｏｎｔｒｏｌ)命令は共通検索空間を有するＤＣＩフォーマットの一部としての送信であれば良い。一実施形態で、本開示で提供される共通制御チャンネルに対して、コンパクトＤＣＩフォーマットは(例えば、２ビットを有する)ＰＵＣＣＨに対するＴＰＣ命令に対するフィールドを有することができる。他の実施形態で、本開示で提供される共通制御チャンネルに対して、コンパクトＤＣＩフォーマットのためのフィールドはＲＲＣ接続前に要求されない。
【０２２３】
コンパクトＤＣＩフォーマットに対するヘッダーフィールドは共通制御チャンネルに対するコンパクトＤＣＩフォーマットが他のＤＣＩフォーマットと同一なＤＣＩ大きさ(例えば、ＲＡＣＨのｍｓｇ４に対する一部フォールバック(ｆａｌｌｂａｃｋ)ＤＣＩフォーマット又は他のコンパクトＤＣＩフォーマット)を有する時にだけ必要で、この場合に、ヘッダーフィールドは異なるＤＣＩフォーマットを区別するのに用いられる。共通制御チャンネルに対するコンパクトＤＣＩフォーマットと同一なＤＣＩ大きさを有するＤＣＩフォーマットがない場合、ヘッダーフィールドは基本的に必要ではない。
【０２２４】
一般的に、このようなフラッグは周波数ドメイン及び時間ドメインのいずれも予約されたリソースがＰＤＳＣＨに割り当てられた四角形リソースから排除されるかを示すのに用いられ、ここで予約されたリソースは他の目的、例えば、順方向互換性又はＬＴＥ−ＮＲ共存のために用いられることができる。一実施形態で、同一な目的で、このようなフラッグは共通制御チャンネルのために設計されたコンパクトＤＣＩフォーマットに対して相変らず存在する。他の実施形態で、このようなフィールドはＲＲＣ接続前に存在せず、本開示で提供される共通制御チャンネルに必要ではない。
【０２２５】
次のフィールドのうちで少なくとも一部又は全部はＲＭＳＩ、ＯＳＩ、ページング及びＲＡＲの送信のうちで少なくとも一つを含むことができる共通第語チャンネル専用に設計されたコンパクトＤＣＩフォーマットのコンテンツ内にあるように提供されない。
【０２２６】
本開示で提供される共通制御チャンネルは主に初期アクセス目的のためのことで、よって、本開示で提供される共通制御チャンネルを送信するためのキャリア及びＢＷＰは設定されたり示される必要がない。一実施形態で、本開示で提供される共通制御チャンネルに対するコンパクトＤＣＩフォーマットはキャリアインジケーター(ｉｎｄｉｃａｔｏｒ)又はＢＷＰインジケーターのフィールドを含まない。
【０２２７】
一実施形態で、本開示で提供される共通制御チャンネルに対するＰＤＳＣＨに対するバンドリング(ｂｕｎｄｌｉｎｇ)大きさは固定され(例えば、６ＰＲＢ)、本開示で提供される共通制御チャンネルに対するコンパクトＤＣＩフォーマットはバンドリング大きさインジケーターのフィールドを含まない。
【０２２８】
本開示で提供される共通制御チャンネルは新しいデータ送信を有しないこともあり、よって、新しいデータインジケーターは適用可能ではない。一実施形態で、本開示で提供される共通制御チャンネルに対するコンパクトＤＣＩフォーマットは新しいデータインジケーターのフィールドを含まない。
【０２２９】
本開示で提供される共通制御チャンネルは単一コードワードのみを有することができ、第２コードワードに係るパラメーターは共通制御チャンネルに適用可能しないこともある。一実施形態で、本開示で提供される共通制御チャンネルに対するコンパクトＤＣＩフォーマットは変調及びコーディング方式、新しいデータインジケーター及びリダンダンシーバージョンを含む第２コードワードに対するパラメーターのフィールドを含まない。
【０２３０】
本開示で提供される共通制御チャンネルは任意のＨＡＲＱプロセスを有しないこともあって、ＨＡＲＱに係るパラメーターは共通制御チャンネルに適用可能しないこともある。一実施形態で、本開示で提供される共通制御チャンネルに対するコンパクトＤＣＩフォーマットはＨＡＲＱプロセス番号、ＣＢＧＦＩ、ＣＢＧＴＩ、ＡＣＫ／ＮＡＣＫリソースインデックス、ＨＡＲＱタイミングインジケーター及びダウンリンク割り当てインデックスを含むＨＡＲＱプロセスに対するパラメーターのフィールドを含まない。
【０２３１】
一実施形態で、コンパクトＤＣＩフォーマットがさらにＲＡＣＨのｍｓｇ４に適用可能な場合、ＨＡＲＱプロセス関連パラメーターはコンパクトＤＣＩフォーマットのフィールドとして提供されることができるということを注目する。
【０２３２】
本開示で提供される共通制御チャンネルはアンテナポートに対する多数の構成を有することができなく、単一階層送信のみをサポートすることができることによって、アンテナポートに対する構成が共通制御チャンネルのＰＤＳＣＨに対して固定されることができる。一実施形態で、本開示で提供される共通制御チャンネルに対するコンパクトＤＣＩフォーマットはアンテナポートに対するフィールドを含まない。
【０２３３】
一般的に、ＴＣＩ(Ｔｒａｎｓｍｉｓｓｉｏｎ  Ｃｏｎｆｉｇｕｒａｔｉｏｎ  Ｉｎｄｉｃａｔｉｏｎ)はＤＬ  ＲＳアンテナポートとＤＬデータチャンネルのＤＭＲＳアンテナポートの間のＱＣＬ仮定(ａｓｓｕｍｐｔｉｏｎ)を少なくともｗ．ｒ．ｔ．空間ＱＣＬパラメーターで示すためのビームインディケーションを提供するのに用いられる。本開示で提供される共通制御チャンネルに対して、共通制御チャンネルは共通制御チャンネルに対してＴＣＩが要求されないように相応するＳＳ／ＰＢＣＨブロックにいずれもＱＣＬされる。一実施形態で、本開示で提供される共通制御チャンネルに対するコンパクトＤＣＩフォーマットはＴＣＩに対するフィールドを含まない。
【０２３４】
共通制御チャンネルに対するコンパクトＤＣＩフォーマット設計の一例は表２４に示され、ここで総ＤＣＩ大きさは約２０乃至３０ビットであり、これは他のＤＣＩフォーマットより非常に小さい(例えば、少なくとも約４０乃至５０ビット)。
【０２３５】
【表２４】
2021508201.tif 000058
【０２３６】
表２４．コンパクトＤＣＩフォーマット設計
【０２３７】
共通制御チャンネルに対するコンパクトＤＣＩフォーマット設計の他の例は表２５に示され、ここですべてＤＣＩ大きさはＳＳ／ＰＢＣＨブロック及びＣＯＲＥＳＥＴ多重化パターンに基づく。これはパターン１の場合に約１５ビットで、パターン２及びパターン３の場合には５ビットより小さい。
【０２３８】
【表２５】
2021508201.tif 000059
【０２３９】
表２５．コンパクトＤＣＩフォーマット設計
【０２４０】
ＰＤＣＣＨのＤＭＲＳシーケンスはＱＰＳＫ変調されたゴールド−シーケンス(ＱＰＳＫ  ｍｏｄｕｌａｔｅｄ  Ｇｏｌｄ−ｓｅｑｕｅｎｃｅ)によって構成されるのに、ここで２個の長さ−ＬＭ−シーケンスのＸＯＲの場合、Ｍ−シーケンスｓＡ(ｎ)のうちの一つは生成器ｇＡ(ｘ)及び初期条件ｃＡで生成され、他のＭ−シーケンスｓＢ(ｎ)は生成器ｇＢ(ｘ)及び初期条件ｃＢに生成される。ＱＰＳＫ変調されたゴールド−シーケンスｓ(ｎ)＝１−２＊((ｓＡ(２ｎ＋Ｎｃ)＋ｓＢ(２ｎ＋Ｎｃ))ｍｏｄ２)／ｖ２＋ｊ＊１−２＊((ｓＡ(２ｎ＋Ｎｃ＋１)＋ｓＢ(２ｎ＋Ｎｃ＋１))ｍｏｄ２)／ｖ２であり、ｓ(ｎ)が望むＤＭＲＳシーケンス長さにＮ＿ＤＭＲＳで切られるように可能な出力シフトオフセットＮｃ(例えば、ＬＴＥのようにＮｃ＝１６００)がある。ゴールド−シーケンスＬの長さはＬＴＥ−ＣＲＳのように(例えば、２＾３１−１)、Ｍ−シーケンスｓＡ(ｎ)のうちの一つは初期条件ｃＡ(例えば、ｃＡ＝１)が固定されたｇＡ(ｘ)＝ｘ３１＋ｘ３＋１によって与えられ、他のＭ−シーケンスｓＢ(ｎ)は初期条件ｃＢを有するｇＢ(ｘ)＝ｘ３１＋ｘ３＋ｘ２＋ｘ＋１によって与えられる。初期条件ｃＢはＤＭＲＳシーケンスが時間によって変わるようにＩＤ(セルＩＤ又はＣ−ＲＮＴＩのうちの一つ)及びタイミング関連インデックスを搬送する。
【０２４１】
一実施形態で、タイミング関連インデックスはスロットインデックス及びシンボルインデックスを含み、初期条件はＩＤ及びタイミング関連インデックスの積形式(ｐｒｏｄｕｃｔ  ｆｏｒｍ)である。
【０２４２】
例えば、ｃＢ＝ｍｏｄ(ｃ＿１＊(Ｎ＿ＩＤ＋１)＊１４＊Ｎ＿ｓｌｏｔ＋Ｎ＿ｓｙｍｂｏｌ＋１)＋ｃ＿２＊１４＊Ｎ＿ｓｌｏｔ＋Ｎ＿ｓｙｍｂｏｌ＋１)＋ｃ＿３＊(Ｎ＿ＩＤ＋１)、２＾３１)であり、ここでｃ＿１、ｃ＿２及びｃ＿３は予め定義された整数である。このような例ではｍｏｄ２＾３１が要求されるようにｃ＿１＞２＾１２であることを注目する。
【０２４３】
他の例で、ｃＢ＝ｍｏｄ(ｃ＿１＊(２＊Ｎ＿ＩＤ＋１)＊１４＊Ｎ＿ｓｌｏｔ＋Ｎ＿ｓｙｍｂｏｌ＋１)＋ｃ＿２＊１４＊Ｎ＿ｓｌｏｔ＋Ｎ＿ｓｙｍｂｏｌ＋１)＋ｃ＿３＊(２＊Ｎ＿ＩＤ＋１)、２＾３１)であり、ここでｃ＿１、ｃ＿２及びｃ＿３は予め定義された整数である。このような例ではｍｏｄ２＾３１が要求されるようにｃ＿１＞２＾１１であることを注目する。
【０２４４】
他の例で、ｃＢ＝ｃ＿１＊(Ｎ＿ＩＤ＋１)＊１４＊Ｎ＿ｓｌｏｔ＋Ｎ＿ｓｙｍｂｏｌ＋１)＋ｃ＿２＊１４＊Ｎ＿ｓｌｏｔ＋Ｎ＿ｓｙｍｂｏｌ＋１)＋ｃ＿３＊(Ｎ＿ＩＤ＋１)であり、ここでｃ＿１、ｃ＿２及びｃ＿３は予め定義された整数である。このような例ではｃ＿１≦２＾１２である。例えば、ｃ＿１＝２、ｃ＿２＝２＾１２及びｃ＿３＝０であり、すなわち、ｃＢ＝２＊(Ｎ＿ＩＤ＋１)＊１４＊Ｎ＿ｓｌｏｔ＋Ｎ＿ｓｙｍｂｏｌ＋１)＋２＾１２＊１４＊Ｎ＿ｓｌｏｔ＋Ｎ＿ｓｙｍｂｏｌ＋１)である。
【０２４５】
他の例で、ｃＢ＝ｃ＿１＊(２＊Ｎ＿ＩＤ＋１)＊１４＊Ｎ＿ｓｌｏｔ＋Ｎ＿ｓｙｍｂｏｌ＋１)＋ｃ＿２＊１４＊Ｎ＿ｓｌｏｔ＋Ｎ＿ｓｙｍｂｏｌ＋１)＋ｃ＿３＊(２＊Ｎ＿ＩＤ＋１)であり、ここでｃ＿１、ｃ＿２及びｃ＿３は予め定義された整数である。このような例ではｃ＿１≦２＾１１である。
【０２４６】
図１１は、本開示の実施形態による  ＵＥに対する方法１１００のフローチャートを示す。図１１に示された方法１１００の実施形態はただ例示のためのことである。図１１は本開示の範囲を任意の特定具現で制限しない。
【０２４７】
図１１に示されたように、方法１１００は開始で開始する。段階１１０２で、ＵＥ(例えば、図１に示されたような１１１−１１６は基地局(ＢＳ)からダウンリンクチャンネルを介して第１周波数位置(ＧＳＣＮ−Ｃｕｒｒｅｎｔ)−ＧＳＣＮ−Ｃｕｒｒｅｎｔはグローバル同期化チャンネル番号(ｇｌｏｂａｌ  ｓｙｎｃｈｒｏｎｉｚａｔｉｏｎ  ｃｈａｎｎｅｌ  ｎｕｍｂｅｒ、ＧＳＣＮ)によって決定される予め定義された同期化ラスタのセットに基づく−を用いるＰＢＣＨを含む同期化信号及び物理的ブロードキャストチャンネル(ＳＳ／ＰＢＣＨ)ブロックを受信する。
【０２４８】
一実施形態で、段階１１０２で、決定されたＧＳＣＮ−Ｃｕｒｒｅｎｔ上のＲＭＳＩに対するスケジューリング情報を含むＰＤＣＣＨと連関されるＳＳ／ＰＢＣＨブロックは、第１キャリア周波数範囲に対して、{０，１，２，３，４，５，６，７，８，９，１０，１１，１２，１３，１４，１５}からの値に基づいたＰＢＣＨのコンテンツ内のｓｓｂ−ＳｕｂｃａｒｒｉｅｒＯｆｆｓｅｔのフィールド及び０の値を有するＰＢＣＨのコンテンツ内の
【数２７】
2021508201.tif 000060
のフィールド、第１キャリア周波数範囲に対して、{０，１，２，３，４，５，６，７}からの値に基づいたＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数２８】
2021508201.tif 000061
のフィールド、又は第２キャリア周波数範囲に対して、{０，１，２，３，４，５，６，７，８，９，１０，１１}からの値に基づいたＰＢＣＨのコンテンツ内のｓｓｂ−ＳｕｂｃａｒｒｉｅｒＯｆｆｓｅｔのフィールドのうちの少なくとも一つによって示される。
【０２４９】
一実施形態で、段階１１０２で、決定されたＧＳＣＮ−Ｃｕｒｒｅｎｔ上のＲＭＳＩに対するスケジューリング情報を含むＰＤＣＣＨと連関されないＳＳ／ＰＢＣＨブロックは、第１周波数範囲に対して、{８，９，１０，１１，１２，１３，１４，１５}からの値に基づいたＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数２９】
2021508201.tif 000062
のフィールド又は第２周波数範囲に対して、{１２，１３，１４，１５}からの値に基づいたＰＢＣＨのコンテンツ内のｓｓｂ−ＳｕｂｃａｒｒｉｅｒＯｆｆｓｅｔのフィールドのうちの少なくとも一つによって示される。
【０２５０】
このような実施形態で、ＲＭＳＩに対するスケジューリング情報を含むＰＤＣＣＨを設定した他のＳＳ／ＰＢＣＨブロックが送信されない周波数範囲は、第１キャリア周波数範囲に対して、１５の値を有するＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数３０】
2021508201.tif 000063
のフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６又は第２キャリア周波数範囲に対して、１５の値を有するＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６のうちの少なくとも一つによって示される。このような実施形態で、ｐｄｃｃｈ−ＣｏｎｆｉｇＳＩＢ１はＰＢＣＨのコンテンツでの８ビット長さを含む。
【０２５１】
このような実施形態で、ＲＭＳＩに対するスケジューリング情報を含むＰＤＣＣＨを設定した他のＳＳ／ＰＢＣＨブロックが送信されない周波数範囲はｐｄｃｃｈ−ＣｏｎｆｉｇＳＩＢ１＝０である時のＧＳＣＮ−Ｃｕｒｒｅｎｔによって与えられる。
【０２５２】
このような実施形態で、ＲＭＳＩに対するスケジューリング情報を含むＰＤＣＣＨを設定した他のＳＳ／ＰＢＣＨブロックが送信される第２周波数位置は、第１キャリア周波数範囲１に対して、{８，９，１０}からの値に基づいたＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数３１】
2021508201.tif 000064
のフィールドである時のＧＳＣＮ−Ｃｕｒｒｅｎｔ＋２５６＊(ｓｓｂ−ＳｕｂｃａｒｒｉｅｒＯｆｆｓｅｔ−８)＋ｐｄｃｃｈ−ＣｏｎｆｉｇＳＩＢ１＋１、第１キャリア周波数範囲１に対して、{１１，１２，１３}からの値に基づいたＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数３２】
2021508201.tif 000065
のフィールドである時のＧＳＣＮ−Ｃｕｒｒｅｎｔ−２５６＊(ｓｓｂ−ＳｕｂｃａｒｒｉｅｒＯｆｆｓｅｔ−１１)−ｐｄｃｃｈ−ＣｏｎｆｉｇＳＩＢ１−１、又は第２キャリア周波数範囲に対して、１３の値を有するＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−ｐｄｃｃｈ−ＣｏｎｆｉｇＳＩＢ１−１うちの少なくとも一つによって示される。
【０２５３】
このような実施形態で、ｐｄｃｃｈ−ＣｏｎｆｉｇＳＩＢ１はＰＢＣＨのコンテンツで長さが８ビットである。
【０２５４】
一実施形態で、ＳＳ／ＰＢＣＨブロックが決定されたＧＳＣＮ−Ｃｕｒｒｅｎｔ上のＲＭＳＩに対するスケジューリング情報を含むＰＤＣＣＨを設定する時、プロセッサはＳＳ／ＰＢＣＨブロックの多重化パターン及びＰＤＣＣＨを含む制御リソースセット(ＣＯＲＥＳＥＴ)に基づいてＲＭＳＩに対するスケジューリング情報を決定するようにさらに構成され、ＲＭＳＩに対するスケジューリング情報はＲＭＳＩに対する物理的ダウンリンク共有チャンネル(ＰＤＳＣＨ)の少なくとも時間ドメインリソース割り当てを含む。
【０２５５】
段階１１０４で、ＵＥは受信されたＳＳ／ＰＢＣＨブロックに含まれたＰＢＣＨをデコーディングする。
【０２５６】
段階１１０６で、ＵＥはデコーディングされたＰＢＣＨのコンテンツを識別する。
【０２５７】
段階１１０８で、ＵＥはＧＳＣＮ−Ｃｕｒｒｅｎｔ上でＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関されるＳＳ／ＰＢＣＨブロック又はＧＳＣＮ−Ｃｕｒｒｅｎｔ上のＲＭＳＩに対するスケジューリング情報を含むＰＤＣＣＨと連関されない  ＳＳ／ＰＢＣＨブロックのうちの少なくとも一つに対する構成を決定する。
【０２５８】
段階１１１０で、ＵＥは、ＳＳ／ＰＢＣＨブロックがＧＳＣＮ−Ｃｕｒｒｅｎｔ上のＲＭＳＩに対するスケジューリング情報を含むＰＤＣＣＨと連関されない時、ＲＭＳＩに対するスケジューリング情報を含むＰＤＣＣＨを設定した他のＳＳ／ＰＢＣＨブロックが送信されない周波数範囲として、ＧＳＣＮに基づいて決定された、前記周波数範囲、又はＲＭＳＩに対するスケジューリング情報を含むＰＤＣＣＨを設定した他のＳＳ／ＰＢＣＨブロックが送信される第２周波数位置のうちの少なくとも一つを含むための構成を決定するのに、ＧＳＣＮ−Ｃｕｒｒｅｎｔは  ＧＳＣＮに基づいて決定する。
【０２５９】
図１２は、本開示の実施形態によるＢＳに対する方法１２００のフローチャートを示す。図１２に示された方法１２００の実施形態はただ例示のためのことである。図１２は本開示の範囲を任意の特定具現で制限しない。
【０２６０】
図１２に示されたように、方法１２００は段階１２０２で開始される。ＢＳ(例えば、図１に示されたような１０１−１０３)は段階１２０２で、同期化信号及び物理的ブロードキャストチャンネル(ＳＳ／ＰＢＣＨ)ブロックを生成する。
【０２６１】
一実施形態で、段階１２０２で、決定されたＧＳＣＮ−Ｃｕｒｒｅｎｔ上のＲＭＳＩに対するスケジューリング情報を含むＰＤＣＣＨと連関されるＳＳ／ＰＢＣＨブロックは、第１キャリア周波数範囲に対して、{０，１，２，３，４，５，６，７，８，９，１０，１１，１２，１３，１４，１５}からの値に基づいたＰＢＣＨのコンテンツ内のｓｓｂ−ＳｕｂｃａｒｒｉｅｒＯｆｆｓｅｔのフィールド及び０の値を有するＰＢＣＨのコンテンツ内の
【数３３】
2021508201.tif 000066
のフィールド、第１キャリア周波数範囲に対して、{０，１，２，３，４，５，６，７}からの値に基づいたＰＢＣＨのコンテンツ内のｓｓｂ−ＳｕｂｃａｒｒｉｅｒＯｆｆｓｅｔのフィールド及び１の値を有する  ＰＢＣＨのコンテンツ内の
【数３４】
2021508201.tif 000067
のフィールド、又は第２キャリア周波数範囲に対して、{０，１，２，３，４，５，６，７，８，９，１０，１１}からの値に基づいたＰＢＣＨのコンテンツ内のｓｓｂ−ＳｕｂｃａｒｒｉｅｒＯｆｆｓｅｔのフィールドのうちの少なくとも一つによって示される。
【０２６２】
一実施形態で、段階１２０２で、決定されたＧＳＣＮ−Ｃｕｒｒｅｎｔ上のＲＭＳＩに対するスケジューリング情報を含むＰＤＣＣＨと連関されないＳＳ／ＰＢＣＨブロックは、第１周波数範囲に対して、{８，９，１０，１１，１２，１３，１４，１５}からの値に基づいたＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数３５】
2021508201.tif 000068
のフィールド又は第２周波数範囲に対して、{１２，１３，１４，１５}からの値に基づいたＰＢＣＨのコンテンツ内のｓｓｂ−ＳｕｂｃａｒｒｉｅｒＯｆｆｓｅｔのフィールドのうちの少なくとも一つによって示される。
【０２６３】
このような実施形態で、ＲＭＳＩに対するスケジューリング情報を含むＰＤＣＣＨを設定した他のＳＳ／ＰＢＣＨブロックが送信されない周波数範囲は、第１キャリア周波数範囲に対して、１５の値を有するＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数３６】
2021508201.tif 000069
のフィールドである時のＧＳＣＮ−Ｃｕｒｒｅｎｔ−ｐｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６又は第２キャリア周波数範囲に対して、１５の値を有するＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−  ｄｃｃｈ−ＣｏｎｆｉｇＳＩＢ１／１６乃至ＧＳＣＮ−Ｃｕｒｒｅｎｔ＋ｐｄｃｃｈ−ＣｏｎｆｉｇＳＩＢ１ ｍｏｄ １６のうちの少なくとも一つによって示される。
【０２６４】
このような実施形態で、ｐｄｃｃｈ−ＣｏｎｆｉｇＳＩＢ１はＰＢＣＨのコンテンツでの  ８  ビット長さを含む。
【０２６５】
このような実施形態で、ＲＭＳＩに対するスケジューリング情報を含むＰＤＣＣＨを設定した他のＳＳ／ＰＢＣＨブロックが送信されない周波数範囲はｐｄｃｃｈ−ＣｏｎｆｉｇＳＩＢ１＝０である時のＧＳＣＮ−Ｃｕｒｒｅｎｔによって与えられる。
【０２６６】
このような実施形態で、ＲＭＳＩに対するスケジューリング情報を含むＰＤＣＣＨを設定した他のＳＳ／ＰＢＣＨブロックが送信される第２周波数位置は、第１キャリア周波数範囲１に対して、{８，９，１０}からの値に基づいたＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数３７】
2021508201.tif 000070
のフィールドである時のＧＳＣＮ−Ｃｕｒｒｅｎｔ＋２５６＊(ｓｓｂ−ＳｕｂｃａｒｒｉｅｒＯｆｆｓｅｔ−８)＋ｐｄｃｃｈ−ＣｏｎｆｉｇＳＩＢ１＋１、第１キャリア周波数範囲１に対して、{１１、１２，１３}からの値に基づいたＰＢＣＨのコンテンツ内のｓｓｂ−ＳｕｂｃａｒｒｉｅｒＯｆｆｓｅｔのフィールド及び１の値を有するＰＢＣＨのコンテンツ内の
【数３８】
2021508201.tif 000071
のフィールドである時のＧＳＣＮ−Ｃｕｒｒｅｎｔ−２５６＊(ｓｓｂ−ＳｕｂｃａｒｒｉｅｒＯｆｆｓｅｔ−１１)−ｐｄｃｃｈ−ＣｏｎｆｉｇＳＩＢ１−１、第２キャリア周波数範囲に対して、１２の値を有するＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ＋ｐｄｃｃｈ−ＣｏｎｆｉｇＳＩＢ１＋１、又は第２キャリア周波数範囲に対して、１３の値を有するＰＢＣＨのコンテンツ内のｓｓｂ−ＳｕｂｃａｒｒｉｅｒＯｆｆｓｅｔのフィールドである時のＧＳＣＮ−Ｃｕｒｒｅｎｔ−ｐｄｃｃｈ−ＣｏｎｆｉｇＳＩＢ１−１うちの少なくとも一つによって示される。
【０２６７】
このような実施形態で、ｐｄｃｃｈ−ＣｏｎｆｉｇＳＩＢ１は  ＰＢＣＨのコンテンツで長さが８ビットであり、ＳＳ／ＰＢＣＨブロックは決定されたＧＳＣＮ−Ｃｕｒｒｅｎｔ上のＲＭＳＩに対するスケジューリング情報を含むＰＤＣＣＨを設定し、ＳＳ／ＰＢＣＨブロックの多重化パターン及び  ＰＤＣＣＨを含む制御リソースセット(ＣＯＲＥＳＥＴ)に基づいてＲＭＳＩに対するスケジューリング情報を決定し、ＲＭＳＩに対するスケジューリング情報はＲＭＳＩに対する物理的ダウンリンク共有チャンネル(ＰＤＳＣＨ)の少なくとも時間ドメインリソース割り当てを含む。
【０２６８】
段階１２０４で、ＢＳはＳＳ／ＰＢＣＨブロックを送信するためにグローバル同期化チャンネル番号(ＧＳＣＮ)によって決定される予め定義された同期化ラスタのセットに基づいて第１周波数位置(ＧＳＣＮ−Ｃｕｒｒｅｎｔ)を識別する。
【０２６９】
段階１２０６で、ＢＳは、ＧＳＣＮ−Ｃｕｒｒｅｎｔに基づいて、ＧＳＣＮ−Ｃｕｒｒｅｎｔ上でＲＭＳＩ(ｒｅｍａｉｎｉｎｇ  ｍｉｎｉｍｕｍ  ｓｙｓｔｅｍ  ｉｎｆｏｒｍａｔｉｏｎ)に対するスケジューリング情報を含む物理的ダウンリンク制御チャンネル(ＰＤＣＣＨ)と連関されるＳＳ／ＰＢＣＨブロック又はＧＳＣＮ−Ｃｕｒｒｅｎｔ上のＲＭＳＩに対するスケジューリング情報を含むＰＤＣＣＨと連関されないＳＳ／ＰＢＣＨブロックのうちの少なくとも一つに対する構成を決定する。
【０２７０】
段階１２０８で、ＢＳは、ＳＳ／ＰＢＣＨブロックがＧＳＣＮ−Ｃｕｒｒｅｎｔ上のＲＭＳＩに対するスケジューリング情報を含むＰＤＣＣＨと連関されない時、ＲＭＳＩに対するスケジューリング情報を含むＰＤＣＣＨを設定した他のＳＳ／ＰＢＣＨブロックが送信されない周波数範囲として、ＧＳＣＮに基づいて決定された、前記周波数範囲、又はＲＭＳＩに対するスケジューリング情報を含むＰＤＣＣＨを設定した他のＳＳ／ＰＢＣＨブロックが送信される第２周波数位置のうちの少なくとも一つを含むための構成を決定するがＧＳＣＮ−ＣｕｒｒｅｎｔはＧＳＣＮに基づいて決定される。
【０２７１】
段階１２１０で、ＢＳは、決定された構成に基づいて、ＳＳ／ＰＢＣＨブロックに含まれたＰＢＣＨのコンテンツを識別する。
【０２７２】
段階１２１２で、ＢＳはダウンリンクチャンネルを介して  ＧＳＣＮ−Ｃｕｒｒｅｎｔを用いるＰＢＣＨを含むＳＳ／ＰＢＣＨブロックをユーザ装置(ＵＥ)に送信する。
【０２７３】
本開示が例示的な実施形態に説明されたが、多様な変更及び修正が通常の技術者に提示されることができる。本開示は添付された請求項の範疇内に属するこのような変更及び修正を含むことに意図される。
【０２７４】
本出願における説明は任意の特定要素、段階又は機能が請求範囲に含まれなければならない必須要素なのを暗示することで解釈されてはいけない。特許された主題(ｐａｔｅｎｔｅｄ  ｓｕｂｊｅｃｔ  ｍａｔｔｅｒ)の範囲は請求項によってだけ定義される。さらに、どんな請求項も正確な単語“のための手段(ｍｅａｎｓ  ｆｏｒ)”の次に分詞 (ｐａｒｔｉｃｉｐｌｅ)が伴わなければ３５Ｕ．Ｓ．Ｃ．§１１２(ｆ)を行使するように意図されない。
【符号の説明】
【０２７５】
130  インターネット
210a  ＲＦ送受信機
210b  ＲＦ送受信機
210n  ＲＦ送受信機
215  ＴＸ処理回路
220  ＲＸ処理回路
225  制御機／プロセッサ
230  メモリー    235  バックホール／ネットワークＩＦ
310  ＲＦ送受信機
315  ＴＸ処理回路
320  マイクロホン
325  ＲＸ処理回路
330  スピーカー
340  プロセッサ
350  タッチスクリーン
355  ディスプレー
360  メモリー
362  アプリケーション
【図１】
2021508201.tif 000090
【図２】
2021508201.tif 000091
【図３】
2021508201.tif 000092
【図４Ａ】
2021508201.tif 000093
【図４Ｂ】
2021508201.tif 000094
【図５】
2021508201.tif 000095
【図６】
2021508201.tif 000096
【図７】
2021508201.tif 000097
【図８】
2021508201.tif 000098
【図９】
2021508201.tif 000099
【図１０】
2021508201.tif 000100
【図１１】
2021508201.tif 000101
【図１２】
2021508201.tif 000102
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
無線通信システムにて端末によって行われる方法において、
基地局から第１ＳＳＢ（ｓｙｎｃｈｒｏｎｉｚａｔｉｏｎ  ｓｉｇｎａｌ  ｂｌｏｃｋ）を受信する段階と、
前記第１ＳＳＢに含まれた第１情報に基づいて、ＳＩＢ（ｓｙｓｔｅｍ  ｉｎｆｏｒｍａｔｉｏｎ  ｂｌｏｃｋ）のための第１ＣＯＲＥＳＥＴ（ｃｏｎｔｒｏｌ  ｒｅｓｏｕｒｃｅ  ｓｅｔ）が存在するか確認する段階と、
前記ＳＩＢのための第１ＣＯＲＥＳＥＴが存在しないと、前記第１情報と、前記第１ＳＳＢに含まれた第２情報とに基づいて、ＳＩＢのための第２ＣＯＲＥＳＥＴを有する第２ＳＳＢの周波数位置を確認する段階と、
前記第２ＳＳＢに基づいて前記第２ＣＯＲＥＳＥＴの探索空間（ｓｅａｒｃｈ  ｓｐａｃｅ）をモニタリングすることによって、前記基地局から前記ＳＩＢを受信する段階と、を含み、
前記第１情報が第１値範囲に対応すると、前記第１ＣＯＲＥＳＥＴが存在するものと確認され、
前記第１情報が第２値範囲に対応すると、前記第１ＣＯＲＥＳＥＴが存在しないものと確認される、方法。
【請求項２】
前記第１情報が前記第２値範囲内の第１値に対応すると、第２情報に基づいてＧＳＣＮ（ｇｌｏｂａｌ  ｓｙｎｃｈｒｏｎｉｚａｔｉｏｎ  ｃｈａｎｎｅｌ  ｎｕｍｂｅｒ）範囲内にＳＩＢのためのＣＯＲＥＳＥＴを有するＳＳＢが存在しないものと決定される、請求項１に記載の方法。
【請求項３】
前記ＧＳＣＮ範囲の始まりは、前記第２情報の４個のＭＳＢ（ｍｏｓｔ  ｓｉｇｎｉｆｉｃａｎｔ  ｂｉｔ）に基づいて確認され、
前記ＧＳＣＮ範囲の終わりは、前記第２情報の４個のＬＳＢ（ｌｅａｓｔ  ｓｉｇｎｉｆｉｃａｎｔ  ｂｉｔ）に基づいて確認される、請求項２に記載の方法。
【請求項４】
前記第１情報が前記第１値に対応し前記第２情報が第２値に対応すると、前記第１ＳＳＢには前記ＳＩＢのためのＣＯＲＥＳＥＴを有する前記ＳＳＢについての情報がないものと決定される、請求項２に記載の方法。
【請求項５】
前記第２ＳＳＢの周波数位置は、前記第１ＳＳＢのＧＳＣＮ及びＧＳＣＮオフセットに基づいて決定され、
前記第１情報が前記第２値範囲内の第３値に対応すると、前記ＧＳＣＮオフセットが前記第２情報に基づいて決定され、
前記第１情報は、前記第１ＳＳＢ及びリソースブロックグリッド（ｒｅｓｏｕｒｃｅ  ｂｌｏｃｋ  ｇｒｉｄ）間のサブキャリアオフセットを指示する、請求項１に記載の方法。
【請求項６】
無線通信システムにて基地局によって行われる方法において、
端末に第１ＳＳＢ（ｓｙｎｃｈｒｏｎｉｚａｔｉｏｎ  ｓｉｇｎａｌ  ｂｌｏｃｋ）を伝送する段階であって、前記第１ＳＳＢに含まれた第１情報に基づいてＳＩＢ（ｓｙｓｔｅｍ  ｉｎｆｏｒｍａｔｉｏｎ  ｂｌｏｃｋ）のための第１ＣＯＲＥＳＥＴ（ｃｏｎｔｒｏｌ  ｒｅｓｏｕｒｃｅ  ｓｅｔ）が存在するか確認される、前記第１ＳＳＢを伝送する段階と、
前記端末にＳＩＢのための第２ＣＯＲＥＳＥＴを有する第２ＳＳＢを伝送する段階であって、前記ＳＩＢのための第１ＣＯＲＥＳＥＴが存在しないと、前記第２ＳＳＢの周波数位置が前記第１情報と、前記第１ＳＳＢに含まれた第２情報とに基づいて確認される、前記第２ＳＳＢを伝送する段階と、
前記端末に前記第２ＳＳＢに基づいて前記ＳＩＢを伝送する段階と、を含み、
前記第１情報が第１値範囲に対応すると、前記第１ＣＯＲＥＳＥＴが存在するものと確認され、
前記第１情報が第２値範囲に対応すると、前記第１ＣＯＲＥＳＥＴが存在しないものと確認される、方法。
【請求項７】
前記第１情報が前記第２値範囲内の第１値に対応すると、第２情報に基づいてＧＳＣＮ（ｇｌｏｂａｌ  ｓｙｎｃｈｒｏｎｉｚａｔｉｏｎ  ｃｈａｎｎｅｌ  ｎｕｍｂｅｒ）範囲内にＳＩＢのためのＣＯＲＥＳＥＴを有するＳＳＢが存在しないものと決定される、請求項６に記載の方法。
【請求項８】
前記ＧＳＣＮ範囲の始まりは、前記第２情報の４個のＭＳＢ（ｍｏｓｔ  ｓｉｇｎｉｆｉｃａｎｔ  ｂｉｔ）に基づいて確認され、
前記ＧＳＣＮ範囲の終わりは、前記第２情報の４個のＬＳＢ（ｌｅａｓｔ  ｓｉｇｎｉｆｉｃａｎｔ  ｂｉｔ）に基づいて確認される、請求項７に記載の方法。
【請求項９】
前記第１情報が前記第１値に対応し前記第２情報が第２値に対応すると、前記第１ＳＳＢには前記ＳＩＢのためのＣＯＲＥＳＥＴを有する前記ＳＳＢについての情報がないものと決定される、請求項７に記載の方法。
【請求項１０】
前記第２ＳＳＢの周波数位置は、前記第１ＳＳＢのＧＳＣＮ及びＧＳＣＮオフセットに基づいて決定され、
前記第１情報が前記第２値範囲内の第３値に対応すると、前記ＧＳＣＮオフセットが前記第２情報に基づいて決定され、
前記第１情報は、前記第１ＳＳＢ及びリソースブロックグリッド（ｒｅｓｏｕｒｃｅ  ｂｌｏｃｋ  ｇｒｉｄ）間のサブキャリアオフセットを指示する、請求項６に記載の方法。
【請求項１１】
無線通信システムの端末において、
信号を送信及び受信するように設定された送受信部と、
前記送受信部と連結される制御部と、を含み、
前記制御部は、
基地局から第１ＳＳＢ（ｓｙｎｃｈｒｏｎｉｚａｔｉｏｎ  ｓｉｇｎａｌ  ｂｌｏｃｋ）を受信し、
前記第１ＳＳＢに含まれた第１情報に基づいて、ＳＩＢ（ｓｙｓｔｅｍ  ｉｎｆｏｒｍａｔｉｏｎ  ｂｌｏｃｋ）のための第１ＣＯＲＥＳＥＴ（ｃｏｎｔｒｏｌ  ｒｅｓｏｕｒｃｅ  ｓｅｔ）が存在するか確認し、
前記ＳＩＢのための第１ＣＯＲＥＳＥＴが存在しないと、前記第１情報と、前記第１ＳＳＢに含まれた第２情報とに基づいて、ＳＩＢのための第２ＣＯＲＥＳＥＴを有する第２ＳＳＢの周波数位置を確認し、
前記第２ＳＳＢに基づいて前記第２ＣＯＲＥＳＥＴの探索空間（ｓｅａｒｃｈ  ｓｐａｃｅ）をモニタリングすることによって、前記基地局から前記ＳＩＢを受信するように設定され、
前記第１情報が第１値範囲に対応すると、前記第１ＣＯＲＥＳＥＴが存在するものと確認され、
前記第１情報が第２値範囲に対応すると、前記第１ＣＯＲＥＳＥＴが存在しないものと確認される、端末。
【請求項１２】
前記第１情報が前記第２値範囲内の第１値に対応すると、第２情報に基づいてＧＳＣＮ（ｇｌｏｂａｌ  ｓｙｎｃｈｒｏｎｉｚａｔｉｏｎ  ｃｈａｎｎｅｌ  ｎｕｍｂｅｒ）範囲内にＳＩＢのためのＣＯＲＥＳＥＴを有するＳＳＢが存在しないものと決定される、請求項１１に記載の端末。
【請求項１３】
前記ＧＳＣＮ範囲の始まりは、前記第２情報の４個のＭＳＢ（ｍｏｓｔ  ｓｉｇｎｉｆｉｃａｎｔ  ｂｉｔ）に基づいて確認され、
前記ＧＳＣＮ範囲の終わりは、前記第２情報の４個のＬＳＢ（ｌｅａｓｔ  ｓｉｇｎｉｆｉｃａｎｔ  ｂｉｔ）に基づいて確認される、請求項１２に記載の端末。
【請求項１４】
前記第１情報が前記第１値に対応し前記第２情報が第２値に対応すると、前記第１ＳＳＢには前記ＳＩＢのためのＣＯＲＥＳＥＴを有する前記ＳＳＢについての情報がないものと決定される、請求項１２に記載の端末。
【請求項１５】
前記第２ＳＳＢの周波数位置は、前記第１ＳＳＢのＧＳＣＮ及びＧＳＣＮオフセットに基づいて決定され、
前記第１情報が前記第２値範囲内の第３値に対応すると、前記ＧＳＣＮオフセットが前記第２情報に基づいて決定され、
前記第１情報は、前記第１ＳＳＢ及びリソースブロックグリッド（ｒｅｓｏｕｒｃｅ  ｂｌｏｃｋ  ｇｒｉｄ）間のサブキャリアオフセットを指示する、請求項１１に記載の端末。
【請求項１６】
無線通信システムの基地局において、
信号を送信及び受信するように設定された送受信部と、
前記送受信部と連結される制御部と、を含み、
前記制御部は、
端末に第１ＳＳＢ（ｓｙｎｃｈｒｏｎｉｚａｔｉｏｎ  ｓｉｇｎａｌ  ｂｌｏｃｋ）を伝送し、前記第１ＳＳＢに含まれた第１情報に基づいてＳＩＢ（ｓｙｓｔｅｍ  ｉｎｆｏｒｍａｔｉｏｎ  ｂｌｏｃｋ）のための第１ＣＯＲＥＳＥＴ（ｃｏｎｔｒｏｌ  ｒｅｓｏｕｒｃｅ  ｓｅｔ）が存在するか確認され、
前記端末にＳＩＢのための第２ＣＯＲＥＳＥＴを有する第２ＳＳＢを伝送し、前記ＳＩＢのための第１ＣＯＲＥＳＥＴが存在しないと、前記第２ＳＳＢの周波数位置が前記第１情報と、前記第１ＳＳＢに含まれた第２情報とに基づいて確認され、
前記端末に前記第２ＳＳＢに基づいて前記ＳＩＢを伝送するように設定され、
前記第１情報が第１値範囲に対応すると、前記第１ＣＯＲＥＳＥＴが存在するものと確認され、
前記第１情報が第２値範囲に対応すると、前記第１ＣＯＲＥＳＥＴが存在しないものと確認される、基地局。
【請求項１７】
前記第１情報が前記第２値範囲内の第１値に対応すると、第２情報に基づいてＧＳＣＮ（ｇｌｏｂａｌ  ｓｙｎｃｈｒｏｎｉｚａｔｉｏｎ  ｃｈａｎｎｅｌ  ｎｕｍｂｅｒ）範囲内にＳＩＢのためのＣＯＲＥＳＥＴを有するＳＳＢが存在しないものと決定される、請求項１６に記載の基地局。
【請求項１８】
前記ＧＳＣＮ範囲の始まりは、前記第２情報の４個のＭＳＢ（ｍｏｓｔ  ｓｉｇｎｉｆｉｃａｎｔ  ｂｉｔ）に基づいて確認され、
前記ＧＳＣＮ範囲の終わりは、前記第２情報の４個のＬＳＢ（ｌｅａｓｔ  ｓｉｇｎｉｆｉｃａｎｔ  ｂｉｔ）に基づいて確認される、請求項１７に記載の基地局。
【請求項１９】
前記第１情報が前記第１値に対応し前記第２情報が第２値に対応すると、前記第１ＳＳＢには前記ＳＩＢのためのＣＯＲＥＳＥＴを有する前記ＳＳＢについての情報がないものと決定される、請求項１７に記載の基地局。
【請求項２０】
前記第２ＳＳＢの周波数位置は、前記第１ＳＳＢのＧＳＣＮ及びＧＳＣＮオフセットに基づいて決定され、
前記第１情報が前記第２値範囲内の第３値に対応すると、前記ＧＳＣＮオフセットが前記第２情報に基づいて決定され、
前記第１情報は、前記第１ＳＳＢ及びリソースブロックグリッド（ｒｅｓｏｕｒｃｅ  ｂｌｏｃｋ  ｇｒｉｄ）間のサブキャリアオフセットを指示する、請求項１６に記載の基地局。
【国際調査報告】
2021508201.tif 000103
2021508201.tif 000104